(57)【特許請求の範囲】
【請求項１】
入力された情報信号の情報量を圧縮し一定の情報単位毎に出力する圧縮手段と、前記圧縮手段の出力信号をｎ単位（ｎは１以上の自然数）集めて誤り訂正信号を付加するＥＣＣエンコーダと、前記ＥＣＣエンコーダの入力信号が入力された時間を表す情報を一定の情報単位毎に認識するとともに前記ＥＣＣエンコーダの入力信号に前記時間情報を一定の情報単位毎に付加する時間情報付加手段と、前記ＥＣＣエンコーダの出力信号を複数単位集めるとともにこれに一つの同期信号を付加する同期信号付加手段と、前記同期信号付加手段の出力信号をＳＭＰＴＥ２５９Ｍ又はＳＭＰＴＥ２９２Ｍ規格で規定される有線の伝送路に送信する構成とした送信装置。
【請求項２】
入力された情報信号の情報量を圧縮し一定の情報単位毎に出力する圧縮手段と、前記圧縮手段の出力信号をｎ単位（ｎは１以上の自然数）集めて誤り訂正信号を付加するＥＣＣエンコーダと、前記ＥＣＣエンコーダの出力信号が出力された時間を表す情報を一定の情報単位毎に認識するとともに前記ＥＣＣエンコーダの出力信号に前記時間情報を一定の情報単位毎に付加する時間情報付加手段と、前記時間情報付加手段の出力信号を複数単位集めるとともにこれに一つの同期信号を付加する同期信号付加手段と、前記同期信号付加手段の出力信号をＳＭＰＴＥ２５９Ｍ又はＳＭＰＴＥ２９２Ｍ規格で規定される有線の伝送路に送信する構成とした送信装置。
【請求項３】
入力された情報信号の情報量を圧縮し一定の情報単位毎に出力する複数の圧縮手段と、前記圧縮手段の出力信号を一定の情報単位毎に選択しかつ直列にして出力する合成手段と、前記合成手段の出力信号をｎ単位（ｎは１以上の自然数）集めて誤り訂正信号を付加するＥＣＣエンコーダと、前記ＥＣＣエンコーダの入力信号が入力された時間を表す情報を一定の情報単位毎に認識するとともに前記ＥＣＣエンコーダの入力信号に前記時間情報を一定の情報単位毎に付加する時間情報付加手段と、前記ＥＣＣエンコーダのの出力信号を複数単位集めるとともにこれに一つの同期信号を付加する同期信号付加手段と、前記同期信号付加手段の出力信号をＳＭＰＴＥ２５９ＭあるいはＳＭＰＴＥ２９２Ｍ規格で規定される有線の伝送路に送信する構成した送信装置。
【請求項４】
入力された情報信号の情報量を圧縮し一定の情報単位毎に出力する複数の圧縮手段と、前記圧縮手段の出力信号を一定の情報単位毎に選択しかつ直列にして出力する合成手段と、前記合成手段の出力信号をｎ単位（ｎは１以上の自然数）集めて誤り訂正信号を付加するＥＣＣエンコーダと、前記ＥＣＣエンコーダの出力信号が出力された時間を表す情報を一定の情報単位毎に認識するとともに前記ＥＣＣエンコーダの出力信号に前記時間情報を一定の情報単位毎に付加する時間情報付加手段と、前記時間情報付加手段の出力信号を複数単位集めるとともにこれに一つの同期信号を付加する同期信号付加手段と、前記同期信号付加手段の出力信号をＳＭＰＴＥ２５９ＭあるいはＳＭＰＴＥ２９２Ｍ規格で規定される有線の伝送路に送信する構成した送信装置。
【請求項５】
入力された情報信号の情報量を圧縮し一定の情報単位毎に出力する圧縮手段と、入力された情報信号を圧縮せずに一定の情報単位毎に出力する非圧縮手段と、前記圧縮手段又は前記非圧縮手段の各々の出力信号を一定の情報単位毎に選択しかつ直列にして出力する合成手段と、前記合成手段の出力信号をｎ単位（ｎは１以上の自然数）集めて誤り訂正信号を付加するＥＣＣエンコーダと、前記ＥＣＣエンコーダの入力信号が入力される時間を表す情報を前記一定の情報単位毎に認識するとともに前記ＥＣＣエンコーダの入力信号に前記時間情報を一定の情報単位毎に付加する時間情報付加手段と、前記ＥＣＣエンコーダの出力信号を複数単位集めるとともにこれに一つの同期信号を付加する同期信号付加手段と、前記同期信号付加手段の出力信号をＳＭＰＴＥ２５９ＭあるいはＳＭＰＴＥ２９２Ｍ規格で規定される有線の伝送路に送信する構成とした送信装置。
【請求項６】
入力された情報信号の情報量を圧縮し一定の情報単位毎に出力する圧縮手段と、入力された情報信号を圧縮せずに一定の情報単位毎に出力する非圧縮手段と、前記圧縮手段又は前記非圧縮手段の各々の出力信号を一定の情報単位毎に選択しかつ直列にして出力する合成手段と、前記合成手段の出力信号をｎ単位（ｎは１以上の自然数）集めて誤り訂正信号を付加するＥＣＣエンコーダと、前記ＥＣＣエンコーダの出力信号が出力される時間を表す情報を前記一定の情報単位毎に認識するとともに前記ＥＣＣエンコーダの出力信号に前記時間情報を一定の情報単位毎に付加する時間情報付加手段と、前記時間情報付加手段の出力信号を複数単位集めるとともにこれに一つの同期信号を付加する同期信号付加手段と、前記同期信号付加手段の出力信号をＳＭＰＴＥ２５９ＭあるいはＳＭＰＴＥ２９２Ｍ規格で規定される有線の伝送路に送信する構成とした送信装置。
【請求項７】
入力された情報信号の情報量を圧縮し一定の情報単位毎に出力する圧縮手段と、前記圧縮手段の出力信号をｎ単位（ｎは１以上の自然数）集めて誤り訂正信号を付加するＥＣＣエンコーダと、前記ＥＣＣエンコーダの入力信号が入力される時間を表す情報を前記一定の情報単位毎に認識するとともに前記ＥＣＣエンコーダの入力信号に前記時間情報を一定の情報単位毎に付加する時間情報付加手段と、入力された情報信号を圧縮せずに一定の集合情報単位毎に出力する非圧縮手段と、前記ＥＣＣエンコーダの出力信号が入力された場合は前記ＥＣＣエンコーダの出力信号を複数単位集めて出力し、前記非圧縮手段の出力信号が入力された場合は前記集合情報単位を一つ出力するとともに情報量が圧縮された信号か否かを識別する識別符号を付加する識別情報付加手段と、前記識別情報付加手段の出力信号に一つの同期信号を付加する同期信号付加手段と、前記同期信号付加手段の出力信号をＳＭＰＴＥ２５９ＭあるいはＳＭＰＴＥ２９２Ｍ規格で規定される有線の伝送路に送信する構成した送信装置。
【請求項８】
入力された情報信号の情報量を圧縮し一定の情報単位毎に出力する圧縮手段と、前記圧縮手段の出力信号をｎ単位（ｎは１以上の自然数）集めて誤り訂正信号を付加するＥＣＣエンコーダと、前記ＥＣＣエンコーダの出力信号が出力される時間を表す情報を前記一定の情報単位毎に認識するとともに前記ＥＣＣエンコーダの出力信号に前記時間情報を一定の情報単位毎に付加する時間情報付加手段と、入力された情報信号を圧縮せずに一定の集合情報単位毎に出力する非圧縮手段と、前記ＥＣＣエンコーダの出力信号が入力された場合は前記ＥＣＣエンコーダの出力信号を複数単位集めて出力し、前記非圧縮手段の出力信号が入力された場合は前記集合情報単位を一つ出力するとともに情報量が圧縮された信号か否かを識別する識別符号を付加する識別情報付加手段と、前記識別情報付加手段の出力信号に一つの同期信号を付加する同期信号付加手段と、前記同期信号付加手段の出力信号をＳＭＰＴＥ２５９ＭあるいはＳＭＰＴＥ２９２Ｍ規格で規定される有線の伝送路に送信する構成した送信装置。
【請求項９】
入力された情報信号の情報量を圧縮し一定の情報単位毎に出力する圧縮手段と、前記圧縮手段の出力信号が出力された時間を表す情報を一定の情報単位毎に認識するとともに前記圧縮手段の出力信号に前記時間情報を一定の情報単位毎に付加する時間情報付加手段と、前記時間情報付加手段の出力信号を複数単位集めるとともにこれに一つの同期信号を付加する同期信号付加手段と、前記同期信号付加手段の出力信号をＳＭＰＴＥ２５９Ｍ又はＳＭＰＴＥ２９２Ｍ規格で規定される有線の伝送路に送信する構成とした送信装置。
【請求項１０】
入力された情報信号の情報量を圧縮し一定の情報単位毎に出力する複数の圧縮手段と、前記圧縮手段の出力信号が出力された時間を表す情報を一定の情報単位毎に認識するとともに前記圧縮手段の出力信号に前記時間情報を一定の情報単位毎に付加する時間情報付加手段と、前記時間情報付加手段の出力信号を一定の情報単位毎に選択しかつ直列にして出力する合成手段と、前記合成手段の出力信号を複数単位集めるとともにこれに一つの同期信号を付加する同期信号付加手段と、前記同期信号付加手段の出力信号をＳＭＰＴＥ２５９ＭあるいはＳＭＰＴＥ２９２Ｍ規格で規定される有線の伝送路に送信する構成した送信装置。
【請求項１１】
入力された情報信号の情報量を圧縮し一定の情報単位毎に出力する圧縮手段と、入力された情報信号を圧縮せずに一定の情報単位毎に出力する非圧縮手段と、前記圧縮手段又は前記非圧縮手段の出力信号が出力される時間を表す情報を前記一定の情報単位毎に認識するとともに前記圧縮手段又は前記非圧縮手段の出力信号に前記時間情報を一定の情報単位毎に付加する時間情報付加手段と、前記時間情報付加手段の各々の出力信号を一定の情報単位毎に選択しかつ直列にして出力する合成手段と、前記合成手段の出力信号を複数集めるとともにこれに一つの同期信号を付加する同期信号付加手段と、前記同期信号付加手段の出力信号をＳＭＰＴＥ２５９ＭあるいはＳＭＰＴＥ２９２Ｍ規格で規定される有線の伝送路に送信する構成とした送信装置。
【請求項１２】
入力された情報信号の情報量を圧縮し一定の情報単位毎に出力する圧縮手段と、前記圧縮手段の出力信号が出力される時間を表す情報を前記一定の情報単位毎に認識するとともに前記圧縮手段の出力信号に前記時間情報を一定の情報単位毎に付加する時間情報付加手段と、入力された情報信号を圧縮せずに一定の集合情報単位毎に出力する非圧縮手段と、前記時間情報付加手段の出力信号が入力された場合は前記時間情報付加手段の出力信号を複数単位集めて出力し、前記非圧縮手段の出力信号が入力された場合は前記集合情報単位を一つ出力するとともに情報量が圧縮された信号か否かを識別する識別符号を付加する識別情報付加手段と、前記識別情報付加手段の出力信号に一つの同期信号を付加する同期信号付加手段と、前記同期信号付加手段の出力信号をＳＭＰＴＥ２５９ＭあるいはＳＭＰＴＥ２９２Ｍ規格で規定される有線の伝送路に送信する構成した送信装置。
【請求項１３】
１つの同期信号と、一定の情報単位の圧縮された情報信号毎に時間情報を付加し、これをｎ単位（ｎは１以上の自然数）集めて誤り訂正信号を付加して１つの集合情報単位とし、ＳＭＰＴＥ２５９ＭあるいはＳＭＰＴＥ２９２Ｍ規格で規定される有線の伝送路に送信する構成した送信装置。
【請求項１４】
１つの同期信号と、一定の情報単位の圧縮された情報信号毎に時間情報を付加し、これをｎ単位（ｎは１以上の自然数）集めて１つの集合情報単位としてＳＭＰＴＥ２５９ＭあるいはＳＭＰＴＥ２９２Ｍ規格で規定される有線の伝送路に送信する構成した送信装置。
【請求項１５】
情報信号が複数種類ある請求項１３又は請求項１４記載の送信装置。
【請求項１６】
１つの同期信号と、一定の情報単位の圧縮された情報信号毎に時間情報を付加した信号と、一定の情報単位の情報量が圧縮されていない非圧縮情報信号毎に時間情報を付加した信号とをｎ単位（ｎは１以上の自然数）集めて誤り訂正信号を付加して１つの集合情報単位とし、ＳＭＰＴＥ２５９ＭあるいはＳＭＰＴＥ２９２Ｍ規格で規定される有線の伝送路に送信する構成とした送信装置。
【請求項１７】
１つの同期信号と、一定の情報単位の情報量が圧縮された圧縮情報信号毎に時間情報を付加した信号又は一定の情報単位の情報量が圧縮されていない非圧縮情報信号毎に時間情報を付加した信号をｎ単位（ｎは１以上の自然数）集めて誤り訂正信号を付加して１つの集合情報単位とし情報量が圧縮された信号か否かを識別する識別符号を付加してＳＭＰＴＥ２５９ＭあるいはＳＭＰＴＥ２９２Ｍ規格で規定される有線の伝送路に送信する構成とした送信装置。
【請求項１８】
１つの同期信号と、一定の情報単位の圧縮された情報信号毎に時間情報を付加した信号と、一定の情報単位の情報量が圧縮されていない非圧縮情報信号毎に時間情報を付加した信号を集めて１つの集合情報単位としてＳＭＰＴＥ２５９ＭあるいはＳＭＰＴＥ２９２Ｍ規格で規定される有線の伝送路に送信する構成とした送信装置。
【請求項１９】
１つの同期信号と、一定の情報単位の情報量が圧縮された圧縮情報信号毎に時間情報を付加した信号又は一定の情報単位の情報量が圧縮されていない非圧縮情報信号毎に時間情報を付加した信号を集めて１つの集合情報単位とし情報量が圧縮された信号か否かを識別する識別符号を付加してＳＭＰＴＥ２５９ＭあるいはＳＭＰＴＥ２９２Ｍ規格で規定される有線の伝送路に送信する構成とした送信装置。
【請求項２０】
１つの同期信号と、一定の情報単位の圧縮された情報信号毎に時間情報を付加し、これをｎ単位（ｎは１以上の自然数）集めて誤り訂正信号を付加して１つの集合情報単位とし、ＳＭＰＴＥ２５９ＭあるいはＳＭＰＴＥ２９２Ｍ規格で規定される有線の伝送路に送信する送信方法。
【請求項２１】
１つの同期信号と、一定の情報単位の圧縮された情報信号毎に時間情報を付加し、これをｎ単位（ｎは１以上の自然数）集めて１つの集合情報単位としてＳＭＰＴＥ２５９ＭあるいはＳＭＰＴＥ２９２Ｍ規格で規定される有線の伝送路に送信する送信方法。
【請求項２２】
情報信号が複数種類ある請求項２０又は請求項２１記載の送信装置。
【請求項２３】
１つの同期信号と、一定の情報単位の圧縮された情報信号毎に時間情報を付加した信号と、一定の情報単位の情報量が圧縮されていない非圧縮情報信号毎に時間情報を付加した信号とをｎ単位（ｎは１以上の自然数）集めて誤り訂正信号を付加して１つの集合情報単位とし、ＳＭＰＴＥ２５９ＭあるいはＳＭＰＴＥ２９２Ｍ規格で規定される有線の伝送路に送信する送信方法。
【請求項２４】
１つの同期信号と、一定の情報単位の情報量が圧縮された圧縮情報信号毎に時間情報を付加した信号又は一定の情報単位の情報量が圧縮されていない非圧縮情報信号毎に時間情報を付加した信号をｎ単位（ｎは１以上の自然数）集めて誤り訂正信号を付加して１つの集合情報単位とし情報量が圧縮された信号か否かを識別する識別符号を付加してＳＭＰＴＥ２５９ＭあるいはＳＭＰＴＥ２９２Ｍ規格で規定される有線の伝送路に送信する送信方法。
【請求項２５】
１つの同期信号と、一定の情報単位の圧縮された情報信号毎に時間情報を付加した信号と、一定の情報単位の情報量が圧縮されていない非圧縮情報信号毎に時間情報を付加した信号を集めて１つの集合情報単位としてＳＭＰＴＥ２５９ＭあるいはＳＭＰＴＥ２９２Ｍ規格で規定される有線の伝送路に送信する送信方法。
【請求項２６】
１つの同期信号と、一定の情報単位の情報量が圧縮された圧縮情報信号毎に時間情報を付加した信号又は一定の情報単位の情報量が圧縮されていない非圧縮情報信号毎に時間情報を付加した信号を集めて１つの集合情報単位とし情報量が圧縮された信号か否かを識別する識別符号を付加してＳＭＰＴＥ２５９ＭあるいはＳＭＰＴＥ２９２Ｍ規格で規定される有線の伝送路に送信する送信方法。
【請求項２７】
一つの同期信号と複数単位の圧縮された情報信号とを１つの集合情報単位としてＳＭＰＴＥ２５９ＭあるいはＳＭＰＴＥ２９２Ｍ規格で規定された有線の伝送路から受信するとともに受信された信号のうち同期信号を除去する同期信号除去手段と、前記同期信号除去手段の出力信号に含まれる時間を表す情報を一定の情報単位毎に認識するとともに前記時間情報に基づいて前記同期信号除去手段の出力信号を一定の情報単位毎に遅延する時間情報再生手段と、前記時間情報再生手段の出力信号のうち誤り訂正信号を付加された単位毎に誤り訂正信号に基づいて信号の誤り訂正を行うＥＣＣデコーダと、前記ＥＣＣデコーダの出力信号のうち圧縮された情報信号を一単位毎に伸張する伸張手段とで構成した受信装置。
【請求項２８】
一つの同期信号と複数単位の圧縮された情報信号とを１つの集合情報単位としてＳＭＰＴＥ２５９ＭあるいはＳＭＰＴＥ２９２Ｍ規格で規定された有線の伝送路から受信するとともに受信された信号のうち同期信号を除去する同期信号除去手段と、前記同期信号除去手段の出力信号に含まれる時間を表す情報を一定の情報単位毎に認識するとともに前記時間情報に基づいて前記同期信号除去手段の出力信号を一定の情報単位毎に遅延する時間情報再生手段と、前記時間情報再生手段の出力信号のうち誤り訂正信号を付加された単位毎に誤り訂正信号に基づいて信号の誤り訂正を行うＥＣＣデコーダと、前記ＥＣＣデコーダの出力信号を合成された規則に従って分配する分配手段と、前記分配手段の出力信号のうち情報量が圧縮された情報信号を一単位毎に伸張する伸張手段とで構成した受信装置。
【請求項２９】
一つの同期信号と複数単位の圧縮された情報信号とを１つの集合情報単位としてＳＭＰＴＥ２５９ＭあるいはＳＭＰＴＥ２９２Ｍ規格で規定される有線の伝送路から受信するとともに受信された信号のうち同期信号を除去する同期信号除去手段と、前記同期信号除去手段の出力信号に含まれる時間を表す情報を一定の情報単位毎に認識するとともに前記時間情報に基づいて前記同期信号除去手段の出力信号を一定の情報単位毎に遅延する時間情報再生手段と、前記時間情報再生手段の出力信号のうち誤り訂正信号を付加された単位毎に誤り訂正信号に基づいて信号の誤り訂正を行うＥＣＣデコーダと、前記ＥＣＣデコーダの出力信号を合成された規則に従って分配する分配手段と、前記分配手段の出力信号のうち情報量が圧縮された情報信号を一単位毎に伸張する伸張手段と、前記分配手段の出力信号のうち情報量が圧縮されていない情報信号を出力する非伸張手段とで構成した受信装置。
【請求項３０】
一つの同期信号と複数単位の圧縮された情報信号とを１つの集合情報単位としてＳＭＰＴＥ２５９ＭあるいはＳＭＰＴＥ２９２Ｍ規格で規定された有線の伝送路から受信するとともに受信された信号のうち同期信号を除去する同期信号除去手段と、前記同期信号除去手段の出力信号のうち誤り訂正信号を付加された単位毎に誤り訂正信号に基づいて信号の誤り訂正を行うＥＣＣデコーダと、前記ＥＣＣデコーダの出力信号に含まれる時間を表す情報を一定の情報単位毎に認識するとともに前記時間情報に基づいて前記ＥＣＣデコーダの出力信号を一定の情報単位毎に遅延する時間情報再生手段と、前記時間情報再生手段の出力信号のうち圧縮された情報信号を一単位毎に伸張する伸張手段とで構成した受信装置。
【請求項３１】
一つの同期信号と複数単位の圧縮された情報信号とを１つの集合情報単位としてＳＭＰＴＥ２５９ＭあるいはＳＭＰＴＥ２９２Ｍ規格で規定された有線の伝送路から受信するとともに受信された信号のうち同期信号を除去する同期信号除去手段と、前記同期信号除去手段の出力信号のうち誤り訂正信号を付加された単位毎に誤り訂正信号に基づいて信号の誤り訂正を行うＥＣＣデコーダと、前記ＥＣＣデコーダの出力信号に含まれる時間を表す情報を一定の情報単位毎に認識するとともに前記時間情報に基づいて前記ＥＣＣデコーダの出力信号を一定の情報単位毎に遅延する時間情報再生手段と、前記時間情報再生手段の出力信号を合成された規則に従って分配する分配手段と、前記分配手段の出力信号のうち情報量が圧縮された情報信号を一単位毎に伸張する伸張手段とで構成した受信装置。
【請求項３２】
一つの同期信号と複数単位の圧縮された情報信号とを１つの集合情報単位としてＳＭＰＴＥ２５９ＭあるいはＳＭＰＴＥ２９２Ｍ規格で規定される有線の伝送路から受信するとともに受信された信号のうち同期信号を除去する同期信号除去手段と、前記同期信号除去手段の出力信号のうち誤り訂正信号を付加された単位毎に誤り訂正信号に基づいて信号の誤り訂正を行うＥＣＣデコーダと、前記ＥＣＣデコーダの出力信号に含まれる時間を表す情報を一定の情報単位毎に認識するとともに前記時間情報に基づいて前記ＥＣＣデコーダの出力信号を一定の情報単位毎に遅延する時間情報再生手段と、前記時間情報再生手段の出力信号を合成された規則に従って分配する分配手段と、前記分配手段の出力信号のうち情報量が圧縮された情報信号を一単位毎に伸張する伸張手段と、前記分配手段の出力信号のうち情報量が圧縮されていない情報信号を出力する非伸張手段とで構成した受信装置。
【請求項３３】
一つの同期信号と複数単位の圧縮された情報信号とを１つの集合情報単位としてＳＭＰＴＥ２５９ＭあるいはＳＭＰＴＥ２９２Ｍ規格で規定された有線の伝送路から受信するとともに受信された信号のうち同期信号を除去する同期信号除去手段と、前記同期信号除去手段の出力信号に含まれる時間を表す情報を一定の情報単位毎に認識するとともに前記時間情報に基づいて前記同期信号除去手段の出力信号を一定の情報単位毎に遅延する時間情報再生手段と、前記時間情報再生手段の出力信号のうち圧縮された情報信号を一単位毎に伸張する伸張手段とで構成した受信装置。
【請求項３４】
一つの同期信号と複数単位の圧縮された情報信号とを１つの集合情報単位としてＳＭＰＴＥ２５９ＭあるいはＳＭＰＴＥ２９２Ｍ規格で規定された有線の伝送路から受信するとともに受信された信号のうち同期信号を除去する同期信号除去手段と、前記同期信号除去手段の出力信号に含まれる時間を表す情報を一定の情報単位毎に認識するとともに前記時間情報に基づいて前記同期信号除去手段の出力信号を一定の情報単位毎に遅延する時間情報再生手段と、前記時間情報再生手段の出力信号を合成された規則に従って分配する分配手段と、前記分配手段の出力信号のうち情報量が圧縮された情報信号を一単位毎に伸張する伸張手段とで構成した受信装置。
【請求項３５】
一つの同期信号と複数単位の圧縮された情報信号とを１つの集合情報単位としてＳＭＰＴＥ２５９ＭあるいはＳＭＰＴＥ２９２Ｍ規格で規定される有線の伝送路から受信するとともに受信された信号のうち同期信号を除去する同期信号除去手段と、前記同期信号除去手段の出力信号に含まれる時間を表す情報を一定の情報単位毎に認識するとともに前記時間情報に基づいて前記同期信号除去手段の出力信号を一定の情報単位毎に遅延する時間情報再生手段と、前記時間情報再生手段の出力信号を合成された規則に従って分配する分配手段と、前記分配手段の出力信号のうち情報量が圧縮された情報信号を一単位毎に伸張する伸張手段と、前記分配手段の出力信号のうち情報量が圧縮されていない情報信号を出力する非伸張手段とで構成した受信装置。
【請求項３６】
１つの同期信号と、一定の情報単位が圧縮された情報信号を複数個集めたものを１つの集合情報単位としてＳＭＰＴＥ２５９ＭあるいはＳＭＰＴＥ２９２Ｍ規格で規定される有線の伝送路から受信するとともに、前記一定の情報単位の情報信号毎に付加されている時間情報に基づいて一定の情報単位の情報信号毎に遅延して出力し、所定の単位の情報信号を誤り訂正信号が付加された単位毎に前記誤り訂正信号に基づいて信号の誤り訂正を行う構成を備えた受信装置。
【請求項３７】
１つの同期信号と、一定の情報単位が圧縮された情報信号を複数個集めたものを１つの集合情報単位としてＳＭＰＴＥ２５９ＭあるいはＳＭＰＴＥ２９２Ｍ規格で規定される有線の伝送路から受信するとともに、前記一定の情報単位の情報信号毎に付加されている時間情報に基づいて一定の情報単位の情報信号毎に遅延して出力する構成を備えた受信装置。
【請求項３８】
受信する情報信号は複数種類ある請求項３６又は請求項３７記載の受信装置。
【請求項３９】
１つの同期信号と、情報量が圧縮された一定の情報単位の圧縮情報信号と情報量が圧縮されていない一定の情報単位の非圧縮情報信号とを含む情報信号を複数個集めたものを１つの集合情報単位としてＳＭＰＴＥ２５９ＭあるいはＳＭＰＴＥ２９２Ｍ規格で規定される有線の伝送路から受信するとともに、前記一定の情報単位の情報信号毎に付加されている時間情報に基づいて一定の情報単位の情報信号毎に遅延して出力し、所定の単位の情報信号を誤り訂正信号が付加された単位毎に前記誤り訂正信号に基づいて信号の誤り訂正を行う構成を備えた受信装置。
【請求項４０】
１つの同期信号と、情報量が圧縮された一定の情報単位の圧縮情報信号と情報量が圧縮されていない一定の情報単位の非圧縮情報信号とを含む情報信号を複数個集めたものを１つの集合情報単位としてＳＭＰＴＥ２５９ＭあるいはＳＭＰＴＥ２９２Ｍ規格で規定される有線の伝送路から受信するとともに、前記一定の情報単位の情報信号毎に付加されている時間情報に基づいて一定の情報単位の情報信号毎に遅延して出力する構成を備えた受信装置。
【請求項４１】
１つの同期信号と、一定の情報単位が圧縮された情報信号を複数個集めたものを１つの集合情報単位としてＳＭＰＴＥ２５９ＭあるいはＳＭＰＴＥ２９２Ｍ規格で規定される有線の伝送路から受信するとともに、前記一定の情報単位の情報信号毎に付加されている時間情報に基づいて一定の情報単位の情報信号毎に遅延して出力し、所定の単位の情報信号を誤り訂正信号が付加された単位毎に前記誤り訂正信号に基づいて信号の誤り訂正を行う受信方法。
【請求項４２】
１つの同期信号と、一定の情報単位が圧縮された情報信号を複数個集めたものを１つの集合情報単位としてＳＭＰＴＥ２５９ＭあるいはＳＭＰＴＥ２９２Ｍ規格で規定される有線の伝送路から受信するとともに、前記一定の情報単位の情報信号毎に付加されている時間情報に基づいて一定の情報単位の情報信号毎に遅延して出力する受信方法。
【請求項４３】
受信する情報信号は複数種類ある請求項４１又は請求項４２記載の受信方法。
【請求項４４】
１つの同期信号と、情報量が圧縮された一定の情報単位の圧縮情報信号と情報量が圧縮されていない一定の情報単位の非圧縮情報信号とを含む情報信号を複数個集めたものを１つの集合情報単位としてＳＭＰＴＥ２５９ＭあるいはＳＭＰＴＥ２９２Ｍ規格で規定される有線の伝送路から受信するとともに、前記一定の情報単位の情報信号毎に付加されている時間情報に基づいて一定の情報単位の情報信号毎に遅延して出力し、所定の単位の情報信号を誤り訂正信号が付加された単位毎に前記誤り訂正信号に基づいて信号の誤り訂正を行う受信方法。
【請求項４５】
１つの同期信号と、情報量が圧縮された一定の情報単位の圧縮情報信号と情報量が圧縮されていない一定の情報単位の非圧縮情報信号とを含む情報信号を複数個集めたものを１つの集合情報単位としてＳＭＰＴＥ２５９ＭあるいはＳＭＰＴＥ２９２Ｍ規格で規定される有線の伝送路から受信するとともに、前記一定の情報単位の情報信号毎に付加されている時間情報に基づいて一定の情報単位の情報信号毎に遅延して出力する受信方法。
【請求項４６】
請求項１〜請求項１９のいずれかに記載の送信装置と請求項２７〜請求項４０のいずれかに記載の受信装置とで構成された送受信装置。
【請求項４７】
請求項２０〜請求項２６のいずれかに記載の送信方法と請求項４１〜請求項４５のいずれかに記載の受信方法とで構成された送受信方法。
【発明の詳細な説明】
【０００１】
【発明の属する技術分野】
本発明は、デジタル映像・音声などの信号を伝送するためにそのデジタル信号を取り扱う送信装置、受信装置及びこれらからなる伝送システムに関するものである。
【０００２】
【従来の技術】
従来、デジタル映像・音声などの信号を伝送するための送信装置、受信装置などについては特開平２−２７０４３０号公報に記載されているようなものがある。
【０００３】
図３１は従来のディジタル信号送信装置および受信装置を用いた伝送システムを示す概略構成図を示すものであり、同図において、１０３は合成回路で、ディジタルオーディオ信号入力端子１０１に供給される１６ビット長のデータと、コントロール信号入力端子１０２に供給される複数のコントロール信号を各ビットデータを所定の順序に並び替える。１０４は符号化回路で、この符号化回路１０４では計１７ビットのデータに対して８ビットの誤り検出および訂正符号を生成し、一定の領域に付加して２５ビットのシリアルデータを生成する。１０５は変調・同期付加回路で、上記２５ビットのシリアルデータが入力されるとともに、この変調・同期付加回路１０５において、まずパリティチェックビットＰが生成付加されたのち、バイフェーズマーク変調が施され、さらに同期信号としてのプリアンブルＳＹＮＣが付加されてフォーマット化されたデータとして出力される。以上の端子１０１、１０２および各回路１０３、１０４、１０５によりディジタル信号送信装置Ａが構成されている。
【０００４】
１０６は伝送路で、同軸ケーブルもしくは光ファイバケーブルを利用する。１０７は同期検出・復調回路で、上記伝送路１０６を介して伝送されるデータが入力される。ここでは、同期プリアンブル信号ＳＹＮＣが検出されるとともにクロックが抽出され、このクロックを利用して復調がなされる。その復調データはパリティチェックビットＰを用いて誤り検出がなされる。１０８は復号化回路で、この復号化回路１０８では誤り訂正符号チェックを利用して伝送路１０６上で生じた誤りを訂正し、また誤りを検出できたが訂正できない誤りについては必要に応じて補間などの処理をおこなうためのフラグを出力する。
【０００５】
１０９は分離回路で、ここで、ディジタルオーディオサンプルとコントロール信号が分離されて、それぞれの出力端子１１０、１１１から出力される。以上の各回路１０７、１０８、１０９および端子１１０、１１１によりディジタル信号受信装置Ｂが構成されている。
【０００６】
【発明が解決しようとする課題】
しかしながら、上記従来の伝送システムでは１つの集合情報単位に多数の情報信号を含めることができず、情報信号の伝送を効率よく行うことができない。
【０００７】
そこで、本発明の送信装置又は送信方法と受信装置又は受信方法とさらにこれからなる伝送システム又は伝送方法は１つの集合情報単位に多数の情報信号を含めることができ、情報信号の伝送を効率よく行うことを目的とする。
【０００８】
【課題を解決するための手段】
上記課題を解決するために、本発明の送信装置は入力された情報信号の情報量を圧縮し一定の情報単位毎に出力する圧縮手段と、前記圧縮手段の出力信号を複数単位集めるとともにこれに一つの同期信号を付加する同期信号付加手段とを備え、前記同期信号付加手段の出力信号を送信する構成とした。
【０００９】
一方本発明の受信装置は一つの同期信号と複数単位の圧縮された情報信号とを１つの集合情報単位として受信するとともに受信された信号のうち同期信号を除去する同期信号除去手段と、前記同期信号除去手段の出力信号のうち圧縮された映像信号を一単位毎に伸張する伸張手段とを備えた構成とした。
【００１０】
このような送信装置と受信装置とにより伝送システムを構築した。
【００１１】
【発明の実施の形態】
以下に本発明の実施の形態を図面を用いて説明する。
【００１２】
（実施の形態１）
図１は本発明の第１の実施の形態である伝送システム及びこれを構成する送信装置と受信装置とを示した図である。
【００１３】
図１において、１は入力されたデジタルの映像入力信号を一定の情報単位である１ブロック（本実施の形態では１ブロック＝７７バイトである）毎に直交変換の一種である離散コサイン変換（空間座標値を周波数に変換）して出力する離散コサイン変換手段（ＤＣＴ（Discrete Cosine Transform）手段）であり、該手段の変換前にランダムに分布していた映像信号の画素値（例えば、輝度の値）を、変換後に低周波項に大きな項が集中する性質を利用して、後に高周波項を取り除く操作により情報圧縮動作を行えるようにするものである。２は入力された離散コサイン変換手段１の出力信号を１ブロック毎に量子化（語長の打ち切り）をする量子化手段であり、離散コサイン変換手段１の出力信号の各係数をある除数（量子化ステップ）で割り算し、余りを丸める動作を行うものである。３は入力された量子化手段２の出力信号を可変長符号に変換する可変長符号化手段であり、量子化手段２の出力信号を予め出現確率などに基づいて決定されており、１単位の長さが一定でない可変長符号に変換する。この離散コサイン変換手段１、量子化手段２、可変長符号化手段３により入力されたデジタル映像信号の情報量を圧縮し、一定の情報単位であるブロック毎に出力する圧縮手段４を構成している。  ５は入力された可変長符号化手段の出力信号を複数ブロック分集め、これに同期信号を付加する同期信号付加手段であり、複数ブロックの映像信号に一つの同期信号を付加したものを一つの集合情報単位として伝送路である同軸ケーブル６に出力（送信）する。
【００１４】
７は入力（受信）された一つの集合情報単位の信号のうち同期信号を除去する同期信号除去手段である。８は入力された同期信号除去手段７の出力信号（可変長符号）を可変長符号化される前のデジタル信号に復号する可変長復号化手段であり、同期信号除去手段７の出力信号（可変長符号）を予め出現確率などに基づいて決定された規則に従って可変長符号化される前のデジタル映像信号に復号する。
【００１５】
９は入力された可変長復号化手段８の出力信号を１ブロック毎に逆量子化（語長を元に戻すこと）をする逆量子化手段であり、可変長復号化手段８の出力信号を１ブロック毎に各係数に量子化ステップを掛ける。１０は入力された逆量子化手段９の出力信号を離散コサイン逆変換（周波数を空間座標値に変換）して出力する離散コサイン逆変換手段（ＩＤＣＴ（Inverse Discrete Cosine Transform）手段）である。この可変長復号化手段８、逆量子化手段９、離散コサイン逆変換手段１０により伸張手段１１を構成している。
【００１６】
すなわち、本発明の送信装置若しくは送信方法においては、１つの同期信号と一定の情報単位である１ブロックの情報信号である映像信号を複数個集め、これを１つの集合情報単位として出力（送信）している。なお、本実施の形態の送信装置若しくは送信方法では情報信号としてデジタル映像信号を用い、このデジタル映像信号の情報量の圧縮を行っている。
【００１７】
一方、本発明の受信装置若しくは受信方法においては、１つの同期信号と一定の情報単位である１ブロックの情報信号である映像信号を複数個集め、これを１つの集合情報単位として入力（受信）している。なお、本実施の形態の受信装置若しくは受信方法では、情報信号としてデジタル映像信号を用い、このデジタル映像信号の伸張を行っている。
【００１８】
このような送信装置若しくは送信方法と受信装置若しくは受信方法とにより伝送路を介して伝送システム若しくは伝送方法を構成している。
【００１９】
以上のような伝送システム若しくは伝送方法及びこれを構成する送信装置若しくは送信方法と受信装置若しくは受信方法とにより送受信されるデータ形式を図２を用いて説明する。
【００２０】
図２は１つの集合情報単位におけるデータ形式を表した図である。図２（ａ）において、情報信号ａ（映像信号ａ）、情報信号ｂ（映像信号ｂ）、情報信号ｃ（映像信号ｃ）、情報信号ｄ（映像信号ｄ）は映像入力信号の情報量を圧縮しブロック化したものであり、１ブロックの情報信号を表している。この１ブロックの情報信号を複数個集め、これに１つの同期信号を付加して一つ集合情報単位の信号を形成している。なお、図２（ａ）においては同期信号と情報信号とが１つの集合情報単位のすべてを占めていないが、図２（ｂ）に示すように同期信号と情報信号が１つの集合情報単位のすべてを占めるようにしてもよい。さらに図２（ｃ）に示すように１つの集合情報単位に同期信号と情報信号とこれら以外に映像信号自体ではないが必要となる情報を補助データ信号として含め、この集合情報単位毎に送受信してもかまわない。
【００２１】
このような構成にすることにより、１つの集合情報単位に多数の情報信号を含めることができ信号の伝送を効率よく行うことができる。
【００２２】
なお、本実施の形態では、離散コサイン変換手段１、量子化手段２、可変長符号化手段３により圧縮手段４を構成したが、情報信号を圧縮できるものであれば他のものでもよい。
【００２３】
また、本実施の形態では、伝送路として同軸ケーブルを用いたが、光ファイバ、平行フィーダ、他の導線などの他の有線によるものでも、通信などの無線によるものでもかまわない。
【００２４】
また、本実施の形態では、情報信号として映像信号を用いているが他の情報信号でも同様の効果が得られる。
【００２５】
（実施の形態２）
図３は本発明の第２の実施の形態である伝送システム若しくは伝送方法及びこれを構成する送信装置若しくは送信方法と受信装置若しくは受信方法とを示した図である。なお、上記実施の形態において既に説明したものは同じ符号を用い、その説明を省略する。
【００２６】
図３において、１２は入力された可変長符号化手段３の出力信号の一定の情報単位である１ブロック毎の映像信号に誤り訂正符号（error correction code）を付加するＥＣＣ（error correction code）エンコーダであり、この誤り訂正符号に基づいて受信装置は符号誤りを検出又は訂正する。なお、本実施の形態では誤り訂正符号としてリードソロモン符号を用いている。１３は入力されたＥＣＣエンコーダ１２の出力信号を複数ブロック分集め、これに同期信号を付加する同期信号付加手段であり、複数ブロックの映像信号に一つの同期信号を付加したものを一つの集合情報単位として伝送路である同軸ケーブル６に出力（送信）する。
【００２７】
１４は入力された同期信号除去手段７の出力信号の一定の情報単位である１ブロック毎の誤り訂正符号に基づいて符号化された映像信号の誤りを検出・訂正するＥＣＣ（error correction code）デコーダである。１５は入力されたＥＣＣデコーダ１４の出力信号（可変長符号）を可変長符号化される前のデジタル信号に復号する可変長復号化手段であり、ＥＣＣデコーダ１４の出力信号（可変長符号）を予め出現確率などに基づいて決定された規則に従って可変長符号化される前のデジタル映像信号に復号する。
【００２８】
すなわち、本発明の送信装置若しくは送信方法においては、入力された情報信号である映像信号の情報量を圧縮し一定の情報単位毎に出力する圧縮手段４と、圧縮手段４の出力信号をｎ単位（ｎは１以上の自然数であり、本実施の形態ではｎ＝１としている）集めて誤り訂正符号を付加するＥＣＣエンコーダ１２と、ＥＣＣエンコーダ１２の出力信号を複数単位集めるとともにこれに一つの同期信号を付加する同期信号付加手段１３とを備え、同期信号付加手段１３の出力信号を送信する構成としている。さらに要約すれば、所定の単位の情報信号（本実施の形態では、１ブロックの映像信号）をｎ単位（ｎは１以上の自然数であり、本実施の形態ではｎ＝１としている）毎に誤り訂正信号を付加して小集合情報単位とし、さらに１つの同期信号とこの小集合情報単位の情報信号を複数個集めたものを１つの集合情報単位として送信する構成とした。
【００２９】
一方、本発明の受信装置若しくは受信方法においては、一つの同期信号と複数単位の圧縮された情報信号である映像信号とを１つの集合情報単位として受信するとともに受信された信号のうち同期信号を除去する同期信号除去手段７と、同期信号除去手段７の出力信号のうち誤り訂正符号が付加された小集合情報単位毎に当該誤り訂正符号に基づいて映像信号の誤り訂正を行うＥＣＣデコーダ１４と、ＥＣＣデコーダ１４の出力信号のうち圧縮された映像信号を一単位毎に伸張する伸張手段１１とを備えた構成とした。さらに要約すれば、１つの同期信号と一定の情報単位の情報信号を複数個集めたものを１つの集合情報単位として受信するとともに、所定の単位の情報信号（本実施の形態では、１ブロックの映像信号）を誤り訂正信号が付加された単位毎（本実施の形態では、１ブロック毎）に誤り訂正符号に基づいて信号の誤り訂正を行う構成とした。
【００３０】
このような送信装置若しくは送信方法と受信装置若しくは受信方法とにより伝送路を介して伝送システム若しくは伝送方法を構成している。
【００３１】
以上のような伝送システム若しくは伝送方法及びこれを構成する送信装置若しくは送信方法と受信装置若しくは受信方法とにより送受信されるデータ形式を図４を用いて説明する。
【００３２】
図４は１つの集合情報単位におけるデータ形式を表した図である。図４（ａ）において、情報信号ａ（映像信号ａ）、情報信号ｂ（映像信号ｂ）、情報信号ｃ（映像信号ｃ）、情報信号ｄ（映像信号ｄ）は映像入力信号の情報量を圧縮しブロック化したものであり、１ブロックの情報信号を表している。この１ブロックの情報信号の各々に誤り訂正信号（誤り訂正符号）を付加したものを複数個集め、これに１つの同期信号を付加して一つの集合情報単位の信号を形成している。なお、図４（ａ）においては同期信号と誤り訂正信号を加えた信号情報信号が１つの集合情報単位のすべてを占めていないが、図４（ｂ）に示すように同期信号と誤り訂正信号を加えた情報信号が１つの集合情報単位のすべてを占めるようにしてもよい。さらに図４（ｃ）に示すように１つの集合情報単位に同期信号、情報信号、誤り訂正信号とこれら以外に映像信号自体ではないが必要となる情報を補助データ信号として含めて送受信してもかまわない。
【００３３】
このような構成にすることにより、誤りの発生する頻度を低下させ、情報信号を圧縮せずに信号を出力（送信）する場合（以下、非圧縮系という）、若干の誤りは視覚上気がつきにくいが、情報信号を圧縮して信号を出力（送信）する場合（以下、圧縮系という）、無視できなくなる誤りが発生する頻度を下げることができる。
【００３４】
例えば、１エリアの１箇所に誤りが生じた場合、非圧縮系では図５（ａ）に示すように誤り箇所が１つの点であり、この誤りは視覚上気がつきにくいが、圧縮系では図５（ｂ）〜図５（ｄ）に示すように誤り箇所が１エリアの全体に及び、誤りが無視できなくなる。なお、図５（ａ）は非圧縮系において１カ所で誤りが起きた場合を表した概念図であり、図５（ｂ）は圧縮系において１カ所で誤りが起きた場合であって、画素の正方形の領域を１つのエリアとして扱った場合を示す概念図であり図５（ｃ）は圧縮系において１カ所で誤りが起きた場合であって、画素の１ラインの領域を１つのエリアとして扱った場合を示す概念図であり、図５（ｄ）は圧縮系において１カ所で誤りが起きた場合であって、画面全体の領域を１つのエリアとして扱った場合を示す概念図である。いずれも、黒点は誤りが起きた箇所を表し、網掛け部分は誤りが起きた部分（黒点部分）によって映像に影響を受けた領域を表している。
【００３５】
特に、有線で信号を伝送するシステム（以下、有線系という）を代表する同軸ケーブルや光ケーブルにおいて、伝送路で誤りの発生する頻度は一般に１×１０-12といわれており、従来、非圧縮系においては視覚上誤りが発生しない（誤りフリー）と見なされてきたが、本発明においては圧縮された信号に誤りが生じた際の上記のように１つの誤りが他の領域に影響することを鑑み、さらに誤り発生の頻度を下げ、このような影響を実質上無視できる程度にまでできる。
【００３６】
なお、本実施の形態では１ブロック毎の映像信号に誤り訂正符号を付加したが図４（ｄ）、（ｅ）のように情報信号２ブロック（２単位、すなわち、ｎ＝２）ごとに誤り訂正信号を付加するなど複数単位毎の映像信号に誤り訂正符号を付加しても同様の効果が得られる。
【００３７】
（実施の形態３）
図６は本発明の第３の実施の形態である伝送システム若しくは伝送方法及びこれを構成する送信装置若しくは送信方法と受信装置若しくは受信方法とを示した図である。なお、上記実施の形態において既に説明したものは同じ符号を用い、その説明を省略する。
【００３８】
図６において、１ａ、１ｂ、１ｃは離散コサイン変換手段であり、２ａ、２ｂ、２ｃは量子化手段であり、３ａ、３ｂ、３ｃは可変長符号化手段であり、これらにより圧縮手段４ａ〜４ｃが構成される。１６は入力された可変長符号化手段３ａ、３ｂ、３ｃの出力信号を一旦蓄積し、逐次可変長符号化手段３ａ、３ｂ、３ｃの出力信号を選択し、直列にして出力する合成手段である。１７は合成手段１６の出力信号のうち一定の情報単位である１ブロック毎の映像信号に誤り訂正符号（error correction code）を付加するＥＣＣ（error correction code）エンコーダであり、この誤り訂正符号に基づいて受信装置は符号誤りを検出又は訂正する。なお、本実施の形態では誤り訂正符号としてリードソロモン符号を用いている。
【００３９】
１９ａ、１９ｂ、１９ｃは可変長復号化手段であり、９ａ、９ｂ、９ｃは逆量子化手段であり、１０ａ、１０ｂ、１０ｃは離散コサイン逆変換手段であり、これらにより伸張手段１１ａ〜１１ｃが構成される。１８は入力されたＥＣＣデコーダ１４の出力信号を合成手段１６が選択した規則に従って各伸張手段に分配する分配手段である。１９ａ〜１９ｃは入力された分配手段１８の出力信号（可変長符号）を可変長符号化される前のデジタル信号に復号する可変長復号化手段であり、分配手段１９ａ〜１９ｃの出力信号（可変長符号）を予め出現確率などに基づいて決定された規則に従って可変長符号化される前のデジタル映像信号に復号する。
【００４０】
すなわち、本発明の送信装置若しくは送信方法においては、入力された映像信号の情報量を圧縮し一定の情報単位であるブロック毎に出力する圧縮手段４ａ〜４ｃを複数有し、複数の圧縮手段４ａ〜４ｃの各々の出力信号をブロック毎に選択しかつ直列にして出力する合成手段と、前記合成手段の出力信号をｎ単位（ｎは１以上の自然数）集めて誤り訂正信号を付加するＥＣＣエンコーダと、前記ＥＣＣエンコーダの出力信号を複数単位集めるとともにこれに一つの同期信号を付加する同期信号付加手段とを備え、前記同期信号付加手段の出力信号を送信する構成とした送信装置若しくは送信方法であり、情報信号である映像信号が複数種類存在するようにしたものである。
【００４１】
一方、本発明の受信装置若しくは受信方法においては、一つの同期信号と複数単位の圧縮された映像信号とを１つの集合情報単位として受信するとともに受信された信号のうち同期信号を除去する同期信号除去手段７と、同期信号除去手段７の出力信号のうち誤り訂正信号を付加された単位毎に誤り訂正信号に基づいて信号の誤り訂正を行うＥＣＣデコーダ１４と、ＥＣＣデコーダ１４の出力信号を合成された規則に従って分配する分配手段１８と、分配手段１８の出力信号のうち情報量が圧縮された映像信号を一情報単位毎に伸張する伸張手段１１ａ〜１１ｃとを備えた受信装置若しくは受信方法であり、情報信号である情報信号が複数種類あるようにしたものである。
【００４２】
このような送信装置若しくは送信方法と受信装置若しくは受信方法とにより伝送路を介して伝送システム若しくは伝送方法を構成している。
【００４３】
以上のような伝送システム若しくは伝送方法において以下にその動作を説明する。
【００４４】
すなわち、本発明の送信装置若しくは送信方法では、デジタル映像入力信号ａ〜ｃは平行に各々圧縮手段４ａ〜４ｃに入力され情報量が圧縮されかつブロック毎に出力される。圧縮手段４ａ〜４ｃの各々の出力信号は合成手段１６により一旦蓄積され、ブロック毎に逐次選択されて、直列にＥＣＣエンコーダ１７に出力される。合成手段１６の出力信号はＥＣＣエンコーダ１７によりｎ単位のブロック毎に誤り訂正符号が付され、同期信号付加手段１３により同期信号が付加される。
【００４５】
一方、本発明の受信装置若しくは受信方法では、受信信号のうち同期信号除去手段７で同期信号が除去され、ＥＣＣデコーダ１４で誤り訂正符号に基づいて信号の誤り訂正が行われる。ＥＣＣデコーダ１４の出力信号は分配手段１８により合成手段１６が選択した規則に従って各伸張手段に分配され、平行に各々伸張手段１１ａ〜１１ｃに入力される。これにより、分配手段１８の出力信号は伸張されてデジタル映像出力信号ａ〜ｃとなる。
【００４６】
以上のような伝送システム若しくは伝送方法及びこれを構成する送信装置若しくは送信方法と受信装置若しくは受信方法とにより送受信されるデータ形式を図７を用いて説明する。
【００４７】
図７は１つの集合情報単位におけるデータ形式を表した図である。図７（ａ）において、情報信号ａ（映像信号ａ）、情報信号ｂ（映像信号ｂ）、情報信号ｃ（映像信号ｃ）は映像入力信号ａ、映像入力信号ｂ、映像入力信号ｃの情報量を圧縮しブロック化した信号であり、１ブロックの情報信号を表している。この１ブロックの情報信号の各々に誤り訂正信号（誤り訂正符号）を付加したものを複数個集め、これに１つの同期信号を付加して一つの集合情報単位の信号を形成している。なお、図７（ａ）においては同期信号と誤り訂正信号を加えた情報信号が１つの集合情報単位のすべてを占めていないが、図７（ｂ）に示すように同期信号と誤り訂正信号を加えた情報信号が１つの集合情報単位のすべてを占めるようにしてもよい。さらに図７（ｃ）に示すように１つの集合情報単位に同期信号、情報信号、誤り訂正信号とこれら以外に映像信号自体ではないが必要となる情報を補助データ信号として含めて送受信してもかまわない。
【００４８】
このような構成にすることにより、複数の情報（信号）源を１つの集合情報単位に含めることができ信号の伝送を効率よく行うことができる。
【００４９】
なお、合成手段１６はデジタル映像入力信号ａ〜ｃのどの映像入力信号に該当するのか識別する識別信号を所定の単位であるブロック毎に付す構成とし、分配手段１８は合成手段１６がブロック毎に付した識別信号に基づいて映像信号ａ〜ｃを分配する構成としてもよい。
【００５０】
また、本実施の形態では１ブロック毎の映像信号に誤り訂正符号を付加したが図７（ｄ）、（ｅ）のように情報信号２ブロック（２単位）ごとに誤り訂正信号を付加するなど複数単位毎の映像信号に誤り訂正符号を付加しても同様の効果が得られる。
【００５１】
また、本実施の形態では（実施の形態２）に基づき誤り訂正符号を用いた例を示したが、誤り訂正符号を用いない（実施の形態１）のものでも同様の効果が得られる。
【００５２】
（実施の形態４）
図８は本発明の第４の実施の形態である伝送システム若しくは伝送方法及びこれを構成する送信装置若しくは送信方法と受信装置若しくは受信方法とを示した図である。なお、上記実施の形態において既に説明したものは同じ符号を用い、その説明を省略する。
【００５３】
図８において、２０は１フレーム単位あたりのデジタル音声入力信号をその１フレーム単位の中で時系列的な配列を入れ換えて出力するシャフリング手段であり、これが非圧縮手段２６を形成している。２１は入力された可変長符号化手段３の出力信号とシャフリング手段２０の出力信号とを一旦蓄積し、逐次選択し、直列にして出力する合成手段である。
【００５４】
２３は入力されたＥＣＣデコーダ１４の出力信号を合成手段２１が選択した規則に従ってデシャフリング手段２４又は伸張手段１１に分配する分配手段である。２４は入力された分配手段２３の出力信号であって１フレーム単位あたりのデジタル音声入力信号をその１フレーム単位の中で時系列的な配列を入れ換わった音声データを元に戻すデシャフリング手段であり、これが非伸張手段２７を構成している。
【００５５】
すなわち、送信装置若しくは送信方法においては、入力された情報信号である映像信号の情報量を圧縮し一定の情報単位毎に出力する圧縮手段４と、入力された情報信号である音声信号を圧縮せずに一定の情報単位毎に出力する非圧縮手段２６と、圧縮手段４及び非圧縮手段２６の各々の出力信号を一定の情報単位であるブロック毎に選択しかつ直列にして出力する合成手段２１と、合成手段２１の出力信号をｎ単位（ｎは１以上の自然数）集めて誤り訂正信号を付加するＥＣＣエンコーダ２２と、ＥＣＣエンコーダ２２の出力信号を複数ブロック集めるとともにこれに一つの同期信号を付加する同期信号付加手段１３とを備え、同期信号付加手段１３の出力信号を送信する構成としており、その特徴は情報信号は情報量が圧縮された一定の情報単位であるブロックの圧縮情報信号と情報量が圧縮されていない一定の情報単位であるブロックの非圧縮情報信号とから構成されていることにある。
【００５６】
一方、受信装置若しくは受信方法においては、一つの同期信号と複数ブロックの圧縮された情報信号とを１つの集合情報単位として受信するとともに受信された信号のうち同期信号を除去する同期信号除去手段７と、同期信号除去手段７の出力信号のうち誤り訂正信号を付加された単位毎に誤り訂正信号に基づいて信号の誤り訂正を行うＥＣＣデコーダ１４と、ＥＣＣデコーダ１４の出力信号を合成された規則に従って分配する分配手段２３と、分配手段２３の出力信号のうち情報量が圧縮された情報信号を一単位毎に伸張する伸張手段１１と、分配手段２３の出力信号のうち情報量が圧縮されていない音声信号を出力する非伸張手段２７とを備えており、その特徴は情報信号は情報量が圧縮された一定の情報単位の圧縮情報信号と情報量が圧縮されていない一定の情報単位の非圧縮情報信号とから構成されところにある。
【００５７】
このような送信装置若しくは送信方法と受信装置若しくは受信方法とにより伝送路を介して伝送システム若しくは伝送方法を構成している。
【００５８】
以上のような伝送システム若しくは伝送方法において以下にその動作を説明する。
【００５９】
すなわち、送信装置若しくは送信方法では、デジタル映像入力信号は圧縮手段４に入力されて情報量が圧縮される。一方デジタル音声入力信号は情報量が圧縮されずにでシャフリング手段から出力される。圧縮手段４及びシャフリング手段２０の出力信号は合成手段２１により一旦蓄積され、逐次選択されて、直列にＥＣＣエンコーダ２２に出力される。合成手段２１の出力信号はＥＣＣエンコーダ２２において誤り訂正符号が付され、同期信号付加手段１３により同期信号が付加される。
【００６０】
一方、受信装置若しくは受信方法では、受信信号のうち同期信号除去手段７で同期信号が除去され、ＥＣＣデコーダ１４で誤り訂正符号に基づいて信号の誤り訂正が行われる。ＥＣＣデコーダ１４の出力信号は分配手段２３により合成手段２１が選択した規則に従って伸張手段１１又はデシャフリング手段２４に分配され、平行に伸張手段１１又はデシャフリング手段２４に入力される。これにより、分配手段２３の出力信号のうち映像信号は伸張されてデジタル映像出力信号となり、音声信号は伸張されずにデジタル音声出力信号となる。
【００６１】
以上のような伝送システム若しくは伝送方法及びこれを構成する送信装置若しくは送信方法と受信装置若しくは受信方法とにより送受信されるデータ形式を図９を用いて説明する。
【００６２】
図９は１つの集合情報単位におけるデータ形式を表した図である。図９（ａ）において、圧縮情報信号ａ（映像信号ａ）、圧縮情報信号ｂ（映像信号ｂ）、圧縮情報信号ｃ（映像信号ｃ）は映像入力信号の情報量を圧縮しブロック化した信号であり、非圧縮情報信号（音声信号）は音声入力信号を非圧縮でブロック化した信号であり、１ブロックの情報信号を表している。この１ブロックの情報信号の各々に誤り訂正信号（誤り訂正符号）を付加したものを複数個集め、これに１つの同期信号を付加して一つ集合情報単位の信号を形成している。なお、図９（ａ）においては同期信号と誤り訂正信号を加えた情報信号が１つの集合情報単位のすべてを占めていないが、図９（ｂ）に示すように同期信号と誤り訂正信号を加えた情報信号が１つの集合情報単位のすべてを占めるようにしてもよい。さらに図９（ｃ）に示すように１つの集合情報単位に同期信号、情報信号、誤り訂正信号とこれら以外に映像信号自体ではないが必要となる情報を補助データ信号として含めて送受信してもかまわない。
【００６３】
このような構成にすることにより、複数の情報（信号）源を１つの集合情報単位に含めることができ信号の伝送を効率よく行うことができる。
【００６４】
なお、合成手段２１はデジタル映像入力信号ａ〜ｃのどの映像入力信号に該当するのか識別する識別信号を所定の単位であるブロック毎に付す構成とし、分配手段２３は合成手段２１がブロック毎に付した識別信号に基づいて映像信号ａ〜ｃを分配する構成としてもよい。
【００６５】
また、本実施の形態では１ブロック毎の映像信号に誤り訂正符号を付加したが図９（ｄ）、（ｅ）のように情報信号２ブロック（２単位）ごとに誤り訂正信号を付加するなど複数単位毎の映像信号又は音声信号に誤り訂正符号を付加しても同様の効果が得られる。
【００６６】
また、本実施の形態では（実施の形態２）に基づき誤り訂正符号を用いた例を示したが、誤り訂正符号を用いない（実施の形態１）のものでも同様の効果が得られる。
【００６７】
（実施の形態５）
図１０は本発明の第５の実施の形態である伝送システム若しくは伝送方法及びこれを構成する送信装置若しくは送信方法と受信装置若しくは受信方法とを示した図である。なお、上記実施の形態において既に説明したものは同じ符号を用い、その説明を省略する。
【００６８】
図１０において、２８はＥＣＣエンコーダ１２への入力信号がＥＣＣエンコーダ１２に入力された時間を表す情報（以下、時間情報（Ｔｉｍｅ  Ｓｔａｍｐ）という（以下、ＴＳと略す））を一定の情報単位（以下、ブロックという）毎に認識して付加する時間情報付加手段であり、ＥＣＣエンコーダ１２の入力信号にブロック毎に時間情報を付加してＥＣＣエンコーダ１２に入力する。ここで、ＥＣＣエンコーダ１２はＥＣＣエンコーダ１２の入力信号のブロック毎に時間情報を付加し、この時間情報が付加されたブロック毎に誤り訂正符号を付加した信号をバッファ２９に出力する。２９はＥＣＣエンコーダ１２と同期信号付加手段１３との間に設けられ、ＥＣＣエンコーダ１２の出力信号を一旦蓄積するために設けられたバッファであり、バッファ２９はＥＣＣエンコーダ１２の出力信号を蓄積し、一定時間内に蓄積された情報を１つの集合単位として同期信号付加手段１３に出力する。本実施の形態では一定時間を１ライン周期としている。なお、バッファ２９は１つの集合情報単位に相当する量の情報が蓄積されるとその集合情報単位をひとまとまりにして同期信号付加手段１３に出力する構成としてもよい。
【００６９】
一方、ＥＣＣエンコーダ１２を用いない場合は、時間情報付加手段２８は圧縮手段４の出力信号が出力された時間情報（ＴＳ）をブロック毎に認識する構成とし、圧縮手段４の出力信号にブロック毎に時間情報を付加してバッファ２９に出力する。バッファ２９は圧縮手段４と同期信号付加手段１３との間に設け、圧縮手段４の出力信号を一旦蓄積し、バッファ２９はバッファ２９の出力信号を蓄積し、一定時間内に蓄積された情報を１つの集合単位として同期信号付加手段１３に出力する構成とすればよい。
【００７０】
３０は時間情報付加手段２８により付加された時間情報をブロック毎に認識する時間情報再生手段である。この時間情報再生手段３０の指示に従ってバッファ３１はその蓄積された情報信号をブロック毎に時間情報に対応したタイミングで伸張手段１１に出力する。３１はＥＣＣデコーダ１４と伸張手段１１との間に設けられＥＣＣデコーダ１４の出力信号を一旦蓄積するために設けられたバッファである。
【００７１】
一方、ＥＣＣデコーダ１４を用いない場合は、時間情報再生手段３０は時間情報付加手段２８により付加された時間情報をブロック毎に認識する。この時間情報再生手段３０の指示に従って同期信号除去手段７の出力信号が蓄積されたバッファ３１はその蓄積された情報信号をブロック毎に時間情報に対応したタイミングで出力する。バッファ３１は同期信号除去手段７と伸長手段１１との間に設けられ、同期信号除去手段７の出力信号を一旦蓄積する構成とすればよい。
【００７２】
すなわち、送信装置若しくは送信方法においては、上記に説明した（実施の形態１）又は（実施の形態２）において圧縮手段４（ＥＣＣエンコーダ１２を用いない場合）から信号が出力された時間又はＥＣＣエンコーダ１２（ＥＣＣエンコーダ１２を用いる場合）に信号が入力された時間を表す情報をブロック毎に認識するとともに圧縮手段４（ＥＣＣエンコーダ１２を用いない場合）の出力信号又はＥＣＣエンコーダ１２（ＥＣＣエンコーダ１２を用いる場合）の入力信号に時間情報をブロック毎に付加する構成としており、その最も特徴とするところはブロック毎に時間情報を付加する構成としたことである。
【００７３】
一方、受信装置若しくは受信方法においては、上記に説明した（実施の形態１）又は（実施の形態２）において同期信号除去手段７（ＥＣＣデコーダ１４を用いない場合）又はＥＣＣデコーダ１４（ＥＣＣデコーダ１４を用いる場合）の出力信号に含まれる時間を表す情報をブロック毎に認識するとともに時間情報に基づいて同期信号除去手段７（ＥＣＣデコーダ１４を用いない場合）又はＥＣＣデコーダ１４（ＥＣＣデコーダ１４を用いる場合）の出力信号をブロック毎に遅延する構成としており、その最も特徴とするところはブロック毎に付加されている時間情報に基づいて同期信号除去手段７（ＥＣＣデコーダ１４を用いない場合）又はＥＣＣデコーダ１４（ＥＣＣデコーダ１４を用いる場合）の出力信号をブロック毎に遅延して出力する構成としたことである。
【００７４】
このような送信装置若しくは送信方法と受信装置若しくは受信方法とにより伝送路を介して伝送システム又は伝送方法を構成している。
【００７５】
以上のような伝送システムにおいて図１１を用いてその動作を説明する。
【００７６】
図１１は本発明の第５の実施の形態である伝送システムの１つの集合情報単位におけるデータ形式を表した図である。
【００７７】
図１１において、送信装置若しくは送信方法では、デジタル映像入力信号は圧縮手段４に入力されて情報量が圧縮され、一定の情報単位にブロック化されて出力される。圧縮手段４の出力信号（図１１（ａ）参照）はＥＣＣエンコーダ１２に入力される。時間情報付加手段２８はその時、すなわちＥＣＣエンコーダ１２の入力信号が入力された時間情報（ＴＳ）をブロック毎に付加する（図１１（ｂ））。ここでは、情報信号１〜情報信号３の各々に時間情報１（ＴＳ１）〜時間情報３（ＴＳ３）までを付加している。
【００７８】
つぎに、ＥＣＣエンコーダ１２において各々の情報信号１〜情報信号３と時間情報１（ＴＳ１）〜時間情報３（ＴＳ３）に誤り訂正符号が付される。ＥＣＣエンコーダ１２の出力信号（図１１（ｃ）参照）はバッファ２９に蓄積され、一定時間内（本実施の形態では１ライン周期に相当する。）に蓄積された情報を１つの集合単位として同期信号付加手段１３に出力される。バッファ２９の出力信号（図１１（ｄ））は同期信号付加手段１３に出力され同期信号が付加されたのちに伝送路を介して伝送される。
【００７９】
一方、受信装置若しくは受信方法では、受信信号のうち同期信号除去手段７で同期信号が除去された後、同期信号除去手段７の出力信号（図１１（ｅ））は、ＥＣＣデコーダ１４でブロック毎に付加された誤り訂正符号に基づいて信号の誤り訂正が行われる。時間情報再生手段３０はＥＣＣデコーダ１４の出力信号（図１１（ｆ））中の時間情報１（ＴＳ１）〜時間情報３（ＴＳ３）に基づいて情報信号１〜情報信号３がバッファ３１によって送信時に各ブロックがＥＣＣエンコーダ１２に入力されたのと同じ時間間隔になるように遅延されて出力される（図１１（ｇ））。この後、バッファ３１の出力信号は、伸張手段１１によって伸張されてデジタル映像出力信号となる。
【００８０】
このような構成にすることにより、受信側においてバースト的に送られてくる情報から時間情報付加手段２８の位置における時間的な間隔を再生しつつ１つの集合情報単位に含めることができ信号の伝送を効率よく行うことができる。
【００８１】
なお、本実施の形態では（実施の形態１）又は（実施の形態２）に時間情報付加手段２８を設けたものであるが、他の実施の形態に時間情報付加手段を設けても同様の効果が得られる。
【００８２】
（実施の形態６）
図１２は本発明の第６の実施の形態である伝送システム若しくは伝送方法及びこれを構成する送信装置若しくは送信方法と受信装置若しくは受信方法とを示した図である。なお、上記実施の形態において既に説明したものは同じ符号を用い、その説明を省略する。
【００８３】
図１２において、３９はＥＣＣエンコーダ１２の出力信号が出力される時間情報（ＴＳ）を一定の情報単位（以下、ブロックという）毎に認識して付加する時間情報付加手段であり、ＥＣＣエンコーダ１２の出力信号のブロック毎に時間情報を付加してバッファ２９に出力する。２９はＥＣＣエンコーダ１２と同期信号付加手段１３との間にＥＣＣエンコーダ１２の出力信号を一旦蓄積するために設けられたバッファであり、バッファ２９はＥＣＣエンコーダ１２の出力信号を蓄積し、一定時間内に蓄積された情報を１つの集合単位として同期信号付加手段１３に出力する。本実施の形態では一定時間を１ライン周期としている。なお、バッファ２９は１つの集合情報単位に相当する一定量の情報が蓄積されるとその集合情報単位をひとまとまりにして同期信号付加手段１３に出力する構成としてもよい。
【００８４】
一方、ＥＣＣエンコーダ１２を用いない場合は、時間情報付加手段３９は圧縮手段４の出力信号が出力される時間情報（ＴＳ）をブロック毎に認識する構成とし、圧縮手段４の出力信号にブロック毎に時間情報を付加してバッファ２９に出力する。バッファ２９は圧縮手段４と同期信号付加手段１３との間に設け、圧縮手段４の出力信号を一旦蓄積する構成とすればよい。
【００８５】
４０は時間情報付加手段３９により付加された時間情報をブロック毎に認識する時間情報再生手段である。この時間情報再生手段４０の指示に従って同期信号除去手段７の出力信号が蓄積されたバッファ３１はその蓄積された情報信号をブロック毎に時間情報に対応したタイミングでＥＣＣデコーダ１４に出力する。３１は同期信号除去手段７とＥＣＣデコーダ１４との間に同期信号除去手段７の出力信号を一旦蓄積するために設けられたバッファである。
【００８６】
一方、ＥＣＣデコーダ１４を用いない場合は、時間情報再生手段４０は時間情報付加手段３９により付加された時間情報をブロック毎に認識する。この時間情報再生手段４０の指示に従って同期信号除去手段７の出力信号が蓄積されたバッファ３１はその蓄積された情報信号をブロック毎に時間情報に対応したタイミングで出力する。バッファ３１は同期信号除去手段７と伸長手段１１との間に設け、同期信号除去手段７の出力信号を一旦蓄積する構成とすればよい。
【００８７】
すなわち、送信装置若しくは送信方法においては、上記に説明した（実施の形態１）又は（実施の形態２）において圧縮手段４（ＥＣＣエンコーダ１２を用いない場合）又はＥＣＣエンコーダ１２（ＥＣＣエンコーダ１２を用いる場合）の出力信号が出力された時間を表す情報をブロック毎に認識するとともに圧縮手段４（ＥＣＣエンコーダ１２を用いない場合）又はＥＣＣエンコーダ１２（ＥＣＣエンコーダ１２を用いる場合）の出力信号に時間情報をブロック毎に付加する構成としており、その最も特徴とするところはブロック毎に情報信号が圧縮手段４（ＥＣＣエンコーダ１２を用いない場合）又はＥＣＣエンコーダ１２（ＥＣＣエンコーダ１２を用いる場合）から出力された時間情報を付加する構成としたことである。
【００８８】
一方、受信装置若しくは受信方法においては、上記に説明した（実施の形態１）又は（実施の形態２）において時間情報に基づいて同期信号除去手段７の出力信号をブロック毎に遅延するとともに同期信号除去手段７の出力信号に含まれる時間を表す情報をブロック毎に認識する構成としており、その最も特徴とするところはブロック毎に付加されている時間情報に基づいて同期信号除去手段７の出力信号をブロック毎に遅延して出力する構成としたことである。
【００８９】
このような送信装置若しくは送信方法と受信装置若しくは受信方法とにより伝送路を介して伝送システム又は伝送方法を構成している。
【００９０】
以上のような伝送システム又は伝送方法において以下にその動作を説明する。
【００９１】
送信装置若しくは送信方法では、デジタル映像入力信号は圧縮手段４に入力されて情報量が圧縮され、一定の情報単位にブロック化されて出力される。圧縮手段４の出力信号（図１３（ａ）参照）はＥＣＣエンコーダ１２に出力される。圧縮手段４の出力信号はＥＣＣエンコーダ１２において各々の情報信号１〜情報信号３に誤り訂正符号が付される。つぎに、ＥＣＣエンコーダ１２の出力信号（図１３（ｂ）参照）は、時間情報付加手段３９によってその時、すなわちＥＣＣエンコーダ１２の出力信号が出力される時間情報（ＴＳ）をブロック毎に付加され（図１３（ｃ））バッファ２９に入力される。ここでは、情報信号１〜情報信号３の各々に時間情報１（ＴＳ１）〜時間情報３（ＴＳ３）までを付加している。
【００９２】
ＥＣＣエンコーダ１２の出力信号はバッファ２９に蓄積され、一定時間内（本実施の形態では１ライン周期に相当する。）に蓄積された情報を１つの集合単位として同期信号付加手段１３に出力される（図１３（ｄ））。バッファ２９の出力信号は同期信号付加手段１３に出力され同期信号が付加されたのちに伝送路を介して伝送される。
【００９３】
一方、受信装置若しくは受信方法では、受信信号のうち同期信号除去手段７で同期信号が除去された後、同期信号除去手段７の出力信号（図１３（ｅ））は、その出力信号中の時間情報１（ＴＳ１）〜時間情報３（ＴＳ３）に基づいて情報信号１〜情報信号３は送信時にその各ブロックがＥＣＣエンコーダ１２から出力されたのと同じ時間間隔になるようにバッファ３１で遅延され出力される。バッファ３１の出力信号（図１３（ｆ））はＥＣＣデコーダ１４に入力され、ここで誤り訂正符号に基づいて信号の誤り訂正が行われる。ＥＣＣデコーダ１４の出力信号（図１３（ｇ））は伸張手段１１により伸張されてデジタル映像出力信号となる。
【００９４】
このような構成にすることにより、受信側においてバースト的に送られてくる情報から時間情報付加手段２８における時間的な間隔を再生しつつ１つの集合情報単位に含めることができ信号の伝送を効率よく行うことができる。
【００９５】
また、時間情報は圧縮されずに伝送されるので受信後、伸張操作を行わずに即座に利用できる。
【００９６】
なお、本実施の形態では（実施の形態１）又は（実施の形態２）に時間情報付加手段２８を設けたものであるが、他の実施の形態に時間情報付加手段を設けても同様の効果が得られる。
【００９７】
（実施の形態７）
図１４は本発明の第７の実施の形態である伝送システム若しくは伝送方法及びこれを構成する送信装置若しくは送信方法と受信装置若しくは受信方法とを示した図（時間情報付加手段２８においてＥＣＣエンコーダ１２に信号が入力された時間情報を一定の情報単位（以下、ブロックという）毎に付加する場合）である。なお、上記実施の形態において既に説明したものは同じ符号を用い、その説明を省略する。
【００９８】
特に、本実施の形態（図１４及び図１５）は（実施の形態５）の時間情報付加手段２８、時間情報再生手段３０及びその時間情報の付加・再生方法について更に詳細な実施の形態を提供するものである。
【００９９】
時間情報付加手段２８は所定単位計数手段５０ａと所定単位内計数手段５１ａとにより構成される。ここで、本実施の形態にかかる発明の送信装置又は受信装置などで取り扱われる情報信号は映像信号であり、複数個集まって所定の単位を形成している。
【０１００】
所定単位計数手段５０ａはライン周期の数を計数するものであり、ＥＣＣエンコーダ１２に入力されたブロックが予め定められた基準から何番目のライン周期の時に入力されたのかを計数し、その値をＮビットで出力する。ここで、予め定められた基準とは時間の基準であって、送受信間で共通に時計を有する構成としある特定の時間を基準としてもよいし、前に送信側から受信側に送ったブロックや同期信号などの特定の信号を基準としてもよい。
【０１０１】
なお、所定単位計数手段５０ａがフレームを計数する場合には、フレームの先頭又は垂直同期信号の立ち上り若しくは立ち下りに基づいて所定単位計数手段５０ａはフレームを計数することができる。また、所定単位計数手段５０ａがフィールドを計数する場合には、フィールドの先頭又は垂直同期信号の立ち上り若しくは立ち下りに基づいて所定単位計数手段５０ａはフィールドを計数することができる。さらに、所定単位計数手段５０ａがラインを計数する場合には、ラインの先頭又は水平同期信号の立ち上り若しくは立ち下りに基づいて所定単位計数手段５０はラインを計数することができる。すなわち、送受信間で共通でありかつ一定の時間周期を計数できればよい。
【０１０２】
ここで、フレームとは画像を１画面形成する期間であって、ＮＴＳＣ方式においては２回の垂直走査する期間をいい、フィールドとはテレビジョン信号において１回の垂直走査する期間をいい、ラインとは１回の水平走査する期間をいう。
【０１０３】
所定単位内計数手段５１ａはライン周期の基準となる位置（タイミング）から現在、すなわち映像信号のブロックがエンコーダ１２に入力されるタイミングまでの時間を計数するものであり、この計数値を時間情報としてＭビットで出力するものである。
【０１０４】
なお、所定単位計数手段５０ａがフレームを計数する場合には、フレームの先頭又は垂直同期信号の立ち上り若しくは立ち下りの位置（タイミング）を固定された位置（タイミング）として、所定単位内計数手段５１ａはその固定された位置（タイミング）から現在、すなわち映像信号のブロックがエンコーダ１２に入力される位置（タイミング）までの時間を計数することができる。また、所定単位計数手段５０ａがフィールドを計数する場合には、フィールドの先頭又は垂直同期信号の立ち上り若しくは立ち下りの位置（タイミング）を固定された位置（タイミング）として、所定単位内計数手段５１ａはその固定された位置（タイミング）から現在、すなわち映像信号のブロックがエンコーダ１２に入力される位置（タイミング）までの時間を計数することができる。さらに、所定単位計数手段５０ａがラインを計数する場合には、ラインの先頭又は水平同期信号の立ち上り若しくは立ち下りの位置（タイミング）を固定された位置（タイミング）として所定単位内計数手段５１ａはその固定された位置（タイミング）から現在、すなわち映像信号のブロックがエンコーダ１２に入力される位置（タイミング）までの時間を計数することができる。
【０１０５】
従って、時間情報付加手段２８全体としては所定単位計数手段５０ａが出力するＮビットの信号を上位とし、所定単位内計数手段５１ａが出力するＭビットの信号を下位として、合計（Ｎ＋Ｍ）ビットの時間情報をＥＣＣエンコーダ１２の入力信号に付加する。
【０１０６】
一方、ＥＣＣエンコーダ１２を用いない場合は、時間情報付加手段２８は圧縮手段４の出力信号が出力された時間情報（ＴＳ）をブロック毎に認識して付加する構成とし、圧縮手段４の出力信号にブロック毎に時間情報を付加してバッファ２９ａに出力する。バッファ２９ａは圧縮手段４と同期信号付加手段１３との間に設け、圧縮手段４の出力信号を一旦蓄積し、一定時間内に蓄積された情報を１つの集合単位として同期信号付加手段１３に出力する構成とすればよい。
【０１０７】
つぎに、時間情報再生手段３０は所定単位遅延手段５２ａと所定単位内遅延手段５３ａとにより構成される。所定単位遅延手段５２ａは所定単位計数手段５０ａによって供給されたＮビットの所定単位時間情報（ＥＣＣエンコーダ１２に入力された映像信号のブロックが予め定められた基準から何番目のライン周期の時に入力されたのかを表す情報）を認識する。
【０１０８】
所定単位内遅延手段５３ａは所定単位内計数手段５１ａによって供給されたＭビットの所定単位内時間情報（ライン周期の基準となる位置、例えばラインの先頭位置（タイミング）から映像信号のブロックがＥＣＣエンコーダ１２に入力される位置（タイミング）までの時間を表す情報）を認識する。
【０１０９】
ＥＣＣデコーダ１４の出力信号が蓄積されたバッファ３１ａは、所定単位遅延手段５２ａによって認識された所定単位時間情報が表す時間情報に相当する時間タイミングを基準として、さらにそのタイミングから所定単位内遅延手段５３ａによって認識された所定単位内時間情報が表す時間情報に相当する時間、その蓄積された映像信号のブロック毎に遅延して出力する。
【０１１０】
一方、ＥＣＣデコーダ１４を用いない場合は、時間情報再生手段３０は時間情報付加手段２８により付加された時間情報をブロック毎に認識する。この時間情報再生手段３０の指示に従って同期信号除去手段７の出力信号が蓄積されたバッファ３１ａはその蓄積された情報信号をブロック毎に時間情報に対応したタイミングで出力する。バッファ３１ａは同期信号除去手段７と伸長手段１１との間に設けられ、同期信号除去手段７の出力信号を一旦蓄積する構成とすればよい。
【０１１１】
すなわち、本発明の送信装置又は送信方法は、映像信号のライン周期を所定の単位とする場合であって、情報信号である映像信号の一定の情報単位であるブロックがライン周期に発生した数、すなわち複数個集まって所定の単位であるラインをなす場合において、（実施の形態５）に記載した時間情報は、圧縮手段４（ＥＣＣエンコーダ１２を用いない場合）から出力された情報信号（映像信号）又はＥＣＣエンコーダ１２（ＥＣＣエンコーダ１２を用いる場合）に入力された情報信号（映像信号）が予め定められた基準から何番目の所定の単位（ライン周期）の時に圧縮手段４から出力又はＥＣＣエンコーダ１２に入力されたのかを表す所定単位時間情報と、その情報信号（映像信号）が所定の単位（ライン周期）の基準となる固定された位置（タイミング）であるラインの先頭位置（タイミング）から現在、すなわち圧縮手段４から出力又はＥＣＣエンコーダ１２に入力されている位置（タイミング）までの時間を表す所定単位内時間情報とにより構成されている。
【０１１２】
一方、本発明の受信装置又は受信方法は、映像信号のライン周期を所定の単位とする場合において、情報信号である映像信号の一定の情報単位であるブロックがライン周期に発生した数、すなわち複数個集まって所定の単位であるをなす場合において、（実施の形態５）に記載した時間情報は圧縮手段４（ＥＣＣエンコーダ１２を用いない場合）から出力された情報信号（映像信号）又はＥＣＣエンコーダ１２（ＥＣＣエンコーダ１２を用いる場合）に入力された情報信号（映像信号）が予め定められた基準から何番目の所定の単位（ライン周期）の時に圧縮手段４から出力又はＥＣＣエンコーダ１２に入力されたのかを表す所定単位時間情報と、その情報信号（映像信号）が所定の単位（ライン周期）の基準となる固定された位置（タイミング）であるラインの先頭位置（タイミング）から現在、すなわち圧縮手段４から出力又はＥＣＣエンコーダ１２に入力されている位置（タイミング）までの時間を表す所定単位内時間情報とにより構成され、この一定の情報単位（ブロック）の情報信号（映像信号）毎に付加されている時間情報に基づいて所定単位時間情報が表す時間（圧縮手段４（ＥＣＣエンコーダ１２を用いない場合）から出力された又はＥＣＣエンコーダ１２（ＥＣＣエンコーダ１２を用いる場合）に入力された映像信号のブロックが予め定められた基準から何番目のライン周期の時に入力されたのかを表す情報に対応する時間）に相当するタイミングを基準に、そのタイミングから所定単位内時間情報が表す時間一定の情報単位（ブロック）を遅延する構成としている。
【０１１３】
以上のような伝送システムにおいて図１５を用いてその動作を説明する。
【０１１４】
図１５は本発明の第７の実施の形態である伝送システム若しくは伝送方法の１つの集合情報単位における送信側及び受信側の動作を表した図である。
【０１１５】
送信装置若しくは送信方法では、デジタル映像入力信号は圧縮手段４に入力されて情報量が圧縮される。圧縮手段４の出力信号（図１５（ａ））はＥＣＣエンコーダ１２に出力され、時間情報付加手段２８である所定単位計数手段５０ａ及び所定単位内計数手段５１ａは、その時、すなわちＥＣＣエンコーダ１２に入力信号が入力された時間情報（ＴＳ）をブロック毎に付加する（図１５（ｂ））。ここで、時間情報付加手段２８が出力する時間情報は、所定単位計数手段５０ａが出力するＮビットの信号（図１５中、Ｎはライン番号：２、３…と記している。）を上位ビットとし、所定単位内計数手段５１ａが出力するＭビットの信号（図１５中、ＭはＴ１、Ｔ２…と記している。）を下位ビットとして構成する。なお、所定単位計数手段５０ａが出力するＮビットの信号はそのブロックが予め定められた基準から何番目のライン周期の時にＥＣＣエンコーダ１２に入力されたかを示すラインの番号を表す所定単位時間情報であり、所定単位内計数手段５１ａが出力するＭビットの信号は、ＥＣＣエンコーダ１２に入力されているブロックが属するライン周期の基準となる固定された位置（タイミング）であるラインの先頭から、そのブロックがＥＣＣエンコーダ１２に入力されている映像信号の位置（タイミング）までの時間を表す所定単位内時間情報である。また、ここでは映像信号の各々に時間情報（ＴＳ２１〜ＴＳ３３、ここで、ＴＳｎｍとはｎ、ｍともに１以上の自然数であり、ｎはブロックが何番目のライン周期の時にＥＣＣエンコーダ１２に入力されたかを示すラインの番号（所定単位時間情報に相当する）を表し、ｍはＥＣＣエンコーダ１２に入力されているブロックが属するライン周期の基準となる固定された位置（タイミング）であるラインの先頭から、そのブロックが現在ＥＣＣエンコーダ１２に入力されている映像信号の位置（タイミング）までの時間を表すものであり、ライン内時刻の番号（所定単位内情報の番号に相当する）を表している。）を付加している。つぎに、ＥＣＣエンコーダ１２において各々の映像信号と時間情報（ＴＳ２１〜ＴＳ３３）に誤り訂正符号が付される。
【０１１６】
ＥＣＣエンコーダ１２の出力信号（図１５（ｃ）参照）はバッファ２９ａに一旦蓄積され、その一定時間内に蓄積された情報を１つの集合単位として同期信号付加手段１３に出力される。  バッファ２９ａの出力信号は同期信号付加手段１３に出力され同期信号が付加されたのち（図１５（ｄ））に伝送路を介して伝送される。
【０１１７】
一方、受信装置若しくは受信方法では、受信信号（図１５（ｅ））のうち同期信号除去手段７で同期信号が除去された後、同期信号除去手段７の出力信号（図１５（ｆ））は、ＥＣＣデコーダ１４で誤り訂正符号に基づいて信号の誤り訂正が行われる。つぎに、ＥＣＣデコーダ１４の出力信号（図１５（ｇ））中の時間情報（ＴＳ２１〜ＴＳ３３）に基づいて映像信号のブロックはブロック毎に送信時に映像信号が入力されたのと同じ時間間隔になるようにバッファ３１ａによって遅延されて出力される（図１５（ｈ））。すなわち、所定単位遅延手段５２ａは、所定単位計数手段５０ａによって付加された所定単位時間情報（Ｎビット）であるライン番号を認識し、所定単位内遅延手段５３ａは所定単位内計数手段５１ａによって供給されたＭビットの時間情報（ラインの先頭から映像信号のブロックがＥＣＣエンコーダ１２に入力されている位置（タイミング）までの所定単位内情報）を認識する。この所定単位遅延手段５２ａ及び所定単位内遅延手段５３ａの指示に従ってバッファ３１ａに蓄積された映像信号のブロックはＮビットの所定単位時間情報（予め定められた基準から何番目のラインに属しているのかを表す時間情報）に相当するタイミングを基準に、そのタイミングから所定単位内時間情報（Ｔ１〜Ｔ５）（その映像信号のブロックが所属するラインの固定された位置（タイミング）（映像信号の先頭）から現在の入力されている映像信号の位置（タイミング）までの時間を表す時間情報）に相当する時間一定の情報単位（ブロック）を遅延して出力される。この後、バッファ３１ａの出力信号は、伸張されてデジタル映像出力信号となる。
【０１１８】
このような構成にすることにより、（実施の形態５）と同様の効果が得られる。
【０１１９】
なお、本実施の形態では（実施の形態２）に時間情報付加手段２８を設けたものであるが、他の実施の形態に時間情報付加手段を設けても同様の効果が得られる。
【０１２０】
ここで、本実施の形態では情報信号として映像信号を用い、映像信号の所定の単位は映像信号の１ラインとした。しかし、映像信号以外の信号でもよく、所定の単位が一定の間隔であればよい。  従って、所定の単位を映像信号のｎフレーム（ｎは１以上の自然数）とすることもできるし、所定の単位を映像信号のｎフィールド、ｎライン（ｎは１以上の自然数）としてもよい。
【０１２１】
また、本実施の形態で１つの集合情報単位は１ライン周期内に発生した一定の情報単位であるブロックによって構成されているが、１つの集合情報単位を映像信号のｎライン（ｎは１以上の自然数）周期内に発生した一定の情報単位であるブロックによって構成することもできるし、１つの集合情報単位を映像信号のｎフィールド、ｎフレーム（ｎは１以上の自然数）周期内に発生した一定の情報単位であるブロックによって構成してもよい。
【０１２２】
また、映像信号の所定の単位の基準となる固定された位置（タイミング）はライン、フィールド、フレームのいずれかの周期に同期したものであればよい。  従って、必ずしもライン、フィールド、フレームのいずれかの先頭でなくともよい。例えば、垂直同期信号又は水平同期信号の立ち上り又は立ち下り部分でも同様のことが可能であり、一定の周期の固定された位置（タイミング）（タイミング）であればよい。
【０１２３】
また、所定の単位が１ラインである場合はラインカウンタ、１フィールドである場合はフィールドカウンタ、１フレームである場合はフレームカウンタを所定単位計数手段として用いることができ、これにより汎用のカウンタを使用できるため装置のコストを軽減できる。
【０１２４】
また、図１８に示すように所定の単位毎に所定の識別番号（本実施の形態においては、ライン毎に付与されているライン番号であり、図１８中、識別番号１・・・識別番号ｎ（ｎは１以上の自然数）の１〜ｎがライン番号に相当する）を同期信号の中にあるいは同期信号とともに付与して情報を伝送する方式では本実施の形態における所定単位計数手段５０ａ及び所定単位遅延手段５２ａを不要とすることができる。
【０１２５】
すなわち、送信側においては、情報信号の一定の情報単位が複数個集まって所定の単位をなすとともに所定の単位は各所定の単位を識別するための識別符号を有する場合に、時間情報付加手段は前記情報信号の所定の単位の基準となる固定された位置（タイミング）から時間情報（ＴＳ）が付加される位置（タイミング）までの時間を計数する所定単位内計数手段により構成されており、その特徴は、時間情報（ＴＳ）が情報信号の所定の単位の基準となる固定された位置（タイミング）から時間情報（ＴＳ）が付加される位置（タイミング）までの時間を表す所定単位内時間情報により構成されているところである。
【０１２６】
一方、受信側においては、情報信号の一定の情報単位が複数個集まって所定の単位をなすとともに所定の単位は各所定の単位を識別するため識別符号を有する場合に、情報信号の所定の単位の基準となる固定された位置（タイミング）から時間情報（ＴＳ）が付加される位置（タイミング）までの時間を表す所定単位内時間情報により構成され、この一定の情報単位の情報信号毎に付加されている時間情報に応じて一定の情報単位の情報信号毎に前記情報信号の所定単位内時間情報が表す時間一定の情報単位（ブロック）を遅延する構成とされており、その特徴は、時間情報（ＴＳ）が情報信号の所定の単位の基準となる固定された位置（タイミング）から時間情報（ＴＳ）が付加される位置（タイミング）までの時間を表す所定単位内時間情報により構成され、この一定の情報単位の情報信号毎に付加されている時間情報に応じて一定の情報単位の情報信号毎に情報信号の所定単位内時間情報が表す時間一定の情報単位（ブロック）を遅延する構成とされているところである。
【０１２７】
また、１つの集合情報単位を一定時間内に蓄積された情報とする場合、例えば一定の情報単位であるブロックが映像信号の１ライン周期内に発生した数を集めて１つの集合情報単位をなす場合は本実施の形態における所定単位計数手段５０ａ及び所定単位遅延手段５２ａを不要とすることができる。
【０１２８】
すなわち、送信側においては、情報信号の一定の情報単位が複数個集まって一定の時間長を有する所定の単位をなす場合に、時間情報付加手段は前記情報信号の所定の単位の基準となる固定された位置（タイミング）から時間情報（ＴＳ）が付加される位置（タイミング）までの時間を計数する所定単位内計数手段により構成されており、その特徴は、時間情報（ＴＳ）が情報信号の所定の単位の基準となる固定された位置（タイミング）から時間情報（ＴＳ）が付加される位置（タイミング）までの時間を表す所定単位内時間情報により構成されているところである。
【０１２９】
一方、受信側においては、情報信号の一定の情報単位が複数個集まって一定の時間長を有する所定の単位をなす場合に、一定の情報信号あるいは所定の単位の数を計数することにより得られる情報信号の所定の単位の基準となる固定された位置（タイミング）から時間情報（ＴＳ）が付加される位置（タイミング）までの時間を表す所定単位内時間情報により構成され、この一定の情報単位の情報信号毎に付加されている時間情報に応じて一定の情報単位の情報信号毎に前記情報信号の所定単位内時間情報が表す時間一定の情報単位（ブロック）を遅延する構成とされており、その特徴は、時間情報（ＴＳ）が情報信号の所定の単位の基準となる固定された位置（タイミング）から時間情報（ＴＳ）が付加される位置（タイミング）までの時間を表す所定単位内時間情報により構成され、この一定の情報単位の情報信号毎に付加されている時間情報に応じて一定の情報単位の情報信号毎に情報信号の所定単位内時間情報が表す時間一定の情報単位（ブロック）を遅延する構成とされているところである。
【０１３０】
さらに、本実施の形態では同一のバッファ３１ａを用い、バッファ３１ａは映像信号のブロックを（所定単位情報＋所定単位内情報）に相当する時間を同時に遅延しているが、バッファ３１ａは所定単位情報に相当する時間一定の情報単位（ブロック）を遅延した後、所定単位内情報に相当する時間一定の情報単位（ブロック）を遅延する構成としてもよいし、所定単位内情報に相当する時間一定の情報単位（ブロック）を遅延した後、所定単位情報に相当する時間一定の情報単位（ブロック）を遅延する構成としてもよい。
【０１３１】
（実施の形態８）
図１６は本発明の第８の実施の形態である伝送システム若しくは伝送方法及びこれを構成する送信装置若しくは送信方法と受信装置若しくは受信方法とを示した図（時間情報付加手段３９においてＥＣＣエンコーダ１２が出力した出力信号の時間情報をブロック毎に付加する場合）である。なお、上記実施の形態において既に説明したものは同じ符号を用い、その説明を省略する。
【０１３２】
特に、本実施の形態（図１６及び図１７）は（実施の形態６）の時間情報付加手段３９、時間情報再生手段４０及びその時間情報の付加・再生方法について更に詳細な別の実施の形態を提供するものである。
【０１３３】
時間情報付加手段３９は所定単位計数手段５０ｂと所定単位内計数手段５１ｂとにより構成される。ここで、本実施の形態にかかる発明の送信装置又は受信装置などで取り扱われる情報信号は映像信号であり、その一定の情報単位が複数個集まって所定の単位を形成している。
【０１３４】
所定単位計数手段５０ｂはライン周期の数を計数するものであり、ＥＣＣエンコーダ１２から出力されたブロックが予め定められた基準から何番目のライン周期の時に出力されたのかを計数し、その値をＮビットで出力する。ここで、予め定められた基準とは時間の基準であって、送受信間で共通に時計を有する構成としある特定の時間を基準としてもよいし、前に送信側から受信側に送られたブロックや同期信号などの特定の信号を基準としてもよい。
【０１３５】
なお、所定単位計数手段５０ｂがフレームを計数する場合には、フレームの先頭又は垂直同期信号の立ち上り若しくは立ち下りに基づいて所定単位計数手段５０ｂはフレームを計数することができる。また、所定単位計数手段５０ｂがフィールドを計数する場合には、フィールドの先頭又は垂直同期信号の立ち上り若しくは立ち下りに基づいて所定単位計数手段５０ｂはフィールドを計数することができる。さらに、所定単位計数手段５０ｂがラインを計数する場合には、ラインの先頭又は水平同期信号の立ち上り若しくは立ち下りに基づいて所定単位計数手段５０はラインを計数することができる。すなわち、送受信間で共通でありかつ一定の時間周期を計数できればよい。
【０１３６】
ここで、フレームとは画像を１画面形成する期間であって、ＮＴＳＣ方式においては２回の垂直走査する期間をいい、フィールドとはテレビジョン信号において１回の垂直走査する期間をいい、ラインとは１回の水平走査する期間をいう。
【０１３７】
所定単位内計数手段５１ｂは、ライン周期の基準となる位置（タイミング）から現在、すなわち映像信号のブロックがエンコーダ１２から出力されるタイミングまでの時間を計数するものであり、この計数値を時間情報としてＭビットで出力するものである。
【０１３８】
なお、所定単位計数手段５０ｂがフレームを計数する場合には、フレームの先頭又は垂直同期信号の立ち上り若しくは立ち下りの位置（タイミング）を固定された位置（タイミング）として、所定単位内計数手段５１ｂはその固定された位置（タイミング）から現在、すなわち映像信号のブロックがエンコーダ１２から出力される位置（タイミング）までの時間を計数することができる。また、所定単位計数手段５０ｂがフィールドを計数する場合には、フィールドの先頭又は垂直同期信号の立ち上り若しくは立ち下りの位置（タイミング）を固定された位置（タイミング）として、所定単位内計数手段５１ｂはその固定された位置（タイミング）から現在、すなわち映像信号のブロックがエンコーダ１２に入力される位置（タイミング）までの時間を計数することができる。さらに、所定単位計数手段５０ｂがラインを計数する場合には、ラインの先頭又は水平同期信号の立ち上り若しくは立ち下りの位置（タイミング）を固定された位置（タイミング）として、所定単位内計数手段５１ｂはその固定された位置（タイミング）から現在、すなわち映像信号のブロックがエンコーダ１２から出力される位置（タイミング）までの時間を計数することができる。
【０１３９】
従って、時間情報付加手段３９全体としては所定単位計数手段５０ｂが出力するＮビットの信号を上位とし、所定単位内計数手段５１ｂが出力するＭビットの信号を下位として、合計（Ｎ＋Ｍ）ビットの時間情報をＥＣＣエンコーダ１２の出力信号に付加する。
【０１４０】
一方、ＥＣＣエンコーダ１２を用いない場合は、時間情報付加手段３９は圧縮手段４の出力信号が出力された時間情報（ＴＳ）をブロック毎に認識して付加する構成とし、圧縮手段４の出力信号にブロック毎に時間情報を付加してバッファ２９ｂに出力する。バッファ２９ｂは圧縮手段４と同期信号付加手段１３との間に設け、圧縮手段４の出力信号を一旦蓄積し、その蓄積された情報を１つの集合情報単位として同期信号付加手段１３に出力する構成とすればよい。
【０１４１】
つぎに、時間情報再生手段３０は所定単位遅延手段５２ｂと所定単位内遅延手段５３ｂとにより構成される。所定単位遅延手段５２ｂは所定単位計数手段５０ｂによって供給されたＮビットの所定単位時間情報（ＥＣＣエンコーダ１２から出力された映像信号のブロックが予め定められた基準から何番目のライン周期の時に入力されたのかを表す情報）を認識する。
【０１４２】
所定単位内遅延手段５３ｂは所定単位内計数手段５１ｂによって供給されたＭビットの所定単位内時間情報（ライン周期の基準となる位置、例えばラインの先頭の位置（タイミング）から現在、すなわち映像信号のブロックがＥＣＣエンコーダ１２から出力される位置（タイミング）までの時間を表す情報）を認識する。
【０１４３】
同期信号除去手段７の出力信号が蓄積されたバッファ３１ｂは、所定単位遅延手段５２ｂによって認識された所定単位時間情報が表す時間情報に相当する時間タイミングを基準として、さらにそのタイミングから所定単位内遅延手段５３ｂによって認識された所定単位内時間情報が表す時間情報に相当する時間、その蓄積された映像信号のブロック毎に遅延して出力する。
【０１４４】
一方、ＥＣＣデコーダ１４を用いない場合は、時間情報再生手段４０は時間情報付加手段３９により付加された時間情報をブロック毎に認識する。この時間情報再生手段４０の指示に従って同期信号除去手段７の出力信号が蓄積されたバッファ３１ｂはその蓄積された情報信号をブロック毎に時間情報に対応したタイミングで出力する。バッファ３１ｂは同期信号除去手段７と伸長手段１１との間に設けられ、同期信号除去手段７の出力信号を一旦蓄積する構成とすればよい。
【０１４５】
すなわち、本発明の送信装置又は送信方法は、映像信号のライン周期を所定の単位とする場合であって、情報信号である映像信号の一定の情報単位であるブロックが映像信号の１ライン周期内に発生した数、すなわち複数個集まって所定の単位をなす場合において、（実施の形態６）に記載した時間情報は圧縮手段４（ＥＣＣエンコーダ１２を用いない場合）又はＥＣＣエンコーダ１２（ＥＣＣエンコーダ１２を用いる場合）から出力された情報信号（映像信号）が予め定められた基準から何番目の所定の単位（ライン周期）の時に圧縮手段４又はＥＣＣエンコーダ１２から出力されたのかを表す所定単位時間情報と、その情報信号（映像信号）が所定の単位（ライン周期）の基準となる固定された位置（タイミング）であるラインの先頭位置（タイミング）から現在、すなわち圧縮手段４又はＥＣＣエンコーダ１２から出力されている情報信号（映像信号）の位置（タイミング）までの時間を表す所定単位内時間情報とにより構成されている。
【０１４６】
一方、本発明の受信装置又は受信方法は、映像信号のライン周期を所定の単位とする場合であって、情報信号である映像信号の一定の情報単位であるブロックが映像信号の１ライン周期内に発生した数、すなわち複数個集まって所定の単位をなす場合において、（実施の形態６）に記載した時間情報は圧縮手段４（ＥＣＣエンコーダ１２を用いない場合）又はＥＣＣエンコーダ１２（ＥＣＣエンコーダ１２を用いる場合）から出力される情報信号（映像信号）が予め定められた基準から何番目の所定の単位（ライン周期）の時に圧縮手段４又はＥＣＣエンコーダ１２から出力されたのかを表す所定単位時間情報と、その情報信号（映像信号）が所定の単位（ライン周期）の基準となる固定された位置（タイミング）であるラインの先頭位置（タイミング）から現在、すなわち圧縮手段４又はＥＣＣエンコーダ１２から出力されている位置（タイミング）までの時間を表す所定単位内時間情報とにより構成され、この一定の情報単位（ブロック）の情報信号（映像信号）毎に付加されている時間情報に基づいて所定単位時間情報が表す時間（圧縮手段４（ＥＣＣエンコーダ１２を用いない場合）又はＥＣＣエンコーダ１２（ＥＣＣエンコーダ１２を用いる場合）から出力された映像信号のブロックが予め定められた基準から何番目のライン周期の時に出力されたのかを表す情報に対応する時間）に相当するタイミングを基準に、そのタイミングから所定単位内時間情報が表す時間一定の情報単位（ブロック）を遅延する構成としている。
【０１４７】
以上のような伝送システムにおいて図１７を用いてその動作を説明する。
【０１４８】
図１７は本発明の第８の実施の形態である伝送システム若しくは伝送方法の１つの集合情報単位における送信側及び受信側の動作を表した図である。
【０１４９】
送信装置若しくは送信方法では、デジタル映像入力信号は圧縮手段４に入力されて情報量が圧縮される。圧縮手段４の出力信号（図１７（ａ））はＥＣＣエンコーダ１２に出力され、ＥＣＣエンコーダ１２において各々の映像信号に誤り訂正符号が付される。つぎに、時間情報付加手段３９である所定単位計数手段５０ｂ及び所定単位内計数手段５１ｂは、その時、すなわちＥＣＣエンコーダ１２からの出力信号（図１７（ｂ）参照）が出力された時間情報（ＴＳ）をブロック毎に付加する（図１７（ｃ））。
【０１５０】
ここで、時間情報付加手段３９が出力する時間情報は、所定単位計数手段５０ｂが出力するＮビットの信号（図１７中、Ｎはライン番号：２、３…と記している。）を上位ビットとし、所定単位内計数手段５１ｂが出力するＭビットの信号（図１７中、ＭはＴ１、Ｔ２…と記している。）を下位ビットとして構成する。
【０１５１】
なお、所定単位計数手段５０ｂが出力するＮビットの信号はそのブロックが予め定められた基準から何番目のライン周期の時にＥＣＣエンコーダ１２から出力されたかを示すラインの番号を表す所定単位時間情報であり、所定単位内計数手段５１ｂが出力するＭビットの信号は、ＥＣＣエンコーダ１２から出力されているブロックが属するライン周期の基準となる固定された位置（タイミング）であるラインの先頭から、そのブロックがＥＣＣエンコーダ１２から出力されている映像信号の位置（タイミング）までの時間を表す所定単位内時間情報である。また、ここでは映像信号の各々に時間情報（ＴＳ２１〜ＴＳ３３、ここで、ＴＳｎｍとはｎ、ｍともに１以上の自然数であり、ｎはブロックが何番目のライン周期の時にＥＣＣエンコーダ１２から出力されたかを示すラインの番号（所定単位時間情報に相当する）を表し、ｍはＥＣＣエンコーダ１２から出力されているブロックが属するライン周期の基準となる固定された位置（タイミング）であるラインの先頭から、そのブロックが現在ＥＣＣエンコーダ１２から出力されている映像信号の位置（タイミング）までの時間を表すものであり、ライン内時刻の番号（所定単位内情報の番号に相当する）を表している。）を付加している。
【０１５２】
ＥＣＣエンコーダ１２の出力信号はバッファ２９ｂに一旦蓄積され、一定時間内に蓄積された情報を１つの集合単位として同期信号付加手段１３に出力される。
【０１５３】
バッファ２９ｂの出力信号は同期信号付加手段１３に出力され同期信号が付加されたのち（図１７（ｄ））に伝送路を介して伝送される。
【０１５４】
一方、受信装置若しくは受信方法では、受信信号（図１７（ｅ））のうち同期信号除去手段７で同期信号が除去された後、同期信号除去手段７の出力信号（図１７（ｆ））は、同期信号除去手段７の出力信号中の時間情報（ＴＳ２１〜ＴＳ３３）に基づいて映像信号のブロックはブロック毎に送信時に映像信号が入力されたのと同じ時間間隔になるようにバッファ３１ｂによって遅延さら出力する（図１７（ｇ））。その後、ＥＣＣデコーダ１４で誤り訂正符号に基づいて信号の誤り訂正が行われる（図１７（ｈ））。すなわち、所定単位遅延手段５２ｂは、所定単位計数手段５０ｂによって付加された所定単位時間情報（Ｎビット）であるライン番号を認識し、所定単位内遅延手段５３ｂは所定単位内計数手段５１ｂによって供給されたＭビットの時間情報（ラインの先頭から現在、すなわち映像信号がＥＣＣエンコーダ１２から出力されている位置（タイミング）のブロックまでの所定単位内情報）を認識する。この所定単位遅延手段５２ｂ及び所定単位内遅延手段５３ｂの指示に従ってバッファ３１ｂに蓄積された映像信号のブロックはＮビットの所定単位時間情報（予め定められた基準から何番目のラインに属しているのかを表す時間情報）に相当するタイミングを基準に、そのタイミングから所定単位内時間情報（Ｔ１〜Ｔ５）（その映像信号のブロックが所属するラインの固定された位置（タイミング）（映像信号の先頭）から現在の入力されている映像信号の位置（タイミング）までの時間を表す時間情報）に相当する時間一定の情報単位（ブロック）を遅延して出力される。この後、バッファ３１ｂの出力信号は、ＥＣＣデコーダ１４で誤り訂正符号に基づいて信号の誤り訂正が行われ、さらに伸張されてデジタル映像出力信号となる。
【０１５５】
このような構成にすることにより、（実施の形態６）と同様の効果が得られる。
【０１５６】
なお、本実施の形態では（実施の形態２）に時間情報付加手段２８を設けたものであるが、他の実施の形態に時間情報付加手段を設けても同様の効果が得られる。
【０１５７】
ここで、本実施の形態では情報信号として映像信号を用い、映像信号の所定の単位は映像信号の１ラインとした。しかし、映像信号以外の信号でもよく、所定の単位が一定の間隔であればよい。  従って、所定の単位を映像信号のｎフレーム（ｎは１以上の自然数）とすることもできるし、所定の単位を映像信号のｎフィールド、ｎライン（ｎは１以上の自然数）としてもよい。
【０１５８】
また、本実施の形態で１つの集合情報単位は１ライン周期内に発生した一定の情報単位であるブロックによって構成されているが、集合情報単位を映像信号のｎライン（ｎは１以上の自然数）周期内に発生した一定の情報単位であるブロックによって構成することもできるし、集合情報単位を映像信号のｎフィールド、ｎフレーム（ｎは１以上の自然数）周期内に発生した一定の情報単位であるブロックによって構成してもよい。
【０１５９】
また、映像信号の所定の単位の固定された位置（タイミング）はライン、フィールド、フレームのいずれかの周期に同期したものであればよい。
【０１６０】
従って、必ずしもライン、フィールド、フレームのいずれかの先頭でなくともよい。例えば、垂直同期信号又は水平同期信号の立ち上り又は立ち下り部分でも同様のことが可能であり、一定の周期の固定された位置（タイミング）であればよい。
【０１６１】
また、所定の単位が１ラインである場合はラインカウンタ、１フィールドである場合はフィールドカウンタ、１フレームである場合はフレームカウンタを所定単位計数手段として用いることができ、これにより汎用のカウンタを使用できるため装置のコストを軽減できる。
【０１６２】
また、図１８に示すように所定の単位毎に所定の識別番号（本実施の形態においては、ライン毎に付与されているライン番号であり、図１８中、識別番号１・・・識別番号ｎ（ｎは１以上の自然数）の１〜ｎがライン番号に相当する）を同期信号の中にあるいは同期信号とともに付与して情報を伝送する方式では本実施の形態における所定単位計数手段５０ｂ及び所定単位遅延手段５２ｂを不要とすることができる。
【０１６３】
すなわち、送信側においては、情報信号の一定の情報単位が複数個集まって所定の単位をなすとともに所定の単位は各所定の単位を識別するための識別符号を有する場合に、時間情報付加手段は前記情報信号の所定の単位の基準となる固定された位置（タイミング）から時間情報（ＴＳ）が付加される位置（タイミング）までの時間を計数する所定単位内計数手段により構成されており、その特徴は、時間情報（ＴＳ）が情報信号の所定の単位の基準となる固定された位置（タイミング）から時間情報（ＴＳ）が付加される位置（タイミング）までの時間を表す所定単位内時間情報により構成されているところである。
【０１６４】
一方、受信側においては、情報信号の一定の情報単位が複数個集まって所定の単位をなすとともに所定の単位は各所定の単位を識別するため識別符号を有する場合に、情報信号の所定の単位の基準となる固定された位置（タイミング）から時間情報（ＴＳ）が付加される位置（タイミング）までの時間を表す所定単位内時間情報により構成され、この一定の情報単位の情報信号毎に付加されている時間情報に応じて一定の情報単位の情報信号毎に前記情報信号の所定単位内時間情報が表す時間一定の情報単位（ブロック）を遅延する構成とされており、その特徴は、時間情報（ＴＳ）が情報信号の所定の単位の基準となる固定された位置（タイミング）から時間情報（ＴＳ）が付加される位置（タイミング）までの時間を表す所定単位内時間情報により構成され、この一定の情報単位の情報信号毎に付加されている時間情報に応じて一定の情報単位の情報信号毎に情報信号の所定単位内時間情報が表す時間一定の情報単位（ブロック）を遅延する構成とされているところである。
【０１６５】
また、１つの集合情報単位を一定時間内に蓄積された情報とする場合、例えば一定の情報単位であるブロックが映像信号の１ライン周期内に発生した数を集めて１つの集合情報単位とする場合は本実施の形態における所定単位計数手段５０ａ及び所定単位遅延手段５２ａを不要とすることができる。
【０１６６】
すなわち、送信側においては、情報信号の一定の情報単位が複数個集まって一定の時間長を有する所定の単位をなす場合に、時間情報付加手段は前記情報信号の所定の単位の基準となる固定された位置（タイミング）から時間情報（ＴＳ）が付加される位置（タイミング）までの時間を計数する所定単位内計数手段により構成されており、その特徴は、時間情報（ＴＳ）が情報信号の所定の単位の基準となる固定された位置（タイミング）から時間情報（ＴＳ）が付加される位置（タイミング）までの時間を表す所定単位内時間情報により構成されているところである。
【０１６７】
一方、受信側においては、情報信号の一定の情報単位が複数個集まって一定の時間長を有する所定の単位をなす場合に、一定の情報信号あるいは所定の単位の数を計数することにより得られる情報信号の所定の単位の基準となる固定された位置（タイミング）から時間情報（ＴＳ）が付加される位置（タイミング）までの時間を表す所定単位内時間情報により構成され、この一定の情報単位の情報信号毎に付加されている時間情報に応じて一定の情報単位の情報信号毎に前記情報信号の所定単位内時間情報が表す時間一定の情報単位（ブロック）を遅延する構成とされており、その特徴は、時間情報（ＴＳ）が情報信号の所定の単位の基準となる固定された位置（タイミング）から時間情報（ＴＳ）が付加される位置（タイミング）までの時間を表す所定単位内時間情報により構成され、この一定の情報単位の情報信号毎に付加されている時間情報に応じて一定の情報単位の情報信号毎に情報信号の所定単位内時間情報が表す時間一定の情報単位（ブロック）を遅延する構成とされているところである。
【０１６８】
さらに、本実施の形態では同一のバッファ３１ｂを用い、バッファ３１ｂは映像信号のブロックを（所定単位情報＋所定単位内情報）に相当する時間を同時に遅延しているが、バッファ３１ｂは所定単位情報に相当する時間一定の情報単位（ブロック）を遅延した後、所定単位内情報に相当する時間一定の情報単位（ブロック）を遅延する構成としてもよいし、所定単位内情報に相当する時間一定の情報単位（ブロック）を遅延した後、所定単位情報に相当する時間一定の情報単位（ブロック）を遅延する構成としてもよい。
【０１６９】
（実施の形態９）
図１９は本発明の第９の実施の形態である伝送システム若しくは伝送方法及びこれを構成する送信装置若しくは送信方法と受信装置若しくは受信方法とを示した図（時間情報付加手段２８においてＥＣＣエンコーダ１２に信号が入力された時間情報をブロック毎に付加する場合）である。なお、上記実施の形態において既に説明したものは同じ符号を用い、その説明を省略する。
【０１７０】
本実施の形態は、特に、（実施の形態５）の時間情報付加手段２８、時間情報再生手段３０、及びその時間情報の付加・再生方法についてさらに詳細な別の実施の形態を提供するものである。
【０１７１】
時間情報付加手段２８は所定単位計数手段５０ａであるＮビットカウンタ５４ａと所定単位内計数手段５１ａであるＭビットカウンタ５５ａとにより構成される。
【０１７２】
ここで、本実施の形態にかかる発明の送信装置又は受信装置などで取り扱われる情報信号は送受信間で時間関係を保存する必要のある信号である映像信号であり、映像信号のライン周期を所定の単位としている。従って、映像信号の一定の情報単位であるブロックが映像信号の１ライン周期内に発生した数、すなわち複数個集まって所定の単位を形成している。
【０１７３】
Ｎビットカウンタ５４ａは入力された映像信号のうちライン周期の数を計数するものであり、ＥＣＣエンコーダ１２に入力されたブロックが予め定められた基準から何番目のライン周期の時に入力されたのかを計数し、その値をＮビットで出力する。ここで、予め定められた基準とは時間の基準であって、送受信間で共通に時計を有する構成としある特定の時間を基準としてもよいし、前に送信側から受信側に送られたブロックや同期信号などの特定の信号を基準としてもよい。
【０１７４】
すなわち、Ｎビットカウンタ５４ａはＣｌｏｃｋ端子に入力される基本クロックに同期してＣＥ端子から入力される映像信号のラインの先頭のタイミングを基準としてラインの数を計数し、ＯＥ端子から入力される映像信号のブロックの発生するタイミングに基づいて、すなわちＥＣＣエンコーダ１２に入力されたブロックが予め定められた基準から何番目のライン周期の時に入力されたのかを表す計数値をＮビットで出力する。
【０１７５】
Ｍビットカウンタ５５ａはＥＣＣエンコーダ１２に信号が入力される映像信号のブロックについて、ライン周期の基準となる位置、例えばそれが属するラインの先頭位置（タイミング）から現在、すなわち映像信号のブロックがＥＣＣエンコーダ１２に入力されている位置（タイミング）までの時間を計数するものであり、この計数値を時間情報としてＭビットで出力するものである。
【０１７６】
すなわち、Ｍビットカウンタ５５ａはＣｌｏｃｋ端子に入力される基本クロックに同期しかつＲｅｓｅｔ端子から入力される映像信号のラインの先頭のタイミング（リセットスタートタイミング信号）によってその計数値をリセットすることにより、ラインの先頭から現在までの時間を計数しつづけ、ＯＥ端子から入力される映像信号のブロックの発生するタイミングに基づいて、その計数値、すなわちラインの先頭位置（タイミング）から現在、すなわち映像信号のブロックがＥＣＣエンコーダ１２に入力されている位置（タイミング）までの時間を表す計数値をＭビットで出力する。
【０１７７】
ここで、本実施の形態では基本クロックは２７ＭＨｚ又は３６ＭＨｚの基本クロックを用いる。なお、この基本クロックの情報は受信装置において送信装置から伝送される搬送波から再生してもよいし、映像信号を伝送している伝送路とは別の伝送路で送信装置から受信装置に送ってもよい。また、この基本クロックと同様にＭビットカウンタ５５ａが時間情報（ＴＳ）を計測する際に基準とする信号であるリセットスタートタイミング信号（ＲＳＴ）を送信側から受信側に送られる映像信号から再生してもよいし、映像信号を伝送している伝送路とは別の伝送路で送信側から受信側に送信してもよい。
【０１７８】
従って、時間情報付加手段２８全体としてはＮビットカウンタ５４ａが出力するＮビットの信号を上位とし、Ｍビットカウンタ５５ａが出力するＭビットの信号を下位として、合計（Ｎ＋Ｍ）ビットの時間情報をＥＣＣエンコーダ１２の入力信号に付加する。
【０１７９】
一方、ＥＣＣエンコーダ１２を用いない場合は、時間情報付加手段２８は圧縮手段４の出力信号が出力された時間情報（ＴＳ）をブロック毎に認識する構成とし、圧縮手段４の出力信号にブロック毎に時間情報を付加してバッファ２９ａに出力する。バッファ２９ａは圧縮手段４と同期信号付加手段１３との間に設け、圧縮手段４の出力信号を一旦蓄積し、バッファ２９ａは一定時間内に蓄積された情報を１つの集合単位として同期信号付加手段１３に出力する構成とすればよい。
【０１８０】
つぎに、時間情報再生手段３０においては所定単位遅延手段５２ａを時間情報読出手段５６ａと時間情報蓄積手段５７ａと第１のカウンタであるＮビットカウンタ５８ａと比較手段６０ａとにより構成し、所定単位内遅延手段５３ａを時間情報読出手段５６ａと時間情報蓄積手段５７ａと第２のカウンタであるＭビットカウンタ５９ａと比較手段６０ａとにより構成する。
【０１８１】
時間情報読出手段５６ａはＥＣＣデコーダ１４の出力信号からブロック毎に付与された時間情報のみを抽出して出力する手段である。
【０１８２】
時間情報蓄積手段５７ａは時間情報読出手段５６ａによって抽出された時間情報（ＴＳ）の値をＮビットを上位とし、Ｍビットを下位として抽出された毎に順次蓄積し、最も古く蓄積された時間情報（ＴＳ）の値をＮビットを上位とし、Ｍビットを下位として出力する。また、後述する時間情報比較手段６０ａの指示に従って、時間情報比較手段６０ａの出力信号がバッファ６１ａに入力され、バッファ６１ａに蓄積されている最も古いブロックがバッファ６１ａから出力される毎に時間情報蓄積手段５７ａは現在出力している時間情報（ＴＳ）の次に古い時間情報（ＴＳ）を出力する。
【０１８３】
Ｎビットカウンタ５８ａはＮビットカウンタ５８ａのＬｏａｄ端子に一番最初に受信したブロックの時間情報（ＴＳ）の上位ビット（Ｎビット）の値（Ｌ）からＫ（Ｋは１以上の自然数であって、ブロック相互間の時間的間隔によって予め決定されているものである。）を引いた値（Ｌ−Ｋ）がロードされる。この後、送信側から供給されたリセットスタートタイミング信号（ＲＳＴ）がＣＥ端子に入力される毎に送信側から供給される基準クロック（Ｆ）に同期してＮビットカウンタ５８ａは（Ｌ−Ｋ）の値から１つづつ計数（カウントアップ）するとともに、その現在の計数値を出力する。
【０１８４】
Ｍビットカウンタ５９ａは送信側から供給されるリセットスタートタイミング信号（ＲＳＴ）がＲｅｓｅｔ端子に入力される毎にＭビットカウンタ５９ａの計数値をリセットするものであり、送信側から供給される基準クロック（Ｆ）に同期してＭビットカウンタ５９ａはリッセットされた値（例えば、”０”）から計数（カウントアップ）するとともに、その現在の計数値を出力する。
【０１８５】
時間情報比較手段６０ａは時間情報蓄積手段５７ａの出力信号である時間情報（ＴＳ）の上位ビット（Ｎビット）の値とＮビットカウンタ５８ａの出力値及び時間情報蓄積手段５７ａの出力信号である時間情報（ＴＳ）の下位ビット（Ｍビット）の値とＭビットカウンタ５９ａの出力値とを比較し、両者が共に等しい値に達した場合にバッファ６１ａに対しては、バッファ６１ａに蓄積されている最も古いブロックを出力するように指示する信号を出力し、また、時間情報蓄積手段５７ａに対しては、最も古く蓄積された時間情報（ＴＳ）の次に古い時間情報（ＴＳ）を出力するように指示する信号を出力する。
【０１８６】
バッファ６１ａはＥＣＣデコーダ１４の出力信号を一旦蓄積し、時間情報比較手段６０ａの出力信号に対応して、バッファ６１ａに蓄積されている最も古いブロックを伸長手段１１（可変長復号化手段１５）に出力するものである。また、バッファ６１ａはバッファ６１ａに蓄積されている最も古いブロックを伸長手段１１（可変長復号化手段１５）に出力した後、出力したブロックの次に古いブロックを最も古いブロックとして扱う。このようにバッファ６１ａは最も古いブロックを出力する毎に順次出力したブロックの次に古いブロックを最も古いブロックとして扱う。
【０１８７】
本実施の形態では時間情報蓄積手段５７ａ及びバッファ６１ａにＦＩＦＯ（Ｆｉｒｓｔ  Ｉｎ  Ｆｉｒｓｔ  Ｏｕｔ)メモリを用いている。
【０１８８】
一方、ＥＣＣデコーダ１４を用いない場合は、時間情報再生手段３０は時間情報付加手段２８により付加された時間情報をブロック毎に認識する。この時間情報再生手段３０の指示に従って同期信号除去手段７の出力信号が蓄積されたバッファ３１ａはその蓄積された情報信号をブロック毎に時間情報に対応したタイミングで出力する。バッファ３１ａは同期信号除去手段７と伸長手段１１との間に設けられ、同期信号除去手段７の出力信号を一旦蓄積する構成とすればよい。
【０１８９】
すなわち、本発明の送信装置又は送信方法は映像信号のライン周期を所定の単位とする場合において、情報信号である映像信号の一定の情報単位であるブロックが映像信号の１ライン周期内に発生した数、すなわち複数個集まって所定の単位をなす場合において、（実施の形態５）に記載した時間情報は圧縮手段４（ＥＣＣエンコーダ１２を用いない場合）から出力された又はＥＣＣエンコーダ１２（ＥＣＣエンコーダ１２を用いる場合）に入力された情報信号（映像信号）のブロックが予め定められた基準から何番目の所定の単位（ライン）の周期の時に出力又は入力されたのかを表す所定単位時間情報と、情報信号（映像信号）の所定の単位（ライン周期）の基準となる固定された位置（タイミング）である先頭位置（タイミング）から現在、すなわち圧縮手段４（ＥＣＣエンコーダ１２を用いない場合）から出力されている又はＥＣＣエンコーダ１２（ＥＣＣエンコーダ１２を用いる場合）の入力されている情報信号（映像信号）の位置（タイミング）までの時間を表す所定単位内時間情報とにより構成されている。
【０１９０】
一方、本発明の受信装置又は受信方法は映像信号のライン周期を所定の単位とする場合において、情報信号である映像信号の一定の情報単位であるブロックが映像信号の１ライン周期内に発生した数、すなわち複数個集まって所定の単位をなす場合において、（実施の形態５）に記載した時間情報は圧縮手段４（ＥＣＣエンコーダ１２を用いない場合）から出力された又はＥＣＣエンコーダ１２（ＥＣＣエンコーダ１２を用いる場合）に入力された情報信号（映像信号）のブロックが予め定められた基準から何番目の所定の単位（ライン周期）のときに出力又は入力されたかを表す所定単位時間情報と、情報信号（映像信号）の所定の単位（ライン周期）の基準となる固定された位置（タイミング）である先頭位置（タイミング）から現在、すなわち圧縮手段４（ＥＣＣエンコーダ１２を用いない場合）から出力されている又はＥＣＣエンコーダ１２（ＥＣＣエンコーダ１２を用いる場合）に入力されている情報信号（映像信号）の位置（タイミング）までの時間を表す所定単位内時間情報とにより構成され、この一定の情報単位（ブロック）の情報信号（映像信号）毎付加されている時間情報に基づいて所定単位時間情報が表す時間に相当するタイミングを基準にして、そのタイミングから所定単位内時間情報が表す時間一定の情報単位（ブロック）を遅延する構成としている。
【０１９１】
以上のような伝送システムにおいて以下にその動作を説明する。
【０１９２】
送信装置若しくは送信方法では、デジタル映像入力信号は圧縮手段４に入力されて情報量が圧縮される。圧縮手段４の出力信号（図２０（ａ））はＥＣＣエンコーダ１２に出力され、その時、すなわち圧縮手段４から出力信号が出力された時間情報（ＴＳ）又はＥＣＣエンコーダ１２に入力信号が入力された時間情報（ＴＳ）を一定の情報単位であるブロック毎に付加する（図２０（ｂ））。ここで、時間情報付加手段２８が出力する時間情報は、Ｎビットカウンタ５４ａによって出力されるＮビットの信号であって、映像信号のブロックがそのブロックが予め定められた基準から何番目のライン周期の時に圧縮手段４から出力されたか又はＥＣＣエンコーダ１２に入力されたかを示すラインの番号を表す所定単位時間情報（図２０中ライン番号：２、３…と記している。）を上位ビットとし、Ｍビットカウンタ５５ａによって出力されるＭビットの信号であって、映像信号のブロックが圧縮手段４から出力される又はＥＣＣエンコーダ１２に入力されるブロックが属するライン周期の基準となる固定された位置（タイミング）であるラインの先頭から、そのブロックが圧縮手段４から出力されている又はＥＣＣエンコーダ１２から入力されている映像信号の位置（タイミング）までの時間を表す、すなわち先頭から現在の入力されている映像信号の位置（タイミング）までの時間を表す所定単位内時間情報（図２０中Ｔ１、Ｔ２…と記している。）を下位ビットとして構成している。なお、ここでは映像信号の各々に時間情報（ＴＳ２１〜ＴＳ３３、ＴＳ（ライン番号）（ライン内時刻））までを付加している。なお、本実施の形態では基本クロック及びリセットスタートタイミング信号（ＲＳＴ）は別の伝送線により送信側から受信側に送られている。
【０１９３】
つぎに、ＥＣＣエンコーダ１２において各々の映像信号と時間情報（ＴＳ２１〜ＴＳ３３）に誤り訂正符号が付される（図２０（ｃ）参照）。ＥＣＣエンコーダ１２の出力信号はバッファ２９ａに一旦蓄積され、一定時間内に蓄積された情報を１つの集合単位として同期信号付加手段１３に出力される。バッファ２９ａの出力信号は同期信号付加手段１３に出力され同期信号が付加されたのちに（図２０（ｄ））伝送路を介して伝送される。
【０１９４】
一方、受信装置若しくは受信方法では、受信信号（図２０（ｅ））のうち同期信号除去手段７で同期信号が除去された後、同期信号除去手段７の出力信号（図２０（ｆ））は、ＥＣＣデコーダ１４で誤り訂正符号に基づいて信号の誤り訂正が行われる。つぎに、ＥＣＣデコーダ１４の出力信号（図２０（ｇ））中の時間情報（ＴＳ２１〜ＴＳ３３）に基づいて映像信号はバッファ６１ａによって送信時に映像信号がＥＣＣエンコーダ１２に入力されたのと同じ時間間隔になるように遅延される（図２０（ｈ））。
【０１９５】
すなわち、ＥＣＣデコーダ１４の出力信号であるブロックは、バッファ６１ａに蓄積される。一方、時間情報読出手段５６ａによってそのブロックに付与されている時間情報（ＴＳ）を読み出し、その値を時間情報蓄積手段５７ａに蓄積する。さらに、新たなブロックがＥＣＣデコーダ１４から出力されるとその新たなブロックをバッファ６１ａに蓄積し、そのブロックに対応した時間情報（ＴＳ）を読み出し、その値を時間情報蓄積手段５７ａに順次蓄積する。
【０１９６】
一方、第１のカウンタであるＮビットカウンタ５８ａには一番最初に受信したブロックの時間情報（ＴＳ）の上位Ｎビットの値（Ｌ）からＫ（Ｋは１以上の自然数）を引いた値（Ｌ−Ｋ）がロードされ、この後、送信側から供給されるリセットスタートタイミング信号（ＲＳＴ）がＮビットカウンタ５８ａに入力される毎にＮビットカウンタ５８ａの出力信号は１づつカウントアップされる。
【０１９７】
また、第２のカウンタであるＭビットカウンタ５９ａには、送信側よりリセットスタートタイミング信号（ＲＳＴ）が供給される毎にリセットされＭビットカウンタ５９ａの出力信号はリセットされた値（例えば”０”）から１づつカウントアップする。
【０１９８】
つぎに、時間情報蓄積手段５７ａに蓄積されている最も古い時間情報（ＴＳ）の上位ビット（Ｎビット）の値とＮビットカウンタ５８ａの出力値及び最も古い時間情報（ＴＳ）の下位ビット（Ｍビット）の値とＭビットカウンタ５９ａの出力値とが時間情報比較手段６０ａによって比較され両者が等しい値に達した場合、時間情報比較手段６０ａの出力信号はバッファ６１ａに対して蓄積されている最も古いブロックを出力するように指示し、バッファ６１ａは該指示に従って最も古いブロックを出力するとともに、時間情報蓄積手段５７ａに対しては、最も古く蓄積された時間情報（ＴＳ）の次に古いブロックの時間情報（ＴＳ）を出力するように指示し、時間情報蓄積手段５７ａは最も古く蓄積された時間情報（ＴＳ）の次に古い時間情報（ＴＳ）を出力する。
【０１９９】
この後、最も古いブロックの次に古いブロックの時間情報の上位ビット（Ｎビット）の値とＮビットカウンタ５８ａの出力値及び時間情報の下位ビット（Ｍビット）の値とＭビットカウンタ５９ａの出力値とを比較し、上記と同様に両者が等しい値に達した場合に時間情報蓄積手段５７ａ及びバッファ６１ａに信号を出力し、バッファ６１ａは最も古いブロックの次に古いブロック（現在の最も古いブロック）を出力し、時間情報蓄積手段５７ａは最も古く蓄積された時間情報（ＴＳ）の次の次に古い時間情報（ＴＳ）（現在の最も古いブロックの次に古いブロックの時間情報（ＴＳ））を出力する。
【０２００】
この上記と同様の動作を繰り返すとともに、バッファ６１ａの出力信号はこの後、伸張されてデジタル映像出力信号となる。
【０２０１】
また、図１８に示すように所定の単位毎に所定の識別番号（本実施の形態においては、ライン毎に付与されているライン番号であり、図１８中、識別番号１・・・識別番号ｎ（ｎは１以上の自然数）の１〜ｎがライン番号に相当する）を同期信号の中にあるいは同期信号とともに付与して情報を伝送する方式では本実施の形態におけるＮビットカウンタ５４ａ及び５８ａを不要とすることができる。
【０２０２】
すなわち、送信側においては、情報信号の一定の情報単位が複数個集まって所定の単位をなすとともに所定の単位は各所定の単位を識別するための識別符号を有する場合に、時間情報付加手段は前記情報信号の所定の単位の基準となる固定された位置（タイミング）から時間情報（ＴＳ）が付加される位置（タイミング）までの時間を計数する所定単位内計数手段であるＭビットカウンタ５５ａにより構成されており、その特徴は、時間情報（ＴＳ）が情報信号の所定の単位の基準となる固定された位置（タイミング）から時間情報（ＴＳ）が付加される位置（タイミング）までの時間を表す所定単位内時間情報である下位ビット（Ｍビット）の情報により構成されているところである。
【０２０３】
一方、受信側においては、情報信号の一定の情報単位が複数個集まって所定の単位をなすとともに所定の単位は各所定の単位を識別するため識別符号を有する場合に、情報信号の所定の単位の基準となる固定された位置（タイミング）から時間情報（ＴＳ）が付加される位置（タイミング）までの時間を表す所定単位内時間情報である下位ビット（Ｍビット）により構成され、この一定の情報単位の情報信号毎に付加されている時間情報に応じて一定の情報単位の情報信号毎に前記情報信号の所定単位内時間情報が表す時間一定の情報単位（ブロック）を遅延する時間情報読出手段５６ａと時間情報蓄積手段５７ａと第２のカウンタであるＭビットカウンタ５９ａと比較手段６０ａとにより構成とされており、その特徴は、時間情報（ＴＳ）が情報信号の所定の単位の基準となる固定された位置（タイミング）から時間情報（ＴＳ）が付加される位置（タイミング）までの時間を表す所定単位内時間情報である下位ビット（Ｍビット）の情報により構成され、この一定の情報単位の情報信号毎に付加されている時間情報に応じて一定の情報単位の情報信号毎に情報信号の所定単位内時間情報が表す時間一定の情報単位（ブロック）を遅延する構成とされているところである。
【０２０４】
また、１つの集合情報単位を一定時間内に蓄積された情報とする場合、例えば一定の情報単位であるブロックが映像信号の１ライン周期内に発生した数を集めて１つの集合情報単位をなす場合は本実施の形態におけるＮビットカウンタ５４ａ、５８ａを不要とすることができる。
【０２０５】
すなわち、送信側においては、情報信号の一定の情報単位が複数個集まって一定の時間長を有する所定の単位をなす場合に、時間情報付加手段は前記情報信号の所定の単位の基準となる固定された位置（タイミング）から時間情報（ＴＳ）が付加される位置（タイミング）までの時間を計数する所定単位内計数手段であるＭビットカウンタ５５ａにより構成されており、その特徴は、時間情報（ＴＳ）が情報信号の所定の単位の基準となる固定された位置（タイミング）から時間情報（ＴＳ）が付加される位置（タイミング）までの時間を表す所定単位内時間情報である下位ビット（Ｍビット）の情報により構成されているところである。
【０２０６】
一方、受信側においては、情報信号の一定の情報単位が複数個集まって一定の時間長を有する所定の単位をなす場合に、一定の情報信号あるいは所定の単位の数を計数することにより得られる情報信号の所定の単位の基準となる固定された位置（タイミング）から時間情報（ＴＳ）が付加される位置（タイミング）までの時間を表す所定単位内時間情報である下位ビット（Ｍビット）により構成され、この一定の情報単位の情報信号毎に付加されている時間情報に応じて一定の情報単位の情報信号毎に前記情報信号の所定単位内時間情報が表す時間一定の情報単位（ブロック）を遅延する時間情報読出手段５６ａと時間情報蓄積手段５７ａと第２のカウンタであるＭビットカウンタ５９ａと比較手段６０ａとにより構成とされており、その特徴は、時間情報（ＴＳ）が一定の情報信号あるいは所定の単位の数を計数することにより得られる情報信号の所定の単位の基準となる固定された位置（タイミング）から時間情報（ＴＳ）が付加される位置（タイミング）までの時間を表す所定単位内時間情報である下位ビット（Ｍビット）により構成され、この一定の情報単位の情報信号毎に付加されている時間情報に応じて一定の情報単位の情報信号毎に情報信号の所定単位内時間情報が表す時間一定の情報単位（ブロック）を遅延する構成とされているところである。
【０２０７】
このような構成にすることにより、（実施の形態５）と同様の効果が得られる。
【０２０８】
なお、本実施の形態では（実施の形態２）に時間情報付加手段２８、時間情報再生手段３０を設けたものであるが、他の実施の形態に時間情報付加手段を設けても同様の効果が得られる。
【０２０９】
なお、本実施の形態では所定の単位は映像信号の１ラインとしたが、所定の単位は一定の間隔であればよい。  従って、所定の単位を映像信号のｎライン（ｎは１以上の自然数）とすることもできるし、所定の単位を映像信号のｎフィールド、ｎフレーム（ｎは１以上の自然数）としてもよい。
【０２１０】
また、映像信号の所定の単位の固定された位置（タイミング）はライン、フィールド、フレームのいずれかに同期したものであればよい。
【０２１１】
従って、必ずしもライン、フィールド、フレームのいずれかの先頭でなくともよい。
【０２１２】
また、所定の単位が１ラインである場合はラインカウンタ、１フィールドである場合はフィールドカウンタ、１フレームである場合はフレームカウンタを番号計数手段として用いることができる。
【０２１３】
（実施の形態１０）
図２１は本発明の第１０の実施の形態である伝送システム若しくは伝送方法及びこれを構成する送信装置若しくは送信方法と受信装置若しくは受信方法とを示した図（時間情報付加手段３９においてＥＣＣエンコーダ１２が信号を出力した時間情報をブロック毎に付加する場合）である。なお、上記実施の形態において既に説明したものは同じ符号を用い、その説明を省略する。
【０２１４】
本実施の形態は、特に、（実施の形態６）の時間情報付加手段３９、時間情報再生手段４０、及びその時間情報の付加・再生方法についてさらに詳細な別の実施の形態を提供するものである。
【０２１５】
時間情報付加手段３９は所定単位計数手段５０ｂであるＮビットカウンタ５４ｂと所定単位内計数手段５１ｂであるＭビットカウンタ５５ｂとにより構成される。
【０２１６】
ここで、本実施の形態にかかる発明の送信装置又は受信装置などで取り扱われる情報信号は送受信間で時間関係を保存する必要のある信号である映像信号であり、映像信号のライン周期を所定の単位としている。従って、映像信号の一定の情報単位であるブロックが映像信号の１ライン周期内に発生した数、すなわち複数個集まって所定の単位であるラインを形成している。
【０２１７】
Ｎビットカウンタ５４ｂは入力された映像信号のうちライン周期の数を計数するものであり、ＥＣＣエンコーダ１２が出力するブロックが予め定められた基準から何番目のライン周期の時に出力されたのかを計数し、その値をＮビットで出力する。ここで、予め定められた基準とは時間の基準であって、送受信間で共通に時計を有する構成としある特定の時間を基準としてもよいし、前に送信側から受信側に送られたブロックや同期信号などの特定の信号を基準としてもよい。
【０２１８】
すなわち、Ｎビットカウンタ５４ｂはＣｌｏｃｋ端子に入力される基本クロックに同期してＣＥ端子から入力される映像信号のラインの先頭のタイミングを基準としてラインの数を計数し、ＯＥ端子から入力される映像信号のブロックの発生するタイミングに基づいて、すなわちＥＣＣエンコーダ１２が出力したブロックが予め定められた基準から何番目のライン周期の時に出力されたのかを表す計数値をＮビットで出力する。
【０２１９】
Ｍビットカウンタ５５ｂはＥＣＣエンコーダ１２が出力する映像信号のブロックについて、ライン周期の基準となる位置、例えばそれが属するラインの先頭位置（タイミング）から現在、すなわち映像信号のブロックがＥＣＣエンコーダ１２から出力される位置（タイミング）までの時間を計数するものであり、この計数値を時間情報としてＭビットで出力するものである。
【０２２０】
すなわち、Ｍビットカウンタ５５ｂはＣｌｏｃｋ端子に入力される基本クロックに同期しかつＲｅｓｅｔ端子から入力される映像信号のラインの先頭のタイミング（リセットタイミング信号）によってその計数値をリセットすることにより、ラインの先頭から現在までの時間を計数しつづけ、ＯＥ端子から入力される映像信号のブロックの発生するタイミングに基づいて、その計数値、すなわちラインの先頭位置（タイミング）から現在、すなわち映像信号のブロックがＥＣＣエンコーダ１２から出力されている位置（タイミング）までの時間を表す計数値をＭビットで出力する。
【０２２１】
ここで、本実施の形態では基本クロックは２７ＭＨｚ又は３６ＭＨｚの基本クロックを用いる。なお、この基本クロックの情報は受信装置において送信装置から伝送される搬送波から再生してもよいし、映像信号を伝送している伝送路とは別の伝送路で送信装置から受信装置に送ってもよい。また、この基本クロックと同様にＭビットカウンタ５５ｂが時間情報（ＴＳ）を計測する際に基準とする信号であるリセットスタートタイミング信号（ＲＳＴ）を送信装置から受信装置に送られる映像信号から再生してもよいし、映像信号を伝送している伝送路とは別の伝送路で送信側にから受信側に送信してもよい。
【０２２２】
従って、時間情報付加手段２８全体としてはＮビットカウンタ５４ｂが出力するＮビットの信号を上位とし、Ｍビットカウンタ５５ｂが出力するＭビットの信号を下位として、合計（Ｎ＋Ｍ）ビットの時間情報をＥＣＣエンコーダ１２の出力信号に付加する。
【０２２３】
一方、ＥＣＣエンコーダ１２を用いない場合は、時間情報付加手段３９は圧縮手段４の出力信号が出力された時間情報（ＴＳ）をブロック毎に認識する構成とし、圧縮手段４の出力信号にブロック毎に時間情報を付加してバッファ２９ｂに出力する。バッファ２９ｂは圧縮手段４と同期信号付加手段１３との間に設け、圧縮手段４の出力信号を一旦蓄積し、バッファ２９ｂは一定時間内に蓄積された情報を１つの集合単位として同期信号付加手段１３に出力する。
【０２２４】
つぎに、時間情報再生手段３０においては所定単位遅延手段５２ｂを時間情報読出手段５６ｂと時間情報蓄積手段５７ｂと第１のカウンタであるＮビットカウンタ５８ｂと比較手段６０ｂとにより構成し、所定単位内遅延手段５３ｂを時間情報読出手段５６ｂと時間情報蓄積手段５７ｂと第２のカウンタであるＭビットカウンタ５９ｂと比較手段６０ｂとにより構成する。
【０２２５】
時間情報読出手段５６ｂは同期信号除去手段７の出力信号からブロック毎に付与された時間情報のみを抽出して出力する手段である。
【０２２６】
時間情報蓄積手段５７ｂは時間情報読出手段５６ｂによって抽出された時間情報（ＴＳ）の値をＮビットを上位とし、Ｍビットを下位として抽出された毎に順次蓄積し、最も古く蓄積された時間情報（ＴＳ）の値をＮビットを上位とし、Ｍビットを下位として出力する。また、後述する時間情報比較手段６０ｂの指示に従って、時間情報比較手段６０ｂの出力信号がバッファ６１ｂに入力され、バッファ６１ｂに蓄積されている最も古いブロックがバッファ６１ｂから出力される毎に時間情報蓄積手段５７ｂは現在出力している時間情報（ＴＳ）の次に古い時間情報（ＴＳ）を出力する。
【０２２７】
Ｎビットカウンタ５８ｂはＮビットカウンタ５８ｂのＬｏａｄ端子に一番最初に受信したブロックの時間情報（ＴＳ）の上位ビット（Ｎビット）の値（Ｌ）からＫ（Ｋは１以上の自然数であって、ブロック相互間の時間的間隔によって予め決定されているものである。）を引いた値（Ｌ−Ｋ）がロードされる。この後、送信側から供給されたリセットスタートタイミング信号（ＲＳＴ）がＣＥ端子に入力される毎に送信側から供給される基準クロック（Ｆ）に同期してＮビットカウンタ５８ｂは（Ｌ−Ｋ）の値から計数（カウントアップ）するとともに、その現在の計数値を出力する。
【０２２８】
Ｍビットカウンタ５９ｂは送信側から供給されるリセットスタートタイミング信号（ＲＳＴ）がＲｅｓｅｔ端子に入力される毎にＭビットカウンタ５９ｂの計数値をリセットするものであり、送信側から供給される基準クロック（Ｆ）に同期してＭビットカウンタ５９ｂはリッセットされた値（例えば、”０”）から計数（カウントアップ）するとともに、その現在の計数値を出力する。
【０２２９】
時間情報比較手段６０ｂは時間情報蓄積手段５７ｂの出力信号である時間情報（ＴＳ）の上位ビット（Ｎビット）の値とＮビットカウンタ５８ｂの出力値及び時間情報蓄積手段５７ｂの出力信号である時間情報（ＴＳ）の下位ビット（Ｍビット）の値とＭビットカウンタ５９ｂの出力値とを比較し、両者が共に等しい値に達した場合にバッファ６１ｂに対しては、バッファ６１ｂに蓄積されている最も古いブロックを出力するように指示する信号を出力し、また、時間情報蓄積手段５７ａに対しては、最も古く蓄積された時間情報（ＴＳ）の次に古い時間情報（ＴＳ）を出力するように指示する信号を出力する。
【０２３０】
バッファ６１ｂは同期信号除去手段７の出力信号を一旦蓄積し、時間情報比較手段６０ｂの出力信号に対応して、バッファ６１ｂに蓄積されている最も古いブロックを伸長手段１１（可変長復号化手段１５）に出力ものである。また、バッファ６１ｂはバッファ６１ｂに蓄積されている最も古いブロックを伸長手段１１（可変長復号化手段１５）に出力した後、出力したブロックの次に古いブロックを最も古いブロックとして扱う。このようにバッファ６１ｂは最も古いブロックを出力する毎に順次出力したブロックの次に古いブロックを最も古いブロックとして扱う。
【０２３１】
本実施の形態では時間情報蓄積手段５７ｂ及びバッファ６１ｂにＦＩＦＯ（Ｆｉｒｓｔ  Ｉｎ  Ｆｉｒｓｔ  Ｏｕｔ）メモリを用いている。
【０２３２】
一方、ＥＣＣデコーダ１４を用いない場合は、時間情報再生手段４０は時間情報付加手段３９により付加された時間情報をブロック毎に認識する。この時間情報再生手段４０の指示に従って同期信号除去手段７の出力信号が蓄積されたバッファ３１ｂはその蓄積された情報信号をブロック毎に時間情報に対応したタイミングで出力する。バッファ３１ｂは同期信号除去手段７と伸長手段１１との間に設け、同期信号除去手段７の出力信号を一旦蓄積する構成とすればよい。
【０２３３】
すなわち、本発明の送信装置又は送信方法は映像信号のライン周期を所定の単位とする場合において、情報信号である映像信号の一定の情報単位であるブロックが映像信号の１ライン周期内に発生した数、すなわち複数個集まって所定の単位であるラインをなす場合において、（実施の形態６）に記載した時間情報は圧縮手段４（ＥＣＣエンコーダ１２を用いない場合）又はＥＣＣエンコーダ１２（ＥＣＣエンコーダ１２を用いる場合）から出力された情報信号（映像信号）のブロックが何番目の所定の単位（ライン）の周期の時に出力されたのかを表す所定単位時間情報と、情報信号（映像信号）の所定の単位（ライン）の固定された位置（タイミング）である先頭位置（タイミング）から現在の圧縮手段４（ＥＣＣエンコーダ１２を用いない場合）又はＥＣＣエンコーダ１２（ＥＣＣエンコーダ１２を用いる場合）から出力されている情報信号（映像信号）の位置（タイミング）までの時間を表す所定単位内時間情報とにより構成されている。
【０２３４】
一方、本発明の受信装置又は受信方法は映像信号のライン周期を所定の単位とする場合において、情報信号である映像信号の一定の情報単位であるブロックが映像信号の１ライン周期内に発生した数、すなわち複数個集まって所定の単位であるラインをなす場合において、（実施の形態６）に記載した時間情報は圧縮手段４（ＥＣＣエンコーダ１２を用いない場合）又はＥＣＣエンコーダ１２（ＥＣＣエンコーダ１２を用いる場合）から出力された情報信号（映像信号）のブロックが予め定められた基準から何番目の所定の単位（ライン周期）のときに出力されたかを表す所定単位時間情報と、情報信号（映像信号）の所定の単位（ライン周期）の基準となる固定された位置（タイミング）である先頭位置（タイミング）から現在、すなわち圧縮手段４（ＥＣＣエンコーダ１２を用いない場合）又はＥＣＣエンコーダ１２（ＥＣＣエンコーダ１２を用いる場合）から出力されている情報信号（映像信号）の位置（タイミング）までの時間を表す所定単位内時間情報とにより構成され、この一定の情報単位（ブロック）の情報信号（映像信号）毎に付加されている時間情報に基づいて所定単位時間情報が表す時間に相当するタイミングを基準にして、そのタイミングから所定単位内時間情報が表す時間一定の情報単位（ブロック）を遅延する構成としている。
【０２３５】
以上のような伝送システムにおいて以下にその動作を説明する。
【０２３６】
送信装置若しくは送信方法では、デジタル映像入力信号は圧縮手段４に入力されて情報量が圧縮される。圧縮手段４の出力信号（図２２（ａ））はＥＣＣエンコーダ１２に出力され、圧縮手段４の出力信号はＥＣＣエンコーダ１２において各々の映像信号に誤り訂正符号が付される。つぎに、ＥＣＣエンコーダ１２の出力信号（図２２（ｂ）参照）が出力された時間情報（ＴＳ）を一定の情報単位であるブロック毎に付加する（図２２（ｃ））。ここで、時間情報付加手段２９が出力する時間情報は、Ｎビットカウンタ５４ｂによって出力されるＮビットの信号であって、映像信号のブロックがそのブロックが予め定められた基準から何番目のライン周期の時に圧縮手段４又はＥＣＣエンコーダ１２に出力されたかを示すラインの番号を表す所定単位時間情報（図２２中ライン番号：２、３…と記している。）を上位ビットとし、Ｍビットカウンタ５５ｂによって出力されるＭビットの信号であって、映像信号のブロックが圧縮手段４又はＥＣＣエンコーダ１２に出力されるブロックが属するライン周期の基準となる固定された位置（タイミング）であるラインの先頭から、そのブロックが圧縮手段４又はＥＣＣエンコーダ１２から出力されている映像信号の位置（タイミング）までの時間を表す、すなわちラインの先頭から現在の出力されている映像信号の位置（タイミング）までの時間を表す所定単位内時間情報（図２２中Ｔ１、Ｔ２…と記している。）を下位ビットとして構成している。なお、ここでは映像信号の各々に時間情報（ＴＳ２１〜ＴＳ３３、ＴＳ（ライン番号）（ライン内時刻））までを付加している。なお、本実施の形態では基本クロック及びリセットスタートタイミング信号（ＲＳＴ）は別の伝送線により送信側から受信側に送られている。
【０２３７】
ＥＣＣエンコーダ１２の出力信号はバッファ２９ｂに一旦蓄積され、一定時間内に蓄積された情報を１つの集合単位として同期信号付加手段１３に出力される。バッファ２９ｂの出力信号は同期信号付加手段１３に出力され同期信号が付加されたのちに（図２０（ｄ））伝送路を介して伝送される。
【０２３８】
一方、受信装置若しくは受信方法では、受信信号（図２２（ｅ））のうち同期信号除去手段７で同期信号が除去された後、同期信号除去手段７の出力信号（図２２（ｆ））は、同期信号除去手段７の出力信号中の時間情報（ＴＳ２１〜ＴＳ３３）に基づいて映像信号はバッファ６１ｂによって送信時に映像信号がＥＣＣエンコーダ１２から出力されたのと同じ時間間隔になるように遅延して出力される（図２２（ｇ））。つぎに、ＥＣＣデコーダ１４で誤り訂正符号に基づいて信号の誤り訂正が行われる（図２２（ｈ））。
【０２３９】
すなわち、同期信号除去手段７の出力信号であるブロックは、バッファ６１ｂに蓄積される。一方、時間情報読出手段５６ｂによってそのブロックに付与されている時間情報（ＴＳ）を読み出し、その値を時間情報蓄積手段５７ｂに蓄積する。さらに、新たなブロックが同期信号除去手段７から出力されるとその新たなブロックをバッファ６１ｂに蓄積し、そのブロックに対応した時間情報（ＴＳ）を読み出し、その値を時間情報蓄積手段５７ｂに順次蓄積する。
【０２４０】
一方、第１のカウンタであるＮビットカウンタ５８ｂには一番最初に受信したブロックの時間情報（ＴＳ）の上位Ｎビットの値（Ｌ）からＫ（Ｋは１以上の自然数）を引いた値（Ｌ−Ｋ）がロードされ、この後、送信側から供給されるリセットスタートタイミング信号（ＲＳＴ）がＮビットカウンタ５８ｂに入力される毎にＮビットカウンタ５８ｂの出力信号は１づつカウントアップされる。
【０２４１】
また、第２のカウンタであるＭビットカウンタ５９ｂには、送信側よりリセットスタートタイミング信号（ＲＳＴ）が供給される毎にリセットとされＭビットカウンタ５９ｂの出力信号はリセットされた値（例えば”０”）から１づつカウントアップする。
【０２４２】
つぎに、時間情報蓄積手段５９ｂに蓄積されている最も古い時間情報（ＴＳ）の上位ビット（Ｎビット）の値とＮビットカウンタ５８ｂの出力値及び最も古い時間情報（ＴＳ）の下位ビット（Ｍビット）の値とＭビットカウンタ５９ｂの出力値とが時間情報比較手段６０ｂによって比較され両者が等しい値に達した場合、時間情報比較手段６０ｂの出力信号はバッファ６１ｂに対して蓄積されている最も古いブロックを出力するように指示し、バッファ６１ｂは該指示に従って最も古いブロックを出力するとともに、時間情報蓄積手段５７ｂに対しては、最も古く蓄積された時間情報（ＴＳ）の次に古いブロックの時間情報（ＴＳ）を出力するように指示し、時間情報蓄積手段５７ｂは最も古く蓄積された時間情報（ＴＳ）の次に古い時間情報（ＴＳ）を出力する。
【０２４３】
この後、最も古いブロックの次に古いブロックの時間情報の上位ビット（Ｎビット）の値とＮビットカウンタ５８ｂの出力値及び時間情報の下位ビット（Ｍビット）の値とＭビットカウンタ５９ｂの出力値とを比較し、上記と同様に両者が等しい値に達した場合に時間情報蓄積手段５７ｂ及びバッファ６１ｂに信号を出力し、バッファ６１ｂは最も古いブロックの次に古いブロック（現在の最も古いブロック）を出力し、時間情報蓄積手段５７ｂは最も古く蓄積された時間情報（ＴＳ）の次の次に古い時間情報（ＴＳ）（現在の最も古いブロックの次に古いブロックの時間情報（ＴＳ））を出力する。
【０２４４】
この上記と同様の動作を繰り返すとともに、バッファ６１ｂの出力信号はこの後、伸張されてデジタル映像出力信号となる。
【０２４５】
また、図１８に示すように所定の単位毎に所定の識別番号（本実施の形態においては、ライン毎に付与されているライン番号であり、図１８中、識別番号１・・・識別番号ｎ（ｎは１以上の自然数）の１〜ｎがライン番号に相当する）を同期信号の中にあるいは同期信号とともに付与して情報を伝送する方式では本実施の形態におけるＮビットカウンタ５４ｂ及び５８ｂを不要とすることができる。
【０２４６】
すなわち、送信側においては、情報信号の一定の情報単位が複数個集まって所定の単位をなすとともに所定の単位は各所定の単位を識別するための識別符号を有する場合に、時間情報付加手段は前記情報信号の所定の単位の基準となる固定された位置（タイミング）から時間情報（ＴＳ）が付加される位置（タイミング）までの時間を計数する所定単位内計数手段であるＭビットカウンタ５５ａにより構成されており、その特徴は、時間情報（ＴＳ）が情報信号の所定の単位の基準となる固定された位置（タイミング）から時間情報（ＴＳ）が付加される位置（タイミング）までの時間を表す所定単位内時間情報である下位ビット（Ｍビット）の情報により構成されているところである。
【０２４７】
一方、受信側においては、情報信号の一定の情報単位が複数個集まって所定の単位をなすとともに所定の単位は各所定の単位を識別するため識別符号を有する場合に、情報信号の所定の単位の基準となる固定された位置（タイミング）から時間情報（ＴＳ）が付加される位置（タイミング）までの時間を表す所定単位内時間情報である下位ビット（Ｍビット）により構成され、この一定の情報単位の情報信号毎に付加されている時間情報に応じて一定の情報単位の情報信号毎に前記情報信号の所定単位内時間情報が表す時間一定の情報単位（ブロック）を遅延する時間情報読出手段５６ｂと時間情報蓄積手段５７ｂと第２のカウンタであるＭビットカウンタ５９ｂと比較手段６０ｂとにより構成とされており、その特徴は、時間情報（ＴＳ）が情報信号の所定の単位の基準となる固定された位置（タイミング）から時間情報（ＴＳ）が付加される位置（タイミング）までの時間を表す所定単位内時間情報である下位ビット（Ｍビット）の情報により構成され、この一定の情報単位の情報信号毎に付加されている時間情報に応じて一定の情報単位の情報信号毎に情報信号の所定単位内時間情報が表す時間一定の情報単位（ブロック）を遅延する構成とされているところである。
【０２４８】
また、１つの集合情報単位を一定時間内に蓄積された情報とする場合、例えば一定の情報単位であるブロックが映像信号の１ライン周期内に発生した数を集めて１つの集合情報単位をなす場合は本実施の形態におけるＮビットカウンタ５４ｂ、５８ｂを不要とすることができる。
【０２４９】
すなわち、送信側においては、情報信号の一定の情報単位が複数個集まって一定の時間長を有する所定の単位をなす場合に、時間情報付加手段は前記情報信号の所定の単位の基準となる固定された位置（タイミング）から時間情報（ＴＳ）が付加される位置（タイミング）までの時間を計数する所定単位内計数手段であるＭビットカウンタ５５ｂにより構成されており、その特徴は、時間情報（ＴＳ）が情報信号の所定の単位の基準となる固定された位置（タイミング）から時間情報（ＴＳ）が付加される位置（タイミング）までの時間を表す所定単位内時間情報である下位ビット（Ｍビット）の情報により構成されているところである。
【０２５０】
一方、受信側においては、情報信号の一定の情報単位が複数個集まって一定の時間長を有する所定の単位をなす場合に、一定の情報信号あるいは所定の単位の数を計数することにより得られる情報信号の所定の単位の基準となる固定された位置（タイミング）から時間情報（ＴＳ）が付加される位置（タイミング）までの時間を表す所定単位内時間情報である下位ビット（Ｍビット）により構成され、この一定の情報単位の情報信号毎に付加されている時間情報に応じて一定の情報単位の情報信号毎に前記情報信号の所定単位内時間情報が表す時間一定の情報単位（ブロック）を遅延する時間情報読出手段５６ｂと時間情報蓄積手段５７ｂと第２のカウンタであるＭビットカウンタ５９ｂと比較手段６０ｂとにより構成とされており、その特徴は、時間情報（ＴＳ）が一定の情報信号あるいは所定の単位の数を計数することにより得られる情報信号の所定の単位の基準となる固定された位置（タイミング）から時間情報（ＴＳ）が付加される位置（タイミング）までの時間を表す所定単位内時間情報である下位ビット（Ｍビット）により構成され、この一定の情報単位の情報信号毎に付加されている時間情報に応じて一定の情報単位の情報信号毎に情報信号の所定単位内時間情報が表す時間一定の情報単位（ブロック）を遅延する構成とされているところである。
【０２５１】
このような構成にすることにより、（実施の形態６）と同様の効果が得られる。
【０２５２】
なお、本実施の形態では（実施の形態２）に時間情報付加手段３９、時間情報再生手段４０を設けたものであるが、他の実施の形態に時間情報付加手段を設けても同様の効果が得られる。
【０２５３】
なお、本実施の形態では所定の単位は映像信号の１ラインとしたが、所定の単位は一定の間隔であればよい。従って、所定の単位を映像信号のｎライン（ｎは１以上の自然数）とすることもできるし、所定の単位を映像信号のｎフィールド、ｎフレーム（ｎは１以上の自然数）としてもよい。
【０２５４】
また、映像信号の所定の単位の固定された位置（タイミング）はライン、フィールド、フレームのいずれかに同期したものであればよい。
【０２５５】
従って、必ずしもライン、フィールド、フレームのいずれかの先頭でなくともよい。
【０２５６】
また、所定の単位が１ラインである場合はラインカウンタ、１フィールドである場合はフィールドカウンタ、１フレームである場合はフレームカウンタを番号計数手段として用いることができる。
【０２５７】
（実施の形態１１）
図２３は本発明の一実施の形態である伝送システム若しくは伝送方法及びこれを構成する送信装置若しくは送信方法と受信装置若しくは受信方法とを示した図である。なお、上記実施の形態において既に説明したものは同じ符号を用い、その説明を省略する。
【０２５８】
図２３において、３２はデジタル映像信号を情報量を圧縮せずに出力する非圧縮手段である。３３は可変長符号化手段３の出力信号と非圧縮手段３２の出力信号とのどちらが入力されたかを識別し、情報量が圧縮された信号（以下、圧縮信号という）か情報量が圧縮されていない信号（以下、非圧縮信号という）かを識別するための識別信号を付加する識別信号付加手段であり、入力された信号が圧縮信号の場合は、その圧縮された信号のブロックを複数ブロック分集めて出力する。３４は識別信号付加手段３３の出力信号に同期信号を付加する同期信号付加手段であり、送信すべき信号が圧縮信号の場合は複数ブロックの映像信号に一つの同期信号を付加したものを一つの集合情報単位として、送信すべき信号が非圧縮信号の場合は１つのブロックの映像信号に一つの同期信号を付加したものを一つの集合情報単位として伝送路である同軸ケーブル６に出力（送信）する。
【０２５９】
３５は入力（受信）された一つの集合情報単位の信号のうち同期信号を除去する同期信号除去手段である。３６は入力された同期信号除去手段３５の出力信号を識別信号付加手段３３が付加した信号に従って、圧縮信号と非圧縮信号とのどちらが入力されたかを認識し、圧縮信号が入力されたと認識した場合は後述するＥＣＣデコーダ３７に、非圧縮信号が入力されと認識した場合は後述する非伸張手段３８に信号を出力する。３８は入力された識別信号認識手段３６の出力信号を情報量を伸張せずに出力する非伸張手段であり、３７は入力された識別信号認識手段３６の出力信号の所定の単位である１ブロック毎の誤り訂正符号に基づいて符号化された映像信号の誤りを検出・訂正するＥＣＣデコーダである。
【０２６０】
すなわち、送信装置若しくは送信方法は、入力された映像信号の情報量を圧縮し一定の情報単位毎に出力する圧縮手段４、圧縮手段４の出力信号をｎ単位（ｎは１以上の自然数）集めて誤り訂正信号を付加するＥＣＣエンコーダ１２と、入力された情報信号を圧縮せずに一定の集合情報単位毎に出力する非圧縮手段３２と、ＥＣＣエンコーダ１２の出力信号が入力された場合はＥＣＣエンコーダ１２の出力信号を複数単位集めて出力し、非圧縮手段３２の出力信号が入力された場合は集合情報単位を一つ出力するとともに圧縮信号か否かを識別する識別符号を付加する識別情報付加手段３３と、識別情報付加手段３３の出力信号に一つの同期信号を付加する同期信号付加手段３４とを備え、同期信号付加手段３４の出力信号を送信する構成とした。その特徴は情報信号は情報量が圧縮された一定の情報単位であるブロックの圧縮信号を複数単位集め１つの集合情報単位として送信する送信装置と、一定の情報単位の情報量が圧縮されていない情報信号、すなわち非圧縮信号の１つを１つの集合情報単位として送信する送信装置とを備え、どちらの送信装置から出力された信号であるかを識別する信号を付加し、さらに１つの同期信号を付加するようにした送信装置若しくは送信方法である。
【０２６１】
一方、受信装置若しくは受信方法は、一つの同期信号と複数単位の圧縮された情報信号若しくは１つの圧縮されていない情報信号を１つの集合情報単位として受信するとともに受信された信号のうち同期信号を除去する同期信号除去手段３５と、同期信号除去手段３５の出力信号を圧縮信号か否かを識別する識別符号に従って分配する識別信号認識手段３６と、識別信号認識手段３６の出力信号が圧縮信号の場合に、誤り訂正信号を付加された一定の情報単位毎に誤り訂正信号に基づいて信号の誤り訂正を行うＥＣＣデコーダ３７と、ＥＣＣデコーダ３７の出力信号を一定の情報単位毎に伸張する伸張手段１１と、識別信号認識手段の出力信号のうち非圧縮信号を入力する非伸張手段３８とを備えており、その特徴は情報信号は情報量が圧縮された一定の情報単位であるブロックの圧縮信号を複数単位集め１つの集合情報単位として受信する受信装置と、１つの同期信号と一定の情報単位の非圧縮信号の１つを１つの集合情報単位として受信する受信装置とを備え、１つの集合情報単位に１つの単位の情報信号が含まれているか複数単位の情報信号が含まれているかを識別し、その識別結果に基づいて受信装置を選択する構成したものである。
【０２６２】
このような送信装置若しくは送信方法と受信装置若しくは受信方法とにより伝送路を介して伝送システムを構成している。
【０２６３】
以上のような伝送システム及びこれを構成する送信装置と受信装置とにより送受信されるデータ形式を図２４を用いて説明する。
【０２６４】
図２４は１つの集合情報単位におけるデータ形式を表した図である。図２４（ａ）は本実施の形態の圧縮信号のデータ形式を示す図であり、圧縮情報信号ａ（映像信号ａ）、圧縮情報信号ｂ（映像信号ｂ）、圧縮情報信号ｃ（映像信号ｃ）は映像入力信号の情報量を圧縮しブロック化した信号であり、この１ブロックの情報信号の各々に誤り訂正信号（誤り訂正符号）を付加して複数個集め、これに１つの同期信号を付加して一つ集合情報単位の信号を形成している。一方、図２４（ｂ）は、本実施の形態の非圧縮信号のデータ形式を示す図であり、非圧縮情報信号（映像信号）は映像入力信号の情報量を圧縮せずにブロック化した信号であり、この１ブロックの情報信号の１つと、これに１つの同期信号を付加して一つ集合情報単位の信号を形成している。
【０２６５】
このような構成にすることにより、複数の情報（信号）源を１つの集合情報単位に含めることができ、また識別信号により非圧縮信号も含めることができ信号の伝送を効率よく行うことができる。
【０２６６】
なお、本実施の形態では１ブロック毎の映像信号に誤り訂正符号を付加したが情報信号２ブロック（２単位）ごとに誤り訂正信号を付加するなど複数単位毎の映像信号に誤り訂正符号を付加しても同様の効果が得られる。
【０２６７】
また、本実施の形態では（実施の形態２）のものに非圧縮情報信号を送信若しくは受信する装置又は方法を付加した例を示したが、他の実施の形態（実施の形態１〜実施の形態５）のものに非圧縮情報信号を送信若しくは受信する装置又は方法を付加したものでも同様の効果が得られる。
【０２６８】
（実施の形態１２）
図２５は本発明の第１２の実施の形態である伝送システムの１つの集合情報単位におけるデータ形式を表した図である。なお、上記実施の形態において既に説明したものは同じ符号を用い、その説明を省略する。また、本実施の形態は（実施の形態２）をＳＤＩ規格（Ｓｅｒｉａｌ  Ｄｉｇｉｔａｌ  Ｉｎｔｅｒｆａｃｅ）（ＳＭＰＴＥ  ２５９Ｍ（ＰＲＯＰＯＳＥＤ  ＳＭＰＴＥ  ＳＴＡＮＤＡＲＤ  ＦＯＲ  ＴＥＬＥＶＩＳＩＯＮ  １０Ｂｉｔ  ４：２：２  Ｃｏｍｐｏｎｅｎｔ  ａｎｄ  ４ｆｓｃ  Ｃｏｍｐｏｓｉｔｅ  Ｄｉｇｉｔａｌ  Ｓｉｇｎａｌｓ））に適用したものである。
【０２６９】
図２５Ａは、本発明の第７の実施の形態である伝送システムの１つの集合情報単位におけるデータ形式を表した図である。図２５Ａ（ａ）は、１つの集合情報単位におけるデータ形式全体を示したものであり、図２５Ａ（ａ）において、Ａｎｃｉｌｌａｒｙ  Ｄａｔａ  Ｓｐａｃｅは同期信号と情報信号以外の信号であって、映像信号自体ではないが必要となる情報信号である補助データ信号を設ける領域である。このＡｎｃｉｌｌａｒｙ  Ｄａｔａ  Ｓｐａｃｅは２６８ワード（１ワード＝１０ビット）設けられている。Ａｃｔｉｖｅ  Ｖｉｄｅｏ  Ｌｉｎｅ  Ｓｐａｃｅは情報信号を設ける領域であり、１４４０ワード（コンポーネントデジタル映像情報の１ライン分に相当する）設けている。
【０２７０】
なお、ＥＡＶ（Ｅｎｄ  ｏｆ  Ａｃｔｉｖｅ  Ｖｉｄｅｏ）は同期コードの１つであって、ＰＡＹＬＯＡＤ（Ａｃｔｉｖｅ  Ａｒｅａ）の直後に設けられた同期コードである。ＳＡＶ（Ｓｔａｒｔ  ｏｆ  Ａｃｔｉｖｅ  Ｖｉｄｅｏ）は、同期コードの１つであってＰＡＹＬＯＡＤ（Ａｃｔｉｖｅ  Ａｒｅａ）の直前に設けられた同期コードである。ＡＮＣ  Ｄａｔａ  Ｐａｃｋｅｔ（Ａｎｃｉｌｌａｒｙ  Ｄａｔａ  Ｐａｃｋｅｔ）は、ＥＡＶとＳＡＶの間がＨＡＮＣ（Ｈ（ｈｏｒｉｚｏｎｔａｌ）のＡＮＣ）のエリアであるがそこに補助的に入れられたオプション的なデータをいい、一般的には、ここにオーディオデータを挿入して用いている。以上が、ＳＤＩ規格によって定められているデータ形式の概略である。
【０２７１】
つぎに、本発明をＳＤＩ規格に適用した場合の一実施の形態を以下に示す。図２５Ａ（ｂ）はＳＤＩ規格中、Ａｃｔｉｖｅ  Ｖｉｄｅｏ  Ｌｉｎｅ  Ｓｐａｃｅを詳細に示した図であり、図２５Ａ（ｂ）において、一定の情報単位は１７４ワードとされており、この一定の情報単位が８個集まって１つのＡｃｔｉｖｅ  Ｖｉｄｅｏ  Ｌｉｎｅ  Ｓｐａｃｅを形成している。なお、余りの４８ワードは、未使用領域としてブランクデータを入れてもよいが、補助データを入れて使用するなど追加オプションとして使うことができる。
【０２７２】
つぎに、図２５Ａ（ｃ）は本実施の形態の一定の情報単位を詳細に示した図であり、図２５Ａ（ｃ）において、Ｄａｔａ  Ｐａｃｋｅｔ  Ｐａｙｌｏａｄは圧縮された情報が設けられる領域であり、１６２ワード設けられている。ＲｅｅｄＳｏｌｏｍｏｎはＥＣＣが設けられる領域であり、４ワード設けられている。Ｔｉｍｅ  Ｓｔａｍｐは時間を表す情報であり、３ワード設けられている。なお、ＳＡＤ（Ｓｏｕｒｃｅ  Ａｄｄｒｅｓｓ）は、送り側（送信側）の機器アドレスであり、ＤＡＤと共に機器のルーティングが可能である。ＤＡＤ（Ｄｅｓｔｉｎａｔｉｏｎ  Ａｄｄｒｅｓｓ）は、受け側（受信側）の機器アドレスである。ＤＴ（Ｄａｔａ  Ｔｙｐｅ）ＢＬＯＣＫ内のデータ（ＤＶＣＰＲＯでは、１６２ワード）が何であるかしめすものである。
【０２７３】
ＰＴ（Ｐａｃｋｅｔ  Ｔｙｐｅ）はＳＤＩデータパケットのタイプを示すものであり、例えば、ＴＩＭＥ  ＳＴＡＭＰが有効か無効かなどを示している。ＷＣ（Ｗｏｒｄ  Ｃｏｕｎｔ）ＳＤＩデータパケットペイロードの中の有効データ長を示す。
【０２７４】
なお、本実施の形態では１ブロック毎の映像信号に誤り訂正符号を付加したが図４（ｄ）、（ｅ）のように情報信号２ブロック（２単位）ごとに誤り訂正信号を付加するなど複数単位毎の映像信号に誤り訂正符号を付加しても同様の効果が得られる。  すなわち、送信装置又は送信方法において、その特徴はＭバイト（本実施の形態では１４４０ワード）の情報信号を１つの集合情報単位として送受信する伝送システム（ＳＤＩ規格システム）において、（実施の形態１）〜（実施の形態６）に記載した送信装置又は送信方法の一定の情報単位をＮバイト（Ｍ＞Ｎであり、Ｍ、Ｎは自然数）（本実施の形態では１７４ワード）とすることである。
【０２７５】
一方、受信装置又は受信方法において、その特徴はＭバイト（本実施の形態では１４４０ワード）の情報信号を１つの集合情報単位として送受信する伝送システム（ＳＤＩ規格システム）において、（実施の形態１）〜（実施の形態６）に記載した受信装置又は受信方法の一定の情報単位をＮバイト（Ｍ＞Ｎであり、Ｍ、Ｎは自然数）（本実施の形態では１７４ワード）とすることである。
【０２７６】
以上のような構成により、例えば、既存のＳＤＩ規格を使用する機器のように、情報信号を設けるデータ領域が十分大きく設定されている既存の送信装置又は受信装置においても、既存の設備を用いたままで、１つの集合情報単位に多数の情報信号を含めることができ信号の伝送を効率よく行うことができる。
【０２７７】
つぎに、図２５Ｂは、本発明の第７の実施の形態である伝送システムの１つの集合情報単位におけるもう一つのデータ形式を表した図である。
【０２７８】
ここで、図２５Ｂ（ａ）は、ＳＤＩ規格によって定められているデータ形式であり図２５Ａ（ａ）と同じ図である。
【０２７９】
つぎに、本発明をＳＤＩ規格に適用した場合の一実施の形態を以下に示す。図２５Ｂ（ｂ）はＳＤＩ規格中、Ａｃｔｉｖｅ  Ｖｉｄｅｏ  Ｌｉｎｅ  Ｓｐａｃｅを詳細に示した図であり、図２５Ｂ（ｂ）において、一定の情報単位は１７１ワードとされており、この一定の情報単位が８個集まって１つのＡｃｔｉｖｅ  Ｖｉｄｅｏ  Ｌｉｎｅ  Ｓｐａｃｅを形成している。なお、余りの７２ワードは、未使用領域としてブランクデータを入れてもよいが、補助データを入れて使用するなど追加オプションとして使うことができる。
【０２８０】
つぎに、図２５Ｂ（ｃ）は本実施の形態の一定の情報単位を詳細に示した図であり、図２５Ｂ（ｃ）において、ＤＩＦ  Ｂｌｏｃｋ  Ｄａｔａは圧縮された情報が設けられる領域であり、ＤＩＦ  Ｂｌｏｃｋ  ＩＤは圧縮された情報の内容を識別する識別情報であり各々２つづつの領域が設けられている。ＴＹＰＥは圧縮方式やストリーム形式を示す情報であり、ＴＴ（Ｔｒａｎｓｍｉｓｓｉｏｎ  Ｔｙｐｅ）は転送速度や映像フレームの番号を示す情報、ＳＴ（Ｓｉｇｎａｌ  Ｔｙｐｅ）は信号形式を示す情報が各々設けられる領域であり、Ｒｅｓｅｒｖｅｄ  Ｄａｔａは例えば時間情報が付加できるように将来の目的のために予約されている情報領域であり、ＥＣＣは４バイトのＲｅｅｄ  Ｓｏｌｏｍｏｎ符号が設けられる領域である。
【０２８１】
なお、本実施の形態では１ブロック毎の映像信号に誤り訂正符号を付加したが図４（ｄ）、（ｅ）のように情報信号２ブロック（２単位）ごとに誤り訂正信号を付加するなど複数単位毎の映像信号に誤り訂正符号を付加しても同様の効果が得られる。すなわち、送信装置又は送信方法において、その特徴はＭバイト（本実施の形態では１４４０ワード）の情報信号を１つの集合情報単位として送受信する伝送システム（ＳＤＩ規格システム）において、（実施の形態１）〜（実施の形態６）に記載した送信装置又は送信方法の一定の情報単位をＮバイト（Ｍ＞Ｎであり、Ｍ、Ｎは自然数）（本実施の形態では１７１ワード）とすることである。
【０２８２】
一方、受信装置又は受信方法において、その特徴はＭバイト（本実施の形態では１４４０ワード）の情報信号を１つの集合情報単位として送受信する伝送システム（ＳＤＩ規格システム）において、（実施の形態１）〜（実施の形態６）に記載した受信装置又は受信方法の一定の情報単位をＮバイト（Ｍ＞Ｎであり、Ｍ、Ｎは自然数）（本実施の形態では１７１ワード）とすることである。
【０２８３】
以上のような構成により、例えば、既存のＳＤＩ規格を使用する機器のように、情報信号を設けるデータ領域が十分大きく設定されている既存の送信装置又は受信装置においても、既存の設備を用いたままで、１つの集合情報単位に多数の情報信号を含めることができ信号の伝送を効率よく行うことができる。
【０２８４】
なお、本実施の形態では（実施の形態２）のものをＳＤＩ規格に適用した場合を示したが、他の実施の形態（実施の形態１〜実施の形態１１）のものをＳＤＩ規格に適用しても同様の効果が得られる。
【０２８５】
（実施の形態１３）
つぎに、同軸ケーブル上にデジタル信号を伝送する際に、どの程度の符号長の誤り訂正符号をつければ、伝送効率をあまり減少させることなく十分な誤り訂正能力を保てるかについて述べる。
【０２８６】
まず、伝送路としては、伝送されるデジタル信号の減衰量がそのクロックの半分の周波数（搬送波周波数の半分の周波数）において２０ｄＢ〜３０ｄＢを超えない減衰量の長さの同軸ケーブルを使用する。
【０２８７】
すなわち、図２６に放送局内やスタジオで一般的に使用される５Ｃ２Ｖ同軸ケーブルのケーブル長と減衰量との関係を示す。本実施の形態において、信号の伝送クロック周波数は２７０ＭＨｚを用いるので、その半分の周波数における信号減衰量が２０ｄＢ〜３０ｄＢに相当する伝送距離（ケーブル長）は、伝送クロック周波数が２７０ＭＨｚの場合は２００ｍ〜２８０ｍとなり、３６０ＭＨｚの場合は１７０ｍ〜２５０ｍとなる。すなわち、その半分の周波数における信号減衰量が３０ｄＢを超えない範囲に相当する伝送距離（ケーブル長）は、伝送クロック周波数が２７０ＭＨｚの場合は２８０ｍ以下（約３００ｍ以下）となり、３６０ＭＨｚの場合は２５０ｍ以下となる。本実施の形態の誤り率測定において使用する５Ｃ２Ｖ同軸ケーブルの長さは２００ｍ及び１５０ｍとして実験を行った。また、クロックの周波数は２７０ＭＨｚとした。
【０２８８】
以上のような伝送路を用い、（表１）に示す６つの条件の信号を図２７に示すような送信装置から送信し、受信装置で受信してその誤り率を測定した。
【０２８９】
【表１】
0003543776.tif 000002
【０２９０】
ここで、信号の形態はカラーバーを使用し、送信装置側で付加するジッタは周波数１ＭＨｚ〜６ＭＨｚであり、ジッタ量は０．７ｎｓ以下であり、信号振幅は９０％又は１００％のものを使用した。すなわち、ジッタは図２８に示す範囲内のジッタを採用して行った。図２８はＳＭＰＴＥ２５９Ｍで規定されている伝送条件の一部を示している。
【０２９１】
ここで、ジッタとはデジタル信号の伝送の理想的な位置（タイミング）に対する時間変動であり、タイミングジッタとはある特定の周波数（一般的には１０Ｈｚあるいはそれ以下）より大きな周波数で起きるデジタル信号の伝送の位置（タイミング）的変動をいう。また、アライメントジッタとはデジタル信号の伝送の信号から抽出（再生）されたクロックに対する位置（タイミング）的な変動をいい、ユニットインターバル（Ｕｎｉｔ  Ｉｎｔｅｒｖａｌ：以下ＵＩという。）とは１クロックサイクル時間をいい、シリアル信号の伝送間の名目上の最短時間に相当する。これら発明者が本実験で使用した有線の伝送路上に伝送する信号の伝送方法はＳＭＰＴＥ２５９Ｍ規格あるいはＳＭＰＴＥ２９２Ｍ規格で規定されているものの範囲内である。
【０２９２】
誤り測定器でフィールド単位における誤り検出を行い誤り数をカウントアップした。また、測定時間と誤り数からエラーレートと誤り発生間隔を算出した。なお、フィールド単位の誤り検出を行っているので、フィールド単位での誤り数が１ビット以上であっても測定結果として１フィールドに１回の誤りがあったものとしている。従って、実際のエラーレートはデスクランブルによる誤り波及や１フィールド内で複数個の誤りが発生することも考えられることから、以下に示すエラーレートの測定結果よりも、さらに悪くなる可能性がある。
【０２９３】
上記条件に沿って発明者が実験を行った結果を（表２）〜（表７）に示す。
【０２９４】
【表２】
0003543776.tif 000003
【０２９５】
【表３】
0003543776.tif 000004
【０２９６】
【表４】
0003543776.tif 000005
【０２９７】
【表５】
0003543776.tif 000006
【０２９８】
【表６】
0003543776.tif 000007
【０２９９】
【表７】
0003543776.tif 000008
【０３００】
ここで、エラーレートは
エラーレート＝誤り数／（測定時間×２７０Ｍｂｐｓ）
で計算している。
【０３０１】
以上のような条件であっても、厳しい伝送環境では誤り率が１×１０-8程度になる場合がある。この誤り率は従来の非圧縮のデジタル映像信号を伝送する場合は、肉眼でほとんど検出できないため、実用上問題なかった。
【０３０２】
しかし、ＭＰＥＧ（Ｍｏｖｉｎｇ  Ｐｉｃｔｕｒｅ  Ｅｘｐｅｒｔｓ  Ｇｒｏｕｐ）やＤＶＣ（Ｄｅｇｉｔａｌ  Ｖｉｄｅｏ  Ｃａｓｓｅｔｔｅ）のような圧縮信号を伝送する場合、図５に示すように１ビットのエラーがＤＣＴのエリア単位、スライス単位、あるいはＧＯＰ（Ｇｒｏｕｐ  ｏｆ  Ｐｉｃｔｕｒｅ）単位で誤り波及を引き起こし、大きな画質劣化になる。画質劣化の影響度合いは、圧縮アルゴリズムやビット誤りの発生した場所により異なるが、いずれにしても何らかの誤り対策を講じなければ実用上問題となる。
【０３０３】
例えば、伝送速度２７Ｍｂｐｓ（ｂｉｔ  ｐｅｒ  ｓｅｃｏｎｄ）の圧縮信号をクロック周波数２７０ＭＨｚの条件で伝送する場合、ビット誤り率が「１×１０-11」で平均誤り発生間隔は約１時間、ビット誤り率が「１×１０-10」で平均誤り発生間隔は約６分、ビット誤り率が「１×１０-9」で平均誤り発生間隔は約３７秒、ビット誤り率が「１×１０-8」で平均誤り発生間隔は約３．７秒となるので、伝送パラメータが以上のような条件であっても実用に耐えることができない。
【０３０４】
ここで、誤り対策の手段として、誤りのあったパケットを再送するという方法があるが、これでは再送による伝送時間が遅延するとともに片方向伝送システム（例えば、ＳＭＰＴＥ  ２５９Ｍ）では再送メカニズムを実現するのが困難である。
【０３０５】
一方、誤り訂正符号を付加する方法では、伝送する信号に含まれる情報信号の割合が減少するため伝送効率が低下する。付加情報を少なくするために誤り訂正符号の符号長を短くすれば、誤り訂正能力は低くなる。従って、どの程度の符号長の誤り訂正符号を付加すれば、伝送効率をあまり減少させることなく十分な誤り訂正能力を保つことができるかが課題となっている。
【０３０６】
本実施の形態は、かかる課題を解決するものであり、以下にどの程度の符号長の誤り訂正符号を付加すればよいかをその理由とともに詳細に説明する。
【０３０７】
図２９はリードソロモン符号の誤り訂正能力を示す図である。ここで、図２９の横軸に示すＢＥＲ（Ｂｉｔ  Ｅｒｒｏｒ  Ｒａｔｅ）はビットエラーレート、すなわち、伝送路上でのビット誤りの発生率を表しており、図９の縦軸に示すＰｂｅ（Ｂｌｏｃｋ  ｅｒｒｏｒ  ｒａｔｅ）はブロックエラーレート、すなわち、誤り訂正を行っても訂正できなかったブロックの発生率を表している。
【０３０８】
図２９においてブロック長Ｎ＝２５５バイト（１バイト＝８ビット）であり、８ビットのリードソロモン符号を付加する場合の最大のブロック長である。また、図２９はスクランブルドＮＲＺＩ符号による誤り波及をも考慮した図である。すなわち、この方式は伝送路上でデジタル信号の１と０が平均的に発生するようにランダマイズを行うものである。この方式では誤りが発生すると次に続く１１ビットの内６ビットに誤りが伝播する。従って、１ビットのエラーが発生すると必ず２ワード（１ワード＝１０ビットである）にわたって誤りが波及する。従って、リードソロモン符号の誤り訂正能力は、Ｔ＝２以上（すなわち誤り訂正符号は、最小でも４バイト以上）でなければならない。
【０３０９】
なお、誤り訂正符号自身もブロックの中に含んでいる。誤り訂正符号を一定にした場合、ブロック長が長くなるほど訂正能力は低くなるから、図２９は、最も誤り訂正能力の低い場合の訂正能力を示したものということになる。
【０３１０】
ここで、Ｔは、１ブロック中訂正可能なシンボル（バイト）の数を表しており、例えば、４バイトのリードソロモン（誤り訂正）符号をブロックに付加した場合、１ブロック中に２シンボル（バイト）までのシンボル（バイト）エラーが訂正可能（Ｔ＝２）であり、２バイトのリードソロモン（誤り訂正）符号を付加した場合、１ブロック中に１シンボル（バイト）までのシンボル（バイト）エラーが訂正可能（Ｔ＝１）である。  また、Ｔ＝０は、誤り訂正符号が付加されていない場合を示している。
【０３１１】
つぎに、（表２）〜（表７）及び図９からどの程度の符号長の誤り訂正符号を付加すればよいかをその理由とともに詳細に説明する。
【０３１２】
（表２）〜（表７）に示した誤り率の測定結果から、伝送パラメータが以上のような条件（ＳＭＰＴＥ  ２５９Ｍ規格内の条件）内であっても厳しい条件のもとでは、ビットエラーレートが１×１０-8程度になる場合が存在する。従って、図２９を用い２ｎバイト（Ｔ＝ｎ）（ｎは１以上の自然数）のリードソロモン（誤り訂正）符号を付加した場合に十分な誤り訂正能力を保つことができるかを検討する。
【０３１３】
（１）２バイト（Ｔ＝１）のリードソロモン（誤り訂正）符号を付加した場合ビットエラーレートが１×１０-8とすると２バイト（Ｔ＝１）のリードソロン符号を付加し、これを用いて誤り訂正を行うことによりブロックエラーレートが約１×１０-9まで改善される。この値は、伝送速度２７Ｍｂｐｓの圧縮信号を伝送する場合を想定するとブロックの誤りが２６時間に１回に発生という誤り発生間隔に相当する。従って、２バイト（Ｔ＝１）のリードソロモン符号を用いて誤り訂正を行うことにより充分な誤り訂正を行うことは難しい。
【０３１４】
なお、本実施の形態ではスクランブルドＮＲＺＩ符号による誤り波及をも考慮しているため、上記したようにリードソロモン符号の誤り訂正能力は、Ｔ＝２以上（すなわち誤り訂正符号は、最小でも４バイト以上）でなければならず、２バイト（Ｔ＝１）のリードソロモン（誤り訂正）符号は本実施の形態では意味をなさない。
【０３１５】
（２）４バイト（Ｔ＝２）のリードソロモン（誤り訂正）符号を付加した場合ビットエラーレートが１×１０-8とすると４バイト（Ｔ＝２）のリードソロモン符号を付加し、これを用いて誤り訂正を行うことによりブロックエラーレートが３×１０-13まで改善される。この値は、伝送速度２７Ｍｂｐｓの圧縮信号を伝送する場合を想定するとブロックの誤りが約１０年に1回に発生という誤り発生間隔に相当する。従って、４バイト（Ｔ＝２）のリードソロモン符号を用いて誤り訂正を行うことにより充分な誤り訂正を行うことができる。
【０３１６】
上述したように、リードソロモン符号を誤り訂正符号とし、その長さを４ワード（Ｔ＝２）とすることにより、付加情報を少なくし、かつ十分な誤り訂正能力を得るという両方の条件を満たすことができる。
【０３１７】
なお、リードソロモン符号と情報信号の各バイト毎に付加されているパリティビットとを併用する場合、誤りの発生したシンボル（バイト）位置がわかる。これにより受信装置若しくは受信方法においてパリティビットにより誤り箇所を検出し、その後リードソロモン符号により誤り訂正を行うことで誤り訂正能力は以下のようになる。
【０３１８】
パリティエラーの検出で１ブロック中４箇所のエラーバイトが検出された場合は、その４バイトのエラーについて訂正可能であり、パリティエラー検出で１ブロック中３箇所のエラーバイトが検出された場合は、その３バイトのエラーについて訂正可能であり、パリティエラー検出で１ブロック中２箇所のエラーバイトが検出された場合は、その２バイトのエラーとその他の位置不明な１バイトについて誤り訂正可能であり、パリティエラー検出で１ブロック中１箇所のエラーバイトが検出された場合は、その１バイトのエラーとその他の位置不明な１バイトについて誤り訂正可能であり、パリティエラー検出で１ブロック中エラーバイトが検出されなかった場合は、１ブロック中位置不明な２バイトの誤り訂正可能である。
【０３１９】
以上、上記した構成により、リードソロモン（誤り訂正）符号を付加して、実質的なエラーフリーを実現することができる。
【０３２０】
また、上記構成によれば、圧縮方式に関係なく共通の誤り訂正符号を付加することでエラーフリーの環境を保証することができる。
【０３２１】
さらに、誤り訂正を共通のパケットフォーマットにすることにより相互接続のためのトータルコストを安くすることができる。すなわち、圧縮手段が種々のものに変わっても共通のリードソロモン（誤り訂正）符号とすることで、これを構成する装置の構成を共通にでき、コストを安くおさえることができる。
【０３２２】
（実施の形態１４）
図３０は本発明の第１４の実施の形態である伝送システム若しくは伝送方法及びこれを構成する送信装置若しくは送信方法と受信装置若しくは受信方法とを示した図である。なお、上記実施の形態において既に説明したものは同じ符号を用い、その説明を省略する。
【０３２３】
ここで、本実施の形態において一定の情報単位であるブロックはＮ行×Ｊ列（本実施の形態においてはＮ＝８、Ｊ＝１７０とし、（８×１７０）ビット＝１７０バイトである。）で構成されている。また所定の単位であるラインは一定の情報量以下の情報信号で構成可能であり、それを構成する各ワードはＮ行（Ｎビットの行）（Ｎは１以上の自然数であり、本実施の形態ではＮ＝８としている。）でありかつ実質的な情報信号である映像信号が配置される第１の領域とＭ行（Ｍビットの行）（Ｍは１以上の自然数であり、本実施の形態ではＭ＝２である。）でありかつ冗長な信号であるパリティ信号が配置される第２の領域とを有している（Ｎ＋Ｍ＝１０ビット）。例えば、送受信間の伝送速度が２７０Ｍｂｐｓの場合、１４４０ワード、３６０Ｍｂｐｓの場合、１９２０ワードである（１ワード＝１０ビット）。また、ここで所定の単位であるラインが構成可能な最大情報量すなわち一定の情報量とは、（Ｎ行×Ｉ列）ビットであり、本実施の形態ではＮ＝８であり、Ｉ＝１４４０（伝送速度が２７０Ｍｂｐｓの場合）又は１９２０（伝送速度が３６０Ｍｂｐｓの場合）である。
【０３２４】
図３０において、７０はＥＣＣエンコーダ１２の出力信号が各一定の情報単位であるブロック（Ｎ行×Ｊ列、本実施の形態では８×１７０）を単位に入力された情報信号の情報量に応じて、すなわち入力された情報信号の情報量が所定の単位であるラインを構成する各ワードのうち実質的な情報信号が配置されるＮ行（Ｎビットの行）の第１の領域を構成可能な一定の情報量（すなわち、Ｎ行×Ｉ列、本実施の形態では８×１４４０（伝送速度が２７０Ｍｂｐｓの場合）又は８×１９２０（伝送速度が３６０Ｍｂｐｓの場合））を超える場合にＥＣＣエンコーダ１２の（Ｍ行×Ｊ列）で構成される出力信号の映像信号の少なくとも一部を第２の領域に配置できるＸ−Ｙ変換手段である８−９変換手段である。この８−９変換手段７０の出力信号は同期信号付加手段１３に出力される。
【０３２５】
一方、ＥＣＣエンコーダ１２を用いない場合は、圧縮手段４の出力信号（Ｎ行×Ｊ列）を入力された情報信号の情報量に応じて、すなわち入力された情報信号の情報量が所定の単位であるラインを構成する各ワードのうち実質的な情報信号が配置されるＮ行（Ｎビットの行）の第１の領域を構成可能な一定の情報量を超える場合に圧縮手段４の出力信号の映像信号の少なくとも一部を第２の領域に配置できるＸ−Ｙ変換手段である８−９変換手段とし、この８−９変換手段７０の出力信号を同期信号付加手段１３に出力する構成とすればよい。
【０３２６】
７１は同期信号除去手段７の出力信号のうち第２の領域に渡って配置されている映像信号を第１の領域に再配置できる、すなわち、Ｎ行×Ｊ列（本実施の形態では８×１７０）の一定の情報単位であるブロックに復元できる構成としたＹ−Ｘ変換手段である９−８変換手段である。この９−８変換手段７１の出力信号はＥＣＣデコーダ１４に出力する。
【０３２７】
一方、ＥＣＣデコーダ１４を用いない場合は、同期信号除去手段７の出力信号のうち第２の領域に配置されている映像信号を第１の領域のみに再配置できる、すなわち、Ｎ行×Ｊ列（本実施の形態では８×１７０）の一定の情報単位であるブロックに復元できる構成としたＹ−Ｘ変換手段である９−８変換手段とし、この９−８変換手段７１の出力信号を伸張手段１１に出力する構成とすればよい。
【０３２８】
すなわち、送信装置若しくは送信方法においては、上記に記載した（実施の形態１）又は（実施の形態２）において、一定の情報単位であるブロックはＮ行（Ｎビットの行）（本実施の形態においてはＮ＝８とし、８ビットの行である。）×Ｊ列で構成されている。また所定の単位であるラインは一定の情報量以下の情報信号で構成可能であり、それを構成する各ワードはＮ行であるＮビット（Ｎは１以上の自然数）でありかつ実質的な情報信号である映像信号が配置される第１の領域とＭ行（Ｍは１以上の自然数）でありかつ冗長な信号であるパリティ信号などが配置される第２の領域とを有している場合であって、入力された情報信号の情報量に応じて、すなわち入力された情報信号の情報量が所定の単位であるラインを構成する各ワードのうち実質的な情報信号が配置されるＮビットの第１の領域を構成可能な一定の情報量を超える場合に実質的な情報信号である映像信号の少なくとも一部を第２の領域に配置可能な構成としている。
【０３２９】
一方、受信装置若しくは受信方法においては、上記に記載した（実施の形態１）又は（実施の形態２）において、一定の情報単位であるブロックはＮ行（Ｎビットの行）（本実施の形態においてはＮ＝８である。）×Ｊ列で構成されている。また所定の単位であるラインは一定の情報量以下の情報信号で構成可能であり、それを構成する各ワードはＮ行（Ｎビットの行）（Ｎは１以上の自然数）でありかつ実質的な情報信号である映像信号が配置される第１の領域とＭ行（Ｍは１以上の自然数）でありかつ冗長な信号であるパリティ信号などが配置される第２の領域とを有する場合であって、第２の領域に渡って配置された実質的な情報信号である映像信号を第１の領域のみに再配置できる、すなわち、Ｎ行（Ｎビットの行）（本実施の形態では８ビットの行）×Ｊ列の一定の情報単位であるブロックに復元できる構成としている。
【０３３０】
このような送信装置若しくは送信方法と受信装置若しくは受信方法とにより伝送路を介して伝送システム又は伝送方法を構成している。
【０３３１】
以上のような伝送システムにおいて図３１を用いてその動作を説明する。
【０３３２】
図３１は本発明の第１４の実施の形態である伝送システムの一定の情報単位であるブロックにおけるデータ形式を表した図である。
【０３３３】
図３０において、送信装置若しくは送信方法では、デジタル映像入力信号は圧縮手段４に入力されて情報量が圧縮される。圧縮手段４の出力信号はＥＣＣエンコーダ１２に入力され、ＥＣＣエンコーダ１２において各々の情報信号に誤り訂正符号が付される。ＥＣＣエンコーダ１２の出力信号はＸ−Ｙ変換手段である８−９変換手段７０に入力され、ここで、入力された情報信号の情報量に応じて、すなわち入力された情報信号の情報量が所定の単位であるラインを構成する各ワードのうち実質的な情報信号が配置されるＮ行（Ｎビットの行）の第１の領域を構成可能な一定の情報量を超える場合には、図３１に示すようにＥＣＣエンコーダ１２の出力信号の各ブロックにおいて、第１の領域（Ｂ０〜Ｂ７の領域に相当する）にのみ存在する映像信号（図３１（ａ）参照）の少なくとも一部を第２の領域（Ｂ８又はＢ８、Ｂ９に相当する）のパリティ信号が存在する領域に配置する（図３１（ｂ）参照）。この際、第２の領域に存在しているパリティ信号は破棄する。  また、パリティ信号が存在する領域に配置した際に第１の領域に空きが生じた場合は擬似信号（ダミー信号）を挿入する。この後、同期信号付加手段１３に信号が出力される。
【０３３４】
一方、入力された情報信号の情報量が所定の単位であるラインを構成する各ワードのうち実質的な情報信号が配置されるＮ行（Ｎビットの行）の第１の領域を構成可能な一定の情報量を超えない場合にはＥＣＣエンコーダ１２の出力信号をそのまま同期信号付加手段１３に出力する。
【０３３５】
一方、受信装置若しくは受信方法では、受信信号のうち同期信号除去手段７で同期信号が除去された後、同期信号除去手段７の出力信号は９−８変換手段７１において、第２の領域に渡って配置されている映像信号があれば第１の領域に再配置できる、すなわち、Ｎ行（Ｎビットの行、本実施の形態では８ビット）×Ｊ列の一定の情報単位であるブロックに復元できる構成、すなわち、送信側で８−９変換する際の規則に従って逆変換を行い、８−９変換が行われる前の状態と同様の状態に復元する。９−８変換手段７１の出力信号はＥＣＣデコーダ１４でブロック毎に付加された誤り訂正符号に基づいて信号の誤り訂正が行われる。この後、ＥＣＣデコーダ１４の出力信号は、伸張手段１１によって伸張されてデジタル映像出力信号となる。
【０３３６】
このような構成にすることにより、入力される情報信号が多い場合であって、所定の単位で送受信不可能な場合にもある程度対応することができる。
【０３３７】
ここで、図３１においてＴＹＰＥとは、圧縮データのタイプを表しおり、例えば、ＤＶＣＰＲＯは２２１ｈとなっている。また、ＭＰＥＧはＭＰＥＧ用のタイプが付される。。つぎに、ＲＥＶは、Ｒｅｓｅｒｖｅｄ（リザーブ）の略であり、規格上将来のために新たなビット定義を行えるように、またユーザーが勝手に使用しないようにリザーブしているエリアである。つぎに、ＳＴとは、Ｓｉｇｎａｌ  Ｔｙｐｅの略であり、信号形式を表している。ＤＶＣＰＲＯでもフィールド周波数が５０Ｈｚ／６０Ｈｚ（５９．９４Ｈｚ）の形式のものや、輝度信号と色信号のサンプル数による違いなど、同じＤＶＣＰＲＯでも様々な信号形式を識別するためのものである。ＴＴとは、Ｔｒａｎｓｍｉｓｓｉｏｎ  Ｔｙｐｅの略であり、転送形式を表している。通常再生の１倍速転送だけでなく４倍速転送や８倍速転送など様々な転送形式を識別するとともに、フレームの識別を行うためのものである。
【０３３８】
なお、本実施の形態では（実施の形態１）又は（実施の形態２）にＸ−Ｙ変換手段７０及びＹ−Ｘ変換手段７１を設けたものであるが、他の実施の形態に設けても同様の効果が得られる。
【０３３９】
また、本実施の形態では、Ｘ−Ｙ変換手段７０及びＹ−Ｘ変換手段７１はＸ−Ｙ変換及びＹ−Ｘ変換するかしないかを切り替えられる構成としているが、常にＸ−Ｙ変換及びＹ−Ｘ変換する構成としてもよい。
【０３４０】
【発明の効果】
以上のような構成にすることにより、１つの集合情報単位に多数の情報信号を含めることができ信号の伝送を効率よく行うことができる。
【図面の簡単な説明】
【図１】本発明の第１の実施の形態である伝送システム及びこれを構成する送信装置と受信装置とを示した図
【図２】本発明の第１の実施の形態である伝送システムの１つの集合情報単位におけるデータ形式を表した図
【図３】本発明の第２の実施の形態である伝送システム及びこれを構成する送信装置と受信装置とを示した図
【図４】本発明の第２の実施の形態である伝送システムの１つの集合情報単位におけるデータ形式を表した図
【図５】（ａ）は非圧縮系において１カ所で誤りが起きた場合を表した概念図
（ｂ）は圧縮系において１カ所で誤りが起きた場合であって、画素の正方形の領域を１つのエリアとして扱った場合を示す概念図
（ｃ）は圧縮系において１カ所で誤りが起きた場合であって、画素の１ラインの領域を１つのエリアとして扱った場合を示す概念図
（ｄ）は圧縮系において１カ所で誤りが起きた場合であって、画面全体の領域を１つのエリアとして扱った場合を示す概念図
【図６】本発明の第３の実施の形態である伝送システム及びこれを構成する送信装置と受信装置とを示した図
【図７】本発明の第３の実施の形態である伝送システムの１つの集合情報単位におけるデータ形式を表した図
【図８】本発明の第４の実施の形態である伝送システム及びこれを構成する送信装置と受信装置とを示した図
【図９】本発明の第４の実施の形態である伝送システムの１つの集合情報単位におけるデータ形式を表した図
【図１０】本発明の第５の実施の形態である伝送システム及びこれを構成する送信装置と受信装置とを示した図（時間情報付加手段２８においてＥＣＣエンコーダ１２に入力された入力信号の時間情報を扱う場合）
【図１１】本発明の第５の実施の形態である伝送システムの１つの集合情報単位におけるデータ形式を表した図
【図１２】本発明の第６の実施の形態である伝送システム及びこれを構成する送信装置と受信装置とを示した図（時間情報付加手段３９においてＥＣＣエンコーダ１２が出力した出力信号の時間情報を扱う場合）
【図１３】本発明の第６の実施の形態である伝送システムの１つの集合情報単位におけるデータ形式を表した図
【図１４】本発明の第７の実施の形態である伝送システム及びこれを構成する送信装置と受信装置とを示した図（時間情報付加手段２８においてＥＣＣエンコーダ１２に入力された入力信号の時間情報を扱う場合）
【図１５】本発明の第７の実施の形態である伝送システムの送信側の１つの集合情報単位におけるデータ形式を表した図
【図１６】本発明の第８の実施の形態である伝送システム及びこれを構成する送信装置と受信装置とを示した図（時間情報付加手段３９においてＥＣＣエンコーダ１２が出力した出力信号の時間情報を扱う場合）
【図１７】本発明の第８の実施の形態である伝送システムの受信側の１つの集合情報単位におけるデータ形式を表した図
【図１８】本発明の第７の実施の形態又は第８の実施の形態である伝送システムの別の１つの集合情報単位におけるデータ形式を表した図
【図１９】本発明の第９の実施の形態である伝送システム及びこれを構成する送信装置と受信装置とを示した図（時間情報付加手段２８においてＥＣＣエンコーダ１２に入力された入力信号の時間情報を扱う場合）
【図２０】本発明の第９の実施の形態である伝送システムの送信側の１つの集合情報単位におけるデータ形式を表した図
【図２１】本発明の第１０の実施の形態である伝送システム及びこれを構成する送信装置と受信装置とを示した図（時間情報付加手段３９においてＥＣＣエンコーダ１２が出力した出力信号の時間情報を扱う場合）
【図２２】本発明の第１０の実施の形態である伝送システムの受信側の１つの集合情報単位におけるデータ形式を表した図
【図２３】本発明の第１１の実施の形態である伝送システム及びこれを構成する送信装置と受信装置とを示した図
【図２４】（ａ）本発明の第１１の実施の形態の圧縮信号のデータ形式を示す図
（ｂ）本発明の第１１の実施の形態の非圧縮信号のデータ形式を示す図
【図２５】本発明の第１２の実施の形態である伝送システムの１つの集合情報単位におけるデータ形式を表した図
【図２６】一般的に使用される５Ｃ２Ｖ同軸ケーブルのケーブル長と減衰量との関係を示す図
【図２７】本発明の第１３の実施の形態で用いた送信装置及び受信装置を示す図
【図２８】本発明の第１３の実施の形態で用いた信号のジッタの詳細な内容を示す図
【図２９】リードソロモン符号の誤り訂正能力を示す図
【図３０】本発明の第１４の実施の形態である伝送システム及びこれを構成する送信装置と受信装置とを示した図
【図３１】本発明の第１４の実施の形態である伝送システムの受信側の１つの集合情報単位におけるデータ形式を表した図
【図３２】従来の伝送システムを示す図
【符号の説明】
１  離散コサイン変換手段
２  量子化手段
３  可変長符号化手段
４  圧縮手段
５、１３  同期信号付加手段
６  伝送路
７  同期信号除去手段
８、１５、１９、２５  可変長復号化手段
９  逆量子化手段
１０  離散コサイン逆変換手段
１１  伸張手段
１２、１７、２２  ＥＣＣエンコーダ
１４  ＥＣＣデコーダ
１６、２１、２３  合成手段
１８  分配手段
２０  シャフリング手段
２４  デシャフリング手段
２６  非圧縮手段
２７  非伸張手段
２８  時間情報付加手段
２９、３１  バッファ
３０  時間情報再生手段
【図１】
0003543776.tif 000009
【図２】
0003543776.tif 000010
【図３】
0003543776.tif 000011
【図４】
0003543776.tif 000012
【図５】
0003543776.tif 000013
【図６】
0003543776.tif 000014
【図７】
0003543776.tif 000015
【図８】
0003543776.tif 000016
【図９】
0003543776.tif 000017
【図１０】
0003543776.tif 000018
【図１１】
0003543776.tif 000019
【図１２】
0003543776.tif 000020
【図１３】
0003543776.tif 000021
【図１４】
0003543776.tif 000022
【図１５】
0003543776.tif 000023
【図１６】
0003543776.tif 000024
【図１７】
0003543776.tif 000025
【図１８】
0003543776.tif 000026
【図１９】
0003543776.tif 000027
【図２０】
0003543776.tif 000028
【図２１】
0003543776.tif 000029
【図２２】
0003543776.tif 000030
【図２３】
0003543776.tif 000031
【図２４】
0003543776.tif 000032
【図２５】
0003543776.tif 000033
【図２６】
0003543776.tif 000034
【図２７】
0003543776.tif 000035
【図２８】
0003543776.tif 000036
【図２９】
0003543776.tif 000037
【図３０】
0003543776.tif 000038
【図３１】
0003543776.tif 000039
【図３２】
0003543776.tif 000040